(57)【特許請求の範囲】
【請求項１】
階層的コンテンツを送信するための方法であって、
少なくとも１つのユーザ機器（ＵＥ）のために、基本変調レイヤおよび増強変調レイヤを備える階層的変調リソースを特定するダウンリンクグラントを送信することと、
前記基本変調レイヤ上に第１のコンテンツを変調することと、前記第１のコンテンツは、第１の誤り率の閾値と関連付けられる、
前記増強変調レイヤ上に第２のコンテンツを変調することと、前記第２のコンテンツは、前記第１の誤り率の閾値よりも高い第２の誤り率の閾値と関連付けられる、
前記少なくとも１つのＵＥに、前記階層的変調リソースを使用して、前記基本変調レイヤに対する前記増強変調レイヤの重畳として前記第１のコンテンツおよび前記第２のコンテンツを送信することとを備える、方法。
【請求項２】
前記第１の誤り率の閾値および前記第２の誤り率の閾値が、前記第１のコンテンツ、前記第２のコンテンツ、またはそれら両方に含まれる情報のタイプに基づく、請求項１に記載の方法。
【請求項３】
前記第１のコンテンツが高優先度のコンテンツを備え、前記第２のコンテンツが低優先度のコンテンツを備える、請求項１に記載の方法。
【請求項４】
前記第１のコンテンツおよび前記第２のコンテンツが同じＵＥに送信される、請求項１に記載の方法。
【請求項５】
前記第１のコンテンツおよび前記第２のコンテンツが異なるＵＥに送信される、請求項１に記載の方法。
【請求項６】
前記第１のコンテンツが、前記第１のコンテンツを受信するように構成されるＵＥのための制御情報を備える、請求項１に記載の方法。
【請求項７】
前記制御情報が、スケジューリンググラント情報、肯定応答情報、またはシグナリング情報、のうちの１つまたは複数を備える、請求項６に記載の方法。
【請求項８】
前記ＵＥが、前記制御情報の受信の肯定応答を送信するのを控えるように構成される、請求項６に記載の方法。
【請求項９】
前記第２のコンテンツがユーザデータを備える、請求項６に記載の方法。
【請求項１０】
前記ＵＥが、前記ユーザデータの受信の肯定応答を送信するように構成される、請求項９に記載の方法。
【請求項１１】
前記制御情報が、前記基本変調レイヤ上で物理ダウンリンク制御チャネル（ＰＤＣＣＨ）を使用して送信され、前記ユーザデータが、前記増強変調レイヤ上で物理ダウンリンク共有チャネル（ＰＤＳＣＨ）を使用して送信される、請求項９に記載の方法。
【請求項１２】
前記第１のコンテンツが、第１のＵＥのためのレイテンシに対する感受性が高いユニキャストデータを備え、前記第２のコンテンツが、前記第１のＵＥまたは異なるＵＥのためのベストエフォートユニキャストデータを備える、請求項１に記載の方法。
【請求項１３】
前記レイテンシに対する感受性が高いユニキャストデータが、前記基本変調レイヤ上で物理ダウンリンク共有チャネル（ＰＤＳＣＨ）を使用して送信され、前記ベストエフォートユニキャストデータが、前記増強変調レイヤ上で第２のＰＤＳＣＨを使用して送信される、請求項１２に記載の方法。
【請求項１４】
前記第１のコンテンツが特定のＵＥのためのユニキャストデータを備え、前記第２のコンテンツがブロードキャストデータを備える、請求項１に記載の方法。
【請求項１５】
前記第１のコンテンツがブロードキャストデータを備え、前記第２のコンテンツが特定のＵＥのためのユニキャストデータを備える、請求項１に記載の方法。
【請求項１６】
前記ブロードキャストデータが、前記基本変調レイヤ上で物理マルチキャストチャネル（ＰＭＣＨ）を使用して送信され、前記ユニキャストデータが、前記増強変調レイヤ上で物理ダウンリンク共有チャネル（ＰＤＳＣＨ）を使用して送信される、請求項１５に記載の方法。
【請求項１７】
前記ブロードキャストデータを受信するように構成されるＵＥが、前記ブロードキャストデータの受信の肯定応答を送信するのを控えるように構成され、前記特定のＵＥが、前記ユニキャストデータの受信の肯定応答を送信するように構成される、請求項１５に記載の方法。
【請求項１８】
前記基本変調レイヤおよび前記増強変調レイヤの送信のために使用されるべきチャネルのためのチャネル状態情報（ＣＳＩ）を決定することと、
前記ＣＳＩに基づいて、前記基本変調レイヤと前記増強変調レイヤとの送信エネルギー比を計算することとをさらに備える、請求項１に記載の方法。
【請求項１９】
前記ＣＳＩを決定することおよび前記送信エネルギー比を計算することが、複数の伝送時間間隔（ＴＴＩ）の各々に対して実行される、請求項１８に記載の方法。
【請求項２０】
前記基本変調レイヤおよび前記増強変調レイヤの送信に利用可能な空間レイヤの数を決定することと、
前記決定された数の空間レイヤ上で前記重畳された基本変調レイヤと増強変調レイヤとを送信することとをさらに備える、請求項１に記載の方法。
【請求項２１】
空間レイヤの前記数を前記決定することが、前記少なくとも１つのＵＥからのランクインジケータ（ＲＩ）に基づく、請求項２０に記載の方法。
【請求項２２】
複数のＵＥの各々のためのチャネル状態情報（ＣＳＩ）を決定することと、
前記複数のＵＥのための前記ＣＳＩに基づいて、前記複数のＵＥのうちのいずれが前記基本変調レイヤまたは前記増強変調レイヤのうちの１つまたは複数を受信すべきかを命令することとをさらに備える、請求項１に記載の方法。
【請求項２３】
前記重畳された基本変調レイヤと増強変調レイヤとを送信することが、
前記決定されたＣＳＩに基づいてよりチャネル品質が低いと決定された前記１つまたは複数のＵＥに前記基本変調レイヤを送信することと、
前記決定されたＣＳＩに基づいてよりチャネル品質が高いと決定された前記１つまたは複数のＵＥに前記増強変調レイヤを送信することとを備える、請求項２２に記載の方法。
【請求項２４】
前記ダウンリンクグラントが、前記重畳された基本変調レイヤと増強変調レイヤとを受信すべき前記少なくとも１つのＵＥのためのシグナリング情報を含む、請求項１に記載の方法。
【請求項２５】
前記シグナリング情報が、前記基本変調レイヤと前記増強変調レイヤとの送信エネルギー比、前記基本変調レイヤおよび前記増強変調レイヤのためのトランスポートブロックサイズ、または、前記基本変調レイヤおよび前記増強変調レイヤのための変調とコーディングの方式、のうちの１つまたは複数を備える、請求項２４に記載の方法。
【請求項２６】
前記ダウンリンクグラントが、
前記基本変調レイヤまたは前記増強変調レイヤのうちの１つまたは複数の上で前記ＵＥに送信されるデータのリソースブロック位置、
前記基本変調レイヤまたは前記増強変調レイヤのうちの１つまたは複数のためのコードブロックサイズ、または、
前記基本変調レイヤまたは前記増強変調レイヤのうちの１つまたは複数のための空間レイヤの数、のうちの１つまたは複数を示す、請求項１に記載の方法。
【請求項２７】
前記ダウンリンクグラントが、
前記基本変調レイヤまたは前記増強変調レイヤのうちの１つまたは複数の上で前記ＵＥに送信されるデータの変調とコーディングの方式（ＭＣＳ）、
前記基本変調レイヤまたは前記増強変調レイヤのうちの１つまたは複数の上で送信するために使用されるプリコーディング行列、または、
前記基本変調レイヤまたは前記増強変調レイヤのうちの１つまたは複数のためのレイヤマッピング、のうちの１つまたは複数を示す、請求項１に記載の方法。
【請求項２８】
前記ダウンリンクグラントが、前記基本変調レイヤまたは前記増強変調レイヤのための情報を備える単一のダウンリンクグラントである、請求項１に記載の方法。
【請求項２９】
前記ダウンリンクグラントが、２つ以上のＵＥのための２つ以上のダウンリンクグラントを備え、各ダウンリンクグラントが、前記基本変調レイヤまたは前記増強変調レイヤに対応する、請求項１に記載の方法。
【請求項３０】
前記各ダウンリンクグラントが、前記基本変調レイヤまたは前記増強変調レイヤの指示と、前記指示された基本変調レイヤまたは増強変調レイヤのダウンリンクリソースとを備える、請求項２９に記載の方法。
【請求項３１】
前記基本変調レイヤまたは前記増強変調レイヤの前記指示が、前記ダウンリンクグラントに埋め込まれた１つまたは複数のビットを備える、請求項３０に記載の方法。
【請求項３２】
前記基本変調レイヤまたは前記増強変調レイヤの前記指示が、前記ダウンリンクリソースが前記基本変調レイヤまたは前記増強変調レイヤのためのものであることを示すために、前記２つ以上のＵＥのうちの１つのＵＥのためのセル無線ネットワーク一時識別子（Ｃ−ＲＮＴＩ）によってマスクされた巡回冗長検査（ＣＲＣ）を備える、請求項３０に記載の方法。
【請求項３３】
前記基本変調レイヤのための前記Ｃ−ＲＮＴＩが、前記ＵＥのための主要セル無線ネットワーク一時識別子（ＰＣ−ＲＮＴＩ）を備え、前記増強変調レイヤのための前記Ｃ−ＲＮＴＩが、前記ＵＥのための二次的セル無線ネットワーク一時識別子（ＳＣ−ＲＮＴＩ）を備える、請求項３２に記載の方法。
【請求項３４】
前記シグナリング情報が、無線リソース制御（ＲＲＣ）シグナリングを備える、請求項２４に記載の方法。
【請求項３５】
前記ＲＲＣシグナリングが、前記基本変調レイヤと前記増強変調レイヤとのエネルギー比、前記基本変調レイヤのための変調方式、前記増強変調レイヤのための変調方式、前記基本変調レイヤのためのリソースブロックサイズ、または前記増強変調レイヤのためのリソースブロックサイズ、のうちの１つまたは複数を含む、請求項３４に記載の方法。
【請求項３６】
前記シグナリング情報が、物理制御フォーマットインジケータチャネル（ＰＣＦＩＣＨ）を使用して提供される、請求項２４に記載の方法。
【請求項３７】
前記シグナリング情報が、前記基本変調レイヤおよび前記増強変調レイヤのための独立の制御情報を備える、請求項２４に記載の方法。
【請求項３８】
前記基本変調レイヤおよび前記増強変調レイヤが同じ変調方式を有する、請求項１に記載の方法。
【請求項３９】
前記基本変調レイヤおよび前記増強変調レイヤが異なる変調方式を有する、請求項１に記載の方法。
【請求項４０】
前記基本変調レイヤと前記増強変調レイヤのための変調方式が、四位相偏移変調（ＱＰＳＫ）方式、二位相偏移変調（ＢＰＳＫ）方式、または直角位相振幅変調（ＱＡＭ）方式を備える、請求項３９に記載の方法。
【請求項４１】
階層的コンテンツを送信するための方法であって、
階層的変調リソースを特定するリソースグラントを受信することと、前記階層的変調リソースは基本変調レイヤと増強変調レイヤとを備え、前記基本変調レイヤは前記増強変調レイヤよりも低い誤り率の閾値を有する、
前記基本変調レイヤ上での送信のために第１のコンテンツを変調することと、
前記増強変調レイヤ上での送信のために第２のコンテンツを変調することと、
前記階層的変調リソースを使用して、前記基本変調レイヤに対する前記増強変調レイヤの重畳として前記第１のコンテンツおよび前記第２のコンテンツを送信することとを備える、方法。
【請求項４２】
前記基本変調レイヤが物理アップリンク制御チャネル（ＰＵＣＣＨ）を備え、前記増強変調レイヤが物理アップリンク共有チャネル（ＰＵＳＣＨ）を備える、請求項４１に記載の方法。
【請求項４３】
前記基本変調レイヤと前記増強変調レイヤの両方が、物理アップリンク共有チャネル（ＰＵＳＣＨ）を備える、請求項４１に記載の方法。
【請求項４４】
前記第１のコンテンツが高優先度のコンテンツを備え、前記第２のコンテンツが低優先度のコンテンツを備える、請求項４１に記載の方法。
【請求項４５】
前記リソースグラントを受信することが、
前記基本変調レイヤと前記増強変調レイヤの両方のための階層的変調リソースを示すアップリンクグラントを基地局から受信することを備える、請求項４１に記載の方法。
【請求項４６】
前記アップリンクグラントが、前記基本変調レイヤと前記増強変調レイヤとのエネルギー比、レイヤマッピング情報、コードブロックサイズ、または、前記基本変調レイヤと前記増強変調レイヤ内の空間レイヤの数、のうちの１つまたは複数を備える、請求項４５に記載の方法。
【請求項４７】
前記アップリンクグラントがさらに、前記基本変調レイヤおよび前記増強変調レイヤの送信のための空間レイヤの数を示す、請求項４５に記載の方法。
【請求項４８】
前記基本変調レイヤおよび前記増強変調レイヤが同じ変調方式を有する、請求項４１に記載の方法。
【請求項４９】
前記基本変調レイヤおよび前記増強変調レイヤが異なる変調方式を有する、請求項４１に記載の方法。
【請求項５０】
前記基本変調レイヤと前記増強変調レイヤのための変調方式が、四位相偏移変調（ＱＰＳＫ）方式、二位相偏移変調（ＢＰＳＫ）方式、または直角位相振幅変調（ＱＡＭ）方式を備える、請求項４９に記載の方法。
【請求項５１】
前記リソースグラントを受信することが、
前記基本変調レイヤのための階層的変調リソースを示す第１のアップリンクグラントを基地局から受信することと、
前記増強変調レイヤのための階層的変調リソースを示す第２のアップリンクグラントを前記基地局から受信することとを備える、請求項４１に記載の方法。
【請求項５２】
前記第１のアップリンクグラントおよび前記第２のアップリンクグラントが、対応する変調レイヤ内の空間レイヤの数を示す空間情報を含む、請求項５１に記載の方法。
【請求項５３】
前記第１のアップリンクグラントおよび前記第２のアップリンクグラントが、前記基本変調レイヤまたは前記増強変調レイヤの指示と、前記指示された基本変調レイヤまたは増強変調レイヤのアップリンクリソースとを備える、請求項５１に記載の方法。
【請求項５４】
前記基本変調レイヤまたは前記増強変調レイヤの前記指示が、前記第１のアップリンクグラントおよび前記第２のアップリンクグラントに埋め込まれた１つまたは複数のビットを備える、請求項５３に記載の方法。
【請求項５５】
前記基本変調レイヤまたは前記増強変調レイヤの前記指示が、前記アップリンクリソースが前記基本変調レイヤまたは前記増強変調レイヤのためのものであることを示すために、ユーザ機器（ＵＥ）のためのセル無線ネットワーク一時識別子（Ｃ−ＲＮＴＩ）によってマスクされる巡回冗長検査（ＣＲＣ）を備える、請求項５３に記載の方法。
【請求項５６】
前記基本変調レイヤのための前記Ｃ−ＲＮＴＩが、前記ＵＥのための主要セルＲＮＴＩ（ＰＣ−ＲＮＴＩ）を備え、前記増強変調レイヤのための前記Ｃ−ＲＮＴＩが、前記ＵＥのための二次的セルＲＮＴＩ（ＳＣ−ＲＮＴＩ）を備える、請求項５５に記載の方法。
【請求項５７】
前記基本変調レイヤと前記増強変調レイヤとの送信エネルギー比、前記基本変調レイヤおよび前記増強変調レイヤのためのトランスポートブロックサイズ、または、前記基本変調レイヤおよび前記増強変調レイヤのための変調とコーディングの方式、のうちの１つまたは複数を備えるシグナリング情報を受信することをさらに備える、請求項４１に記載の方法。
【請求項５８】
前記シグナリング情報が、無線リソース制御（ＲＲＣ）シグナリングにおいて受信される、請求項５７に記載の方法。
【請求項５９】
前記シグナリング情報が、前記リソースグラントにおいて受信される、請求項５７に記載の方法。
【請求項６０】
前記シグナリング情報が、物理制御フォーマットインジケータチャネル（ＰＣＦＩＣＨ）上で受信される、請求項５７に記載の方法。
【請求項６１】
前記シグナリング情報が、前記基本変調レイヤおよび前記増強変調レイヤのための独立の制御情報を備える、請求項５７に記載の方法。
【請求項６２】
前記第１のコンテンツが、物理アップリンク制御チャネル（ＰＵＣＣＨ）上で送信される制御情報を備える、請求項４１に記載の方法。
【請求項６３】
前記制御情報が、ダウンリンクデータの肯定応答、チャネル状態情報（ＣＳＩ）、ランクインジケータ（ＲＩ）、またはスケジューリング要求（ＳＲ）、のうちの１つまたは複数を備える、請求項６２に記載の方法。
【請求項６４】
前記制御情報がさらに、前記増強変調レイヤと関連付けられるアップリンク情報を備える、請求項６３に記載の方法。
【請求項６５】
前記増強変調レイヤと関連付けられる前記アップリンク情報が、前記増強変調レイヤと関連付けられるデータレートを備える、請求項６４に記載の方法。
【請求項６６】
前記第２のコンテンツが、物理アップリンク共有チャネル（ＰＵＳＣＨ）上で送信されるユーザデータを備える、請求項４１に記載の方法。
【請求項６７】
階層的コンテンツを送信するための装置であって、
プロセッサと、
前記プロセッサと電子通信しているメモリと、
前記メモリに記憶された命令とを備え、前記命令は、
少なくとも１つのユーザ機器（ＵＥ）のために、基本変調レイヤおよび増強変調レイヤを備える階層的変調リソースを特定するダウンリンクグラントを送信し、
前記基本変調レイヤ上に第１のコンテンツを変調し、前記第１のコンテンツは、第１の誤り率の閾値と関連付けられる、
前記増強変調レイヤ上に第２のコンテンツを変調し、前記第２のコンテンツは、前記第１の誤り率の閾値よりも高い第２の誤り率の閾値と関連付けられる、
前記少なくとも１つのＵＥに、前記階層的変調リソースを使用して、前記基本変調レイヤに対する前記増強変調レイヤの重畳として前記第１のコンテンツおよび前記第２のコンテンツを送信するように、前記プロセッサによって実行可能である、装置。
【請求項６８】
前記第１の誤り率の閾値および前記第２の誤り率の閾値が、前記第１のコンテンツ、前記第２のコンテンツ、またはそれら両方に含まれる情報のタイプに基づく、請求項６７に記載の装置。
【請求項６９】
前記第１のコンテンツが高優先度のコンテンツを備え、前記第２のコンテンツが低優先度のコンテンツを備える、請求項６７に記載の装置。
【請求項７０】
前記第１のコンテンツおよび前記第２のコンテンツが同じＵＥに送信される、請求項６７に記載の装置。
【請求項７１】
前記第１のコンテンツおよび前記第２のコンテンツが異なるＵＥに送信される、請求項６７に記載の装置。
【請求項７２】
前記第１のコンテンツが、前記第１のコンテンツを受信するように構成されるＵＥのための制御情報を備える、請求項６７に記載の装置。
【請求項７３】
前記制御情報が、スケジューリンググラント情報、肯定応答情報、またはシグナリング情報、のうちの１つまたは複数を備える、請求項７２に記載の装置。
【請求項７４】
前記ＵＥが、前記第１のコンテンツの受信の肯定応答を送信するのを控えるように構成される、請求項７２に記載の装置。
【請求項７５】
前記第２のコンテンツがユーザデータを備える、請求項７２に記載の装置。
【請求項７６】
前記ＵＥが、前記ユーザデータの受信の肯定応答を送信するように構成される、請求項７５に記載の装置。
【請求項７７】
前記制御情報が、前記基本変調レイヤ上で物理ダウンリンク制御チャネル（ＰＤＣＣＨ）を使用して送信され、前記ユーザデータが、前記増強変調レイヤ上で物理ダウンリンク共有チャネル（ＰＤＳＣＨ）を使用して送信される、請求項７５に記載の装置。
【請求項７８】
前記第１のコンテンツが、第１のＵＥのためのレイテンシに対する感受性が高いユニキャストデータを備え、前記第２のコンテンツが、前記第１のＵＥまたは異なるＵＥのためのベストエフォートユニキャストデータを備える、請求項６７に記載の装置。
【請求項７９】
前記レイテンシに対する感受性が高いユニキャストデータが、前記基本変調レイヤ上で物理ダウンリンク共有チャネル（ＰＤＳＣＨ）を使用して送信され、前記ベストエフォートユニキャストデータが、前記増強変調レイヤ上で第２のＰＤＳＣＨを使用して送信される、請求項７８に記載の装置。
【請求項８０】
前記第１のコンテンツが特定のＵＥのためのユニキャストデータを備え、前記第２のコンテンツがブロードキャストデータを備える、請求項６７に記載の装置。
【請求項８１】
前記第１のコンテンツがブロードキャストデータを備え、前記第２のコンテンツが特定のＵＥのためのユニキャストデータを備える、請求項６７に記載の装置。
【請求項８２】
前記ブロードキャストデータが、前記基本変調レイヤ上で物理マルチキャストチャネル（ＰＭＣＨ）を使用して送信され、前記ユニキャストデータが、前記増強変調レイヤ上で物理ダウンリンク共有チャネル（ＰＤＳＣＨ）を使用して送信される、請求項８１に記載の装置。
【請求項８３】
前記ブロードキャストデータを受信するように構成されるＵＥが、前記ブロードキャストデータの受信の肯定応答を送信するのを控えるように構成され、前記特定のＵＥが、前記ユニキャストデータの受信の肯定応答を送信するように構成される、請求項８１に記載の装置。
【請求項８４】
前記命令はさらに、
前記基本変調レイヤおよび前記増強変調レイヤの送信のために使用されるべきチャネルのためのチャネル状態情報（ＣＳＩ）を決定し、
前記ＣＳＩに基づいて、前記基本変調レイヤと前記増強変調レイヤとの送信エネルギー比を計算するように、前記プロセッサによって実行可能である、請求項６７に記載の装置。
【請求項８５】
前記命令はさらに、前記ＣＳＩを決定し、複数の伝送時間間隔（ＴＴＩ）の各々のための前記送信エネルギー比を計算するように実行可能である、請求項８４に記載の装置。
【請求項８６】
前記命令はさらに、
前記基本変調レイヤおよび前記増強変調レイヤの送信に利用可能な空間レイヤの数を決定し、
前記決定された数の空間レイヤ上で前記重畳された基本変調レイヤと増強変調レイヤとを送信するように、前記プロセッサによって実行可能である、請求項６７に記載の装置。
【請求項８７】
前記命令はさらに、前記少なくとも１つのＵＥからのランクインジケータ（ＲＩ）に基づいて、空間レイヤの前記数を決定するように実行可能である、請求項８６に記載の装置。
【請求項８８】
前記命令はさらに、
複数のＵＥの各々のためのチャネル状態情報（ＣＳＩ）を決定し、
前記複数のＵＥのための前記ＣＳＩに基づいて、前記複数のＵＥのうちのいずれが前記基本変調レイヤまたは前記増強変調レイヤのうちの１つまたは複数を受信すべきかを命令するように、前記プロセッサによって実行可能である、請求項６７に記載の装置。
【請求項８９】
前記重畳された基本変調レイヤと増強変調レイヤとを送信するように、前記プロセッサによって実行可能である前記命令が、
前記決定されたＣＳＩに基づいてよりチャネル品質が低いと決定された前記１つまたは複数のＵＥに前記基本変調レイヤを送信し、
前記決定されたＣＳＩに基づいてよりチャネル品質が高いと決定された前記１つまたは複数のＵＥに前記増強変調レイヤを送信するように、前記プロセッサによって実行可能である命令を備える、請求項８８に記載の装置。
【請求項９０】
前記命令はさらに、
前記重畳された基本変調レイヤと増強変調レイヤとを受信すべき前記少なくとも１つのユーザ機器（ＵＥ）のためのシグナリング情報を送信するように、前記プロセッサによって実行可能である、請求項６７に記載の装置。
【請求項９１】
前記シグナリング情報が、前記基本変調レイヤと前記増強変調レイヤとの送信エネルギー比、前記基本変調レイヤおよび前記増強変調レイヤのためのトランスポートブロックサイズ、または、前記基本変調レイヤおよび前記増強変調レイヤのための変調とコーディングの方式、のうちの１つまたは複数を備える、請求項９０に記載の装置。
【請求項９２】
前記シグナリング情報が、無線リソース制御（ＲＲＣ）シグナリングを備える、請求項９０に記載の装置。
【請求項９３】
前記ＲＲＣシグナリングが、前記基本変調レイヤと前記増強変調レイヤとのエネルギー比、前記基本変調レイヤのための変調方式、前記増強変調レイヤのための変調方式、前記基本変調レイヤのためのリソースブロックサイズ、または前記増強変調レイヤのためのリソースブロックサイズ、のうちの１つまたは複数を含む、請求項９２に記載の装置。
【請求項９４】
前記シグナリング情報が、物理制御フォーマットインジケータチャネル（ＰＣＦＩＣＨ）を使用して提供される、請求項９０に記載の装置。
【請求項９５】
前記シグナリング情報が、前記基本変調レイヤおよび前記増強変調レイヤのための独立の制御情報を備える、請求項９０に記載の装置。
【請求項９６】
前記ダウンリンクグラントが、
前記基本変調レイヤまたは前記増強変調レイヤのうちの１つまたは複数の上で前記ＵＥに送信されるデータのリソースブロック位置、
前記基本変調レイヤまたは前記増強変調レイヤのうちの１つまたは複数のためのコードブロックサイズ、または、
前記基本変調レイヤまたは前記増強変調レイヤのうちの１つまたは複数のための空間レイヤの数、のうちの１つまたは複数を示す、請求項６７に記載の装置。
【請求項９７】
前記ダウンリンクグラントが、
前記基本変調レイヤまたは前記増強変調レイヤのうちの１つまたは複数の上で前記ＵＥに送信されるデータの変調とコーディングの方式（ＭＣＳ）、
前記基本変調レイヤまたは前記増強変調レイヤのうちの１つまたは複数の上で送信するために使用されるプリコーディング行列、または、
前記基本変調レイヤまたは前記増強変調レイヤのうちの１つまたは複数のためのレイヤマッピング、のうちの１つまたは複数を示す、請求項６７に記載の装置。
【請求項９８】
前記ダウンリンクグラントが、前記基本変調レイヤまたは前記増強変調レイヤのための情報を備える単一のダウンリンクグラントである、請求項６７に記載の装置。
【請求項９９】
前記ダウンリンクグラントが、２つ以上のＵＥのための２つ以上のダウンリンクグラントを備え、各ダウンリンクグラントが、前記基本変調レイヤまたは前記増強変調レイヤに対応する、請求項６７に記載の装置。
【請求項１００】
前記各ダウンリンクグラントが、前記基本変調レイヤまたは前記増強変調レイヤの指示と、前記指示された基本変調レイヤまたは増強変調レイヤのダウンリンクリソースとを備える、請求項９９に記載の装置。
【請求項１０１】
前記基本変調レイヤまたは前記増強変調レイヤの前記指示が、前記ダウンリンクグラントに埋め込まれた１つまたは複数のビットを備える、請求項１００に記載の装置。
【請求項１０２】
前記基本変調レイヤまたは前記増強変調レイヤの前記指示が、前記ダウンリンクリソースが前記基本変調レイヤまたは前記増強変調レイヤのためのものであることを示すために、前記２つ以上のＵＥのうちの１つのＵＥのためのセル無線ネットワーク一時識別子（Ｃ−ＲＮＴＩ）によってマスクされる巡回冗長検査（ＣＲＣ）を備える、請求項１００に記載の装置。
【請求項１０３】
前記基本変調レイヤのための前記Ｃ−ＲＮＴＩが、前記ＵＥのための主要セルＲＮＴＩ（ＰＣ−ＲＮＴＩ）を備え、前記増強変調レイヤのための前記Ｃ−ＲＮＴＩが、前記ＵＥのための二次的セルＲＮＴＩ（ＳＣ−ＲＮＴＩ）を備える、請求項１０２に記載の装置。
【請求項１０４】
前記基本変調レイヤおよび前記増強変調レイヤが同じ変調方式を有する、請求項６７に記載の装置。
【請求項１０５】
前記基本変調レイヤおよび前記増強変調レイヤが異なる変調方式を有する、請求項６７に記載の装置。
【請求項１０６】
前記基本変調レイヤと前記増強変調レイヤのための変調方式が、四位相偏移変調（ＱＰＳＫ）方式、二位相偏移変調（ＢＰＳＫ）方式、または直角位相振幅変調（ＱＡＭ）方式を備える、請求項１０５に記載の装置。
【請求項１０７】
階層的コンテンツを送信するための装置であって、
プロセッサと、
前記プロセッサと電子通信しているメモリと、
前記メモリに記憶された命令とを備え、前記命令は、
階層的変調リソースを特定するリソースグラントを受信し、前記階層的変調リソースは基本変調レイヤと増強変調レイヤとを備え、前記基本変調レイヤは前記増強変調レイヤよりも低い誤り率の閾値を有する、
前記基本変調レイヤ上での送信のために第１のコンテンツを変調し、
前記増強変調レイヤ上での送信のために第２のコンテンツを変調し、
前記階層的変調リソースを使用して、前記基本変調レイヤに対する前記増強変調レイヤの重畳として前記第１のコンテンツおよび前記第２のコンテンツを送信するように、前記プロセッサによって実行可能である、装置。
【請求項１０８】
前記基本変調レイヤが物理アップリンク制御チャネル（ＰＵＣＣＨ）を備え、前記増強変調レイヤが物理アップリンク共有チャネル（ＰＵＳＣＨ）を備える、請求項１０７に記載の装置。
【請求項１０９】
前記基本変調レイヤと前記増強変調レイヤの両方が、物理アップリンク共有チャネル（ＰＵＳＣＨ）を備える、請求項１０７に記載の装置。
【請求項１１０】
前記第１のコンテンツが高優先度のコンテンツを備え、前記第２のコンテンツが低優先度のコンテンツを備える、請求項１０７に記載の装置。
【請求項１１１】
前記リソースグラントを受信するように前記プロセッサによって実行可能である前記命令が、
前記基本変調レイヤと前記増強変調レイヤの両方のための階層的変調リソースを示すアップリンクグラントを基地局から受信するように、前記プロセッサによって実行可能である命令を備える、請求項１０７に記載の装置。
【請求項１１２】
前記アップリンクグラントが、前記基本変調レイヤと前記増強変調レイヤとのエネルギー比、レイヤマッピング情報、コードブロックサイズ、または、前記基本変調レイヤと前記増強変調レイヤ内の空間レイヤの数、のうちの１つまたは複数を備える、請求項１１１に記載の装置。
【請求項１１３】
前記アップリンクグラントがさらに、前記基本変調レイヤおよび前記増強変調レイヤの送信のための空間レイヤの数を示す、請求項１１１に記載の装置。
【請求項１１４】
前記基本変調レイヤおよび前記増強変調レイヤが同じ変調方式を有する、請求項１０７に記載の装置。
【請求項１１５】
前記基本変調レイヤおよび前記増強変調レイヤが異なる変調方式を有する、請求項１０７に記載の装置。
【請求項１１６】
前記基本変調レイヤと前記増強変調レイヤのための変調方式が、四位相偏移変調（ＱＰＳＫ）方式、二位相偏移変調（ＢＰＳＫ）方式、または直角位相振幅変調（ＱＡＭ）方式を備える、請求項１１５に記載の装置。
【請求項１１７】
前記リソースグラントを受信するように前記プロセッサによって実行可能である前記命令が、
前記基本変調レイヤのための階層的変調リソースを示す第１のアップリンクグラントを基地局から受信し、
前記増強変調レイヤのための階層的変調リソースを示す第２のアップリンクグラントを前記基地局から受信するように、前記プロセッサによって実行可能である命令を備える、請求項１０７に記載の装置。
【請求項１１８】
前記第１のアップリンクグラントおよび前記第２のアップリンクグラントが、対応する変調レイヤ内の空間レイヤの数を示す空間情報を含む、請求項１１７に記載の装置。
【請求項１１９】
前記第１のアップリンクグラントおよび前記第２のアップリンクグラントが、前記基本変調レイヤまたは前記増強変調レイヤの指示と、前記指示された基本変調レイヤまたは増強変調レイヤのアップリンクリソースとを備える、請求項１１７に記載の装置。
【請求項１２０】
前記基本変調レイヤまたは前記増強変調レイヤの前記指示が、前記第１のアップリンクグラントおよび前記第２のアップリンクグラントに埋め込まれた１つまたは複数のビットを備える、請求項１１９に記載の装置。
【請求項１２１】
前記基本変調レイヤまたは前記増強変調レイヤの前記指示が、前記アップリンクリソースが前記基本変調レイヤまたは前記増強変調レイヤのためのものであることを示すために、ユーザ機器（ＵＥ）のためのセル無線ネットワーク一時識別子（Ｃ−ＲＮＴＩ）によってマスクされる巡回冗長検査（ＣＲＣ）を備える、請求項１１９に記載の装置。
【請求項１２２】
前記基本変調レイヤのための前記Ｃ−ＲＮＴＩが、前記ＵＥのための主要セルＲＮＴＩ（ＰＣ−ＲＮＴＩ）を備え、前記増強変調レイヤのための前記Ｃ−ＲＮＴＩが、前記ＵＥのための二次的セルＲＮＴＩ（ＳＣ−ＲＮＴＩ）を備える、請求項１２１に記載の装置。
【請求項１２３】
前記命令はさらに、
前記基本変調レイヤと前記増強変調レイヤとの送信エネルギー比、前記基本変調レイヤおよび前記増強変調レイヤのためのトランスポートブロックサイズ、または、前記基本変調レイヤおよび前記増強変調レイヤのための変調とコーディングの方式、のうちの１つまたは複数を備えるシグナリング情報を受信するように前記プロセッサによって実行可能である、請求項１０７に記載の装置。
【請求項１２４】
前記シグナリング情報が、無線リソース制御（ＲＲＣ）シグナリングにおいて受信される、請求項１２３に記載の装置。
【請求項１２５】
前記シグナリング情報が、前記リソースグラントにおいて受信される、請求項１２３に記載の装置。
【請求項１２６】
前記シグナリング情報が、物理制御フォーマットインジケータチャネル（ＰＣＦＩＣＨ）上で受信される、請求項１２３に記載の装置。
【請求項１２７】
前記シグナリング情報が、前記基本変調レイヤおよび前記増強変調レイヤのための独立の制御情報を備える、請求項１２３に記載の装置。
【請求項１２８】
前記第１のコンテンツが、物理アップリンク制御チャネル（ＰＵＣＣＨ）上で送信される制御情報を備える、請求項１０７に記載の装置。
【請求項１２９】
前記制御情報が、ダウンリンクデータの肯定応答、チャネル状態情報（ＣＳＩ）、ランクインジケータ（ＲＩ）、またはスケジューリング要求（ＳＲ）、のうちの１つまたは複数を備える、請求項１２８に記載の装置。
【請求項１３０】
前記制御情報がさらに、前記増強変調レイヤと関連付けられるアップリンク情報を備える、請求項１２９に記載の装置。
【請求項１３１】
前記増強変調レイヤと関連付けられる前記アップリンク情報が、前記増強変調レイヤと関連付けられるデータレートを備える、請求項１３０に記載の装置。
【請求項１３２】
前記第２のコンテンツが、物理アップリンク共有チャネル（ＰＵＳＣＨ）上で送信されるユーザデータを備える、請求項１０７に記載の装置。
【発明の詳細な説明】
【技術分野】
【０００１】
相互参照
[0001]  本特許出願は、各々が本出願の譲受人に譲渡される、２０１５年４月２９日に出願された、「Ｎｏｎ−Ｏｒｔｈｏｇｏｎａｌ  Ｍｕｌｔｉｐｌｅ  Ａｃｃｅｓｓ  Ａｎｄ  Ｉｎｔｅｒｆｅｒｅｎｃｅ  Ｃａｎｃｅｌｌａｔｉｏｎ」と題される、Ｍａｌｌａｄｉらによる米国特許出願第１４／７００，０７１号、および２０１４年５月７日に出願された、「Ｎｏｎ−Ｏｒｔｈｏｇｏｎａｌ  Ｍｕｌｔｉｐｌｅ  Ａｃｃｅｓｓ  Ａｎｄ  Ｉｎｔｅｒｆｅｒｅｎｃｅ  Ｃａｎｃｅｌｌａｔｉｏｎ」と題される、Ｍａｌｌａｄｉらによる米国仮特許出願第６１／９９０，０９９号の優先権を主張する。
【０００２】
[0002]  本開示は、たとえば、ワイヤレス通信システムに関し、より具体的には、非直交多元接続（non-orthogonal multiple access）および干渉除去（interference cancellation）に関する。
【背景技術】
【０００３】
[0003]  ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００４】
[0004]  ワイヤレス通信ネットワークは、いくつかのユーザ機器（ＵＥ：user equipment）のための通信を各々サポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。加えて、一部のシステムは、アップリンク通信とダウンリンク通信の両方のために単一のキャリアが使用される時分割複信（ＴＤＤ：time-division duplex）を使用して動作することがあり、一部のシステムは、アップリンク通信とダウンリンク通信とのために別々のキャリア周波数が使用される周波数分割複信（ＦＤＤ：frequency-division duplex）を使用して動作することがある。
【０００５】
[0005]  ワイヤレス通信ネットワークがより混雑するようになっているので、通信事業者は容量を増大させるための方法を模索している。様々な手法は、トラフィックおよび／またはシグナリング（signaling）の一部をオフロードするために、スモールセル、免許不要スペクトル（unlicensed spectrum）、またはワイヤレスローカルエリアネットワーク（ＷＬＡＮ）を使用することを含み得る。容量を増大させるための手法の多くは、あるセルにおける、または隣接/近隣セル（adjacent/neighboring cell）における同時の通信との干渉を引き起こし得る。たとえば、あるセル中のＵＥは、近隣セル中の基地局がＵＥからのアップリンク通信と干渉し得る信号強度でダウンリンク送信を送信している可能性がある間に、アップリンク通信を送信している可能性がある。他の例では、干渉は、隣接する周波数帯域で動作する無線から生じ得る。ワイヤレス通信ネットワークを通じたデータレート（data rate）の向上を実現するために、ＵＥまたは基地局においてそのような干渉を低減するのが有益であり得る。
【発明の概要】
【０００６】
[0006]  ワイヤレス通信システムにおける階層的変調（hierarchical modulation）および干渉除去（interference cancellation）のための方法、システム、およびデバイスが説明される。基本変調レイヤ（base modulation layer）と、基本変調レイヤ上で変調される増強変調レイヤ（enhancement modulation layer）の両方において通信を提供することができ、したがって同じまたは異なるユーザ機器（ＵＥ）に提供され得る同時のデータストリームを提供する、様々な展開シナリオがサポートされ得る。例において、セル内から受信される干渉信号（interfering signal）を補償し、他のセルから受信される干渉信号を補償し、および／または、隣接するワイヤレス通信ネットワークにおいて動作し得る他の無線から受信される干渉信号を補償するための、様々な干渉低減（interference mitigation）技法が実装（implement）され得る。
【０００７】
[0007]  いくつかの例では、階層的変調を通じて、同時の非直交ワイヤレス通信データストリーム（concurrent non-orthogonal wireless communications data stream）が基地局からＵＥに提供され得る。あるコンテンツが基本変調レイヤ上での送信のために選択されてよく、異なるコンテンツが増強変調レイヤ上での送信のために選択されてよい。基本変調レイヤコンテンツは基本変調レイヤ上に変調されてよく、次いで、増強レイヤコンテンツ（enhancement layer content）は、基本変調レイヤに重畳（superposition）される増強変調レイヤ上に変調され、１つまたは複数のＵＥに送信されてよい。基本変調レイヤと増強変調レイヤの両方を受信するＵＥは、基本変調レイヤ上で受信されるコンテンツを復号し、基本変調レイヤの信号を打ち消すために干渉除去を実行することができる。ＵＥは次いで、増強変調レイヤ上で受信されるコンテンツを復号することができる。
【０００８】
[0008]  いくつかの例では、基本変調レイヤは、送信成功の可能性がより高い送信をサポートすることができ、基本変調レイヤは、誤り閾値（error threshold）が比較的低いコンテンツを送信するために使用され得る。いくつかの例では、増強変調レイヤは、送信成功の可能性が比較的低い送信をサポートすることができ、誤り閾値が比較的高いコンテンツの送信のために使用され得る。
【０００９】
[0009]  様々な例によれば、ＵＥおよび基地局は、受信された信号に対して様々なタイプの干渉低減（interference mitigation）を実行することができる。そのような干渉低減は、ＵＥおよび基地局と関連付けられるサービングセル（serving cell）内から生成される信号（セル内干渉（intra-cell interference））、サービングセルの近隣セルから生成される信号（セル間干渉（inter-cell interference））、および／または、サービングセルおいて同じ通信チャネルで異なる通信プロトコルに従って動作する送信機、もしくは隣接通信チャネル（adjacent communication channel）中の送信機からの信号（無線間干渉（inter radio interference））に対して実行され得る。
【００１０】
[0010]  本開示の第１の態様によれば、階層的コンテンツ（hierarchical content）を送信するための方法は、送信のために第１のコンテンツを特定（identify）することと、第１のコンテンツは第１の誤り率の閾値（error rate threshold）と関連付けられる、送信のために第２のコンテンツを特定することと、第２のコンテンツは第１の誤り率の閾値よりも高い第２の誤り率の閾値と関連付けられる、基本変調レイヤ上に第１のコンテンツを変調することと、増強変調レイヤ上に第２のコンテンツを変調することと、増強変調レイヤを基本変調レイヤに重畳することと、重畳された基本変調レイヤと増強変調レイヤとを送信することとを含み得る。いくつかの例では、第１の誤り率の閾値および第２の誤り率の閾値は、第１のコンテンツおよび第２のコンテンツに含まれる情報のタイプに基づき得る。第１のコンテンツはたとえば、高優先度のコンテンツ（high priority content）を含んでよく、第２のコンテンツはたとえば、低優先度のコンテンツ（lower priority content）を含んでよい。第１のコンテンツおよび第２のコンテンツは、同じＵＥに送信されてよく、または異なるＵＥに送信されてよい。
【００１１】
[0011]  いくつかの例によれば、第１のコンテンツは、第１のコンテンツを受信するように構成される、ＵＥのための制御情報（control information）を含み得る。そのような制御情報は、たとえば、スケジューリンググラント情報（scheduling grant information）、肯定応答情報（acknowledgment information）、またはシグナリング情報（signaling information）の１つまたは複数を含み得る。いくつかの例では、制御情報を受信するように構成されるＵＥは、制御情報の受信の肯定応答（acknowledgment）を送信しなくてよい。いくつかの例では、第２のコンテンツはユーザデータ（user data）を含んでよく、ユーザデータを受信するように構成されるＵＥはユーザデータの受信の肯定応答を送信してよい。制御情報は、たとえば、基本変調レイヤ上で物理ダウンリンク制御チャネル（ＰＤＣＣＨ：physical downlink control channel）を使用して送信されてよく、ユーザデータは、増強変調レイヤ上で物理ダウンリンク共有チャネル（ＰＤＳＣＨ：physical downlink shared channel）を使用して送信されてよい。いくつかの例では、基本変調レイヤおよび増強変調レイヤは、同じ変調方式（modulation scheme）を有してよく、または異なる変調方式を有してよい。基本変調レイヤと増強変調レイヤの各々のための変調方式は、たとえば、四位相偏移変調（ＱＰＳＫ：quadrature phase shift keying）方式、二位相偏移変調（ＢＰＳＫ：binary phase shift keying）方式、または直角位相振幅変調（ＱＡＭ：quadrature amplitude modulation）方式を含み得る。
【００１２】
[0012]  いくつかの例では、第１のコンテンツは、第１のＵＥのためのレイテンシに対する感受性が高いユニキャストデータ（latency sensitive unicast data）を含んでよく、第２のコンテンツは、第１のＵＥまたは異なるＵＥのためのベストエフォートユニキャストデータ（best effort unicast data）を含んでよい。レイテンシに対する感受性が高いユニキャストデータは、基本変調レイヤ上でＰＤＳＣＨを使用して送信されてよく、ベストエフォートユニキャストデータは、増強変調レイヤ上でＰＤＳＣＨを使用して送信されてよい。いくつかの例では、第１のコンテンツはブロードキャストデータ（broadcast data）を含んでよく、第２のコンテンツは特定のＵＥのためのユニキャストデータ（unicast data）を含んでよい。他の例では、第１のコンテンツはユニキャストデータを含んでよく、第２のコンテンツはブロードキャストデータを含んでよい。ブロードキャストデータは、基本変調レイヤ上で物理マルチキャストチャネル（ＰＭＣＨ：physical multicast channel）を使用して送信されてよく、ユニキャストデータは、増強変調レイヤ上でＰＤＳＣＨを使用して送信されてよい。いくつかの例では、ブロードキャストデータを受信するように構成されるＵＥは、ブロードキャストデータの受信の肯定応答を送信しなくてよく、ユニキャストデータを受信するように構成される特定のＵＥは、ユニキャストデータの受信の肯定応答を送信してよい。
【００１３】
[0013]  さらなる例では、方法はまた、基本変調レイヤおよび増強変調レイヤの送信のために使用されるべきチャネルのためのチャネル状態情報（ＣＳＩ：channel state information）を決定することと、ＣＳＩに基づいて基本変調レイヤと増強変調レイヤとの間で送信エネルギー比（transmission energy ratio）を計算することとを含み得る。ＣＳＩを決定することおよび送信エネルギー比を計算することは、複数の伝送時間間隔（ＴＴＩ：transmission time interval）の各々に対して実行され得る。
【００１４】
[0014]  加えて、または代替的に、方法はまた、基本変調レイヤと増強変調レイヤの各々の送信に利用可能な空間レイヤ（spatial layer）の数を決定することと、決定された空間レイヤ上で、重畳された基本変調レイヤと増強変調レイヤとを送信することとを含み得る。空間レイヤの数を決定することは、たとえば、少なくとも１つのＵＥからのランクインジケータ（ＲＩ：rank indicator）に基づき得る。
【００１５】
[0015]  方法はまた、いくつかの例では、複数のＵＥのためのＣＳＩを決定することと、複数のＵＥの各々のためのＣＳＩに基づいて、複数のＵＥのうちのどちらが基本変調レイヤまたは増強変調レイヤの１つまたは複数を受信すべきかを命令することとを含み得る。いくつかの例では、重畳された基本レイヤと増強変調レイヤとを送信することは、決定されたＣＳＩに基づいてより低いチャネル品質（channel quality）を有すると決定された１つまたは複数のＵＥに基本変調レイヤを送信することと、決定されたＣＳＩに基づいてより高いチャネル品質を有すると決定された１つまたは複数のＵＥに増強変調レイヤを送信することとを含み得る。
【００１６】
[0016]  いくつかの例によれば、方法はまた、重畳された基本変調レイヤと増強変調レイヤとを受信すべき少なくとも１つのＵＥにシグナリング情報を送信することを含み得る。シグナリング情報は、たとえば、基本変調レイヤと増強変調レイヤとの送信エネルギー比、基本変調レイヤおよび増強変調レイヤのためのトランスポートブロックサイズ（transport block size）、または、基本変調レイヤおよび増強変調レイヤのための変調とコーディングの方式（modulation and coding scheme）の、１つまたは複数を含み得る。いくつかの例では、シグナリング情報は、基本変調レイヤまたは増強変調レイヤの１つまたは複数の上でのＵＥのためのダウンリンクリソース（downlink resource）を示す、ＵＥのためのダウンリンクグラント（downlink grant）を含み得る。そのようなダウンリンクグラントは、たとえば、基本変調レイヤもしく増強変調レイヤの１つまたは複数の上でＵＥに送信されるデータのリソースブロック位置（resource block location）、基本変調レイヤもしくは増強変調レイヤの１つまたは複数の上でＵＥに送信されるデータの変調とコーディングの方式（ＭＣＳ：modulation and coding scheme）、基本変調レイヤもしくは増強変調レイヤの１つまたは複数の上で送信するために使用されるプリコーディング行列（precoding matrix）、基本変調レイヤもしくは増強変調レイヤの１つまたは複数のためのレイヤマッピング（layer mapping）、基本変調レイヤもしく増強変調レイヤの１つまたは複数のためのコードブロックサイズ（code block size）、または、基本変調レイヤもしく増強変調レイヤの１つまたは複数のための空間レイヤの数の、１つまたは複数を示し得る。
【００１７】
[0017]  いくつかの例では、ダウンリンクグラントは、基本変調レイヤもしくは増強変調レイヤの各々のための情報を含む単一のダウンリンクグラントであってよく、または、２つ以上のＵＥのための２つ以上のダウンリンクグラントを含んでよく、各ダウンリンクグラントは、基本変調レイヤまたは増強変調レイヤに対応する。いくつかの例では、各ダウンリンクグラントは、基本変調レイヤまたは増強変調レイヤの指示（indication）と、指示された基本変調レイヤまたは増強変調レイヤのダウンリンクリソースとを含み得る。基本変調レイヤまたは増強変調レイヤのそのような指示は、ダウンリンクグラントに埋め込まれる１つまたは複数のビットを含んでよく、または、ダウンリンクリソースが基本変調レイヤまたは増強変調レイヤのためのものであることを示すために、ＵＥのためのセル無線ネットワーク一時識別子（Ｃ−ＲＮＴＩ：cell radio network temporary identifier）によってマスクされる巡回冗長検査（ＣＲＣ：cyclic redundancy check）を含んでよい。いくつかの例によれば、基本変調レイヤのためのＣ−ＲＮＴＩは、ＵＥのための主要セル無線ネットワーク一時識別子（ＰＣ−ＲＮＴＩ：primary cell radio network temporary identifier）を含んでよく、増強変調レイヤのためのＣ−ＲＮＴＩは、ＵＥのための二次的セル無線ネットワーク一時識別子（ＳＣ−ＲＮＴＩ：secondary cell radio network temporary identifier）を含んでよい。
【００１８】
[0018]  いくつかの例では、シグナリング情報は、たとえば、基本変調レイヤと増強変調レイヤとのエネルギー比（energy ratio）、基本変調レイヤのための変調方式、増強変調レイヤのための変調方式、基本変調レイヤのためのリソースブロックサイズ（resource block size）、または増強変調レイヤのためのリソースブロックサイズの１つまたは複数を含み得る、無線リソース制御（ＲＲＣ：radio resource control）シグナリングを含み得る。シグナリング情報は、いくつかの例では、物理制御フォーマットインジケータチャネル（ＰＣＦＩＣＨ：physical control format indicator channel）を使用して提供され得る。いくつかの例では、シグナリング情報は、基本変調レイヤおよび増強変調レイヤの各々のために独立の制御情報を含み得る。
【００１９】
[0019]  本開示の第２の態様によれば、ワイヤレス通信のための方法は、基本変調レイヤに重畳される増強変調レイヤを備える信号を受信することと、基本変調レイヤからの干渉を低減するために受信された信号に対して干渉低減を実行することによって、データが増強変調レイヤから復号されるべき可能性があると決定することと、増強変調レイヤを復号することとを含み得る。決定することは、いくつかの例では、増強変調レイヤからデータが復号されるべきである可能性があることを示す制御シグナリング（control signaling）を、サービング基地局（serving base station）から受信することを含み得る。そのような制御シグナリングは、増強変調レイヤにおいて復号されるべきリソースを示すダウンリンクグラントを含んでよく、干渉低減を実行する際に使用するための基本変調レイヤの信号特性（signal characteristics）を含んでよい。制御シグナリングは、たとえば、基本変調レイヤにおいて提供され得る。
【００２０】
[0020]  いくつかの例によれば、干渉低減を実行することは、基本変調レイヤからの干渉を低減するために、受信された信号に対して線形（linear）最小平均二乗誤差（ＭＭＳＥ：minimum mean square error）の抑制（suppression）を実行すること、基本変調レイヤからの干渉を低減するために、受信された信号に対してＱＲ分解ベースの球面復号（ＱＲ−ＳＤ：QR decomposition based sphere decoding）を実行すること、または、基本変調レイヤからの干渉を低減するために、受信された信号に対して連続的干渉除去（ＳＩＣ：successive interference cancellation）を実行すること、のうちの１つまたは複数を含み得る。
【００２１】
[0021]  本開示の第３の態様によれば、階層的コンテンツを送信するための方法は、階層的変調リソースを特定するリソースグラント（resource grant）を受信することと、階層的変調リソースは基本変調レイヤと増強変調レイヤとを備え、基本変調レイヤは増強変調レイヤよりも低い誤り率の閾値を有する、基本変調レイヤ上での送信のために第１のコンテンツを特定することと、増強変調レイヤ上での送信のために第２のコンテンツを特定することと、増強変調レイヤを基本変調レイヤに重畳することと、重畳された基本変調レイヤと増強変調レイヤとを送信することとを含み得る。
【００２２】
[0022]  いくつかの例では、基本変調レイヤは物理アップリンク制御チャネル（ＰＵＣＣＨ：physical uplink control channel）を含んでよく、増強変調レイヤは物理アップリンク共有チャネル（ＰＵＳＣＨ：physical uplink shared channel）を含んでよい。いくつかの例では、基本変調レイヤと増強変調レイヤの両方がＰＵＳＣＨを含み得る。さらなる例では、第１のコンテンツは高優先度のコンテンツを含んでよく、第２のコンテンツは低優先度のコンテンツを含んでよい。
【００２３】
[0023]  いくつかの例によれば、リソースグラントを受信することは、基本変調レイヤと増強変調レイヤの両方のための階層的変調リソースを示す単一のアップリンクグラント（uplink grant）を基地局から受信することを含み得る。アップリンクグラントは、たとえば、基本変調レイヤと増強変調レイヤとのエネルギー比（energy ratio）、レイヤマッピング情報、コードブロックサイズ、または、基本変調レイヤと増強変調レイヤの各々の中の空間レイヤの数の１つまたは複数を含み得る。いくつかの例では、アップリンクグラントはまた、基本変調レイヤと増強変調レイヤの各々の送信のための空間レイヤの数を示し得る。基本変調レイヤおよび増強変調レイヤは同じ変調方式を有してよく、または、基本変調レイヤおよび増強変調レイヤは異なる変調方式を有してよい。基本変調レイヤと増強変調レイヤの各々のための変調方式は、ＱＰＳＫ変調方式、ＢＰＳＫ変調方式、またはＱＡＭ変調方式を含み得る。
【００２４】
[0024]  いくつかの例では、リソースグラントを受信することは、基本変調レイヤのための階層的変調リソースを示す第１のアップリンクグラントを基地局から受信することと、増強変調レイヤのための階層的変調リソースを示す第２のアップリンクグラントを基地局から受信することとを含み得る。第１のアップリンクグラントと第２のアップリンクグラントの各々は、たとえば、対応する変調レイヤ内の空間レイヤの数を示す空間情報（spatial information）、および／または、基本変調レイヤもしくは増強変調レイヤの指示と、指示された基本変調レイヤもしくは増強変調レイヤのアップリンクリソース（uplink resource）とを含み得る。基本変調レイヤまたは増強変調レイヤの指示は、アップリンクグラントに埋め込まれる１つまたは複数のビット、たとえば、アップリンクリソースが基本変調レイヤまたは増強変調レイヤのためのものであることを示すための、ＵＥのためのＣ−ＲＮＴＩによってマスクされるＣＲＣなどを含んでよい。基本変調レイヤのためのＣ−ＲＮＴＩは、ＵＥのためのＰＣ−ＲＮＴＩを含んでよく、増強変調レイヤのためのＣ−ＲＮＴＩは、ＵＥのためのＳＣ−ＲＮＴＩを含んでよい。
【００２５】
[0025]  いくつかの例では、方法はまた、基本変調レイヤと増強変調レイヤとの送信エネルギー比、基本変調レイヤおよび増強変調レイヤのためのトランスポートブロックサイズ、または、基本変調レイヤおよび増強変調レイヤのための変調とコーディングの方式の、１つまたは複数を含み得る、シグナリング情報を受信することを含み得る。シグナリング情報は、たとえば、ＲＲＣシグナリングにおいて、および／またはリソースグラントにおいて受信され得る。いくつかの例では、シグナリング情報はＰＣＦＩＣＨ上で受信され得る。さらなる例では、シグナリング情報は、基本変調レイヤおよび増強変調レイヤの各々のために独立の制御情報を含み得る。他の例では、第１のコンテンツは、ＰＵＣＣＨ上で送信される制御情報を含み得る。
【００２６】
[0026]  いくつかの例では、制御情報は、ダウンリンクデータの肯定応答、ＣＳＩ、ランクインジケータ（ＲＩ）、またはスケジューリング要求（ＳＲ：scheduling request）の１つまたは複数を含み得る。制御情報はさらに、たとえば、増強変調レイヤと関連付けられるアップリンク情報（uplink information）を含み得る。増強変調レイヤと関連付けられるアップリンク情報は、増強変調レイヤと関連付けられるデータレートを含み得る。
【００２７】
[0027]  本開示の第４の態様によれば、ＵＥにおけるワイヤレス通信のための方法は、近隣セルＵＥ（neighboring cell UE）から送信される信号の伝送特性情報（transmission characteristic information）を決定することと、決定された伝送特性情報に基づいてサービングセル基地局（serving cell base station）から受信された信号に対して干渉低減を実行することとを含み得る。近隣セルＵＥから送信される信号は、たとえば、サービングセル基地局によって使用される時分割複信（ＴＤＤ）アップリンク／ダウンリンク（ＵＬ／ＤＬ）構成とは異なるＴＤＤ  ＵＬ／ＤＬ構成に従って近隣セルＵＥから近隣セル基地局（neighboring cell base station）に送信されるアップリンクサブフレーム（uplink subframe）を含み得る。近隣セルＵＥによって使用されるＴＤＤ  ＵＬ／ＤＬ構成は、たとえばサービングセル基地局から送信されるダウンリンクサブフレーム（downlink subframe）の間に、近隣セルＵＥから近隣セル基地局に送信される少なくとも１つのアップリンクサブフレームを含み得る。いくつかの例では、近隣セルＵＥから送信される信号は、別の近隣セルノード（neighboring cell node）への少なくとも１つのデバイス対デバイス（Ｄ２Ｄ：device-to-device）の送信を含み得る。そのようなＤ２Ｄ送信は、たとえばサービングセル基地局から送信されるダウンリンクサブフレームの間に、近隣セルＵＥから送信され得る。
【００２８】
[0028]  いくつかの例では、伝送特性情報を決定することは、近隣セルＵＥからの送信を監視することと、近隣セルＵＥからの送信を監視する間に受信された送信に基づいて伝送特性情報を決定することとを含み得る。伝送特性情報は、たとえば、変調次数（modulation order）、空間レイヤの数、またはプリコーディング情報（precoding information）の１つまたは複数を含み得る。
【００２９】
[0029]  いくつかの例では、伝送特性情報を決定することは、近隣セル基地局からの送信を監視することと、近隣セルＵＥからのアップリンク送信のためのアップリンクグラント情報に基づいて伝送特性情報を決定することとを含んでよく、アップリンクグラント情報は、近隣セル基地局からの送信を監視する間に受信される。近隣セル基地局からの送信を監視することは、たとえば、近隣セル基地局のＰＤＣＣＨを監視することと、近隣セルＵＥのためのアップリンクグラントを復号することと、復号されたアップリンクグラントに基づいて、近隣セルＵＥから送信される信号の伝送特性情報を決定することとを含み得る。いくつかの例では、伝送特性情報を決定することは、サービングセル基地局から伝送特性情報を受信することを含み得る。サービングセル基地局は、たとえば、近隣セル基地局とのＸ２通信リンク（X2 communications link）を通じて、または、サービングセル基地局および近隣セル基地局と通信している中央スケジューラ（central scheduler）から、伝送特性情報を受信することができる。
【００３０】
[0030]  本開示の第５の態様によれば、サービングセル基地局におけるワイヤレス通信のための方法は、近隣セル基地局から送信される信号の第１の伝送特性情報を決定することと、近隣セルＵＥから送信される信号の第２の伝送特性情報を決定することと、決定された第１の伝送特性情報および第２の伝送特性情報に基づいて、サービングセル基地局と関連付けられるＵＥから受信される信号に対して干渉低減を実行することとを含み得る。いくつかの例では、近隣セル基地局から送信される信号は、サービングセル基地局によって使用されるＴＤＤ  ＵＬ／ＤＬ構成とは異なるＴＤＤ  ＵＬ／ＤＬ構成に従って、近隣セル基地局から近隣セルＵＥに送信されるダウンリンクサブフレームを含み得る。近隣セル基地局によって使用されるＴＤＤ  ＵＬ／ＤＬ構成は、たとえば、サービングセルＵＥから送信されるアップリンクサブフレームの間に、近隣セル基地局から近隣セルＵＥに送信される少なくとも１つのダウンリンクサブフレームを含み得る。いくつかの例では、近隣セルＵＥから送信される信号は、サービングセル基地局と関連付けられるＵＥからのアップリンクサブフレーム送信（uplink subframe transmission）の間の、アップリンク制御チャネル送信（uplink control channel transmission）またはアップリンクデータチャネル送信（uplink data channel transmission）の１つまたは複数を含み得る。
【００３１】
[0031]  いくつかの例では、方法はまた、近隣セル基地局または近隣セルＵＥのどちらが、サービングセル基地局と関連付けられるＵＥからのアップリンクサブフレーム送信の間に送信している可能性があるかを決定することを含んでよく、干渉低減を実行することは、サービングセルと関連付けられるＵＥからのアップリンクサブフレーム送信の間に近隣セル基地局と近隣セルＵＥのどちらが送信している可能性があるかに基づき得る。
【００３２】
[0032]  いくつかの例では、近隣セルＵＥから送信される信号の第２の伝送特性情報を決定することは、近隣セルＵＥからの送信を監視することと、近隣セルＵＥからの送信を監視する間に受信される送信に基づいて、近隣セルＵＥから送信される信号の第２の伝送特性情報を決定することとを含み得る。近隣セルＵＥから送信される信号の第２の伝送特性情報は、たとえば、変調次数、空間レイヤの数、またはプリコーディング情報の１つまたは複数を含み得る。いくつかの例では、近隣セルＵＥから送信される信号の第２の伝送特性情報を決定することは、近隣セル基地局からの送信を監視することと、近隣セル基地局からの送信を監視する間に受信される送信に基づいて、近隣セルＵＥからのアップリンク送信のためのアップリンクグラント情報を決定することとを含み得る。
【００３３】
[0033]  近隣セル基地局からの送信を監視することは、たとえば、近隣セル基地局のＰＤＣＣＨを監視することと、近隣セル基地局からの送信を監視する間に受信される送信に基づいて、近隣セル基地局からのダウンリンク送信のためのダウンリンク伝送特性情報を決定することとを含み得る。いくつかの例では、近隣セル基地局から送信される信号の第１の伝送特性情報を決定すること、および、近隣セルＵＥから送信される信号の第２の伝送特性情報を決定することは、近隣セル基地局とのＸ２通信リンクを通じて、または、サービングセル基地局および近隣セル基地局と通信している中央スケジューラから、第１の伝送特性情報と第２の伝送特性情報とを受信することを含み得る。
【００３４】
[0034]  本開示の第６の態様によれば、受信ノード（receiving node）におけるワイヤレス通信のための方法は、送信ノード（transmitting node）からワイヤレス送信を受信するための第１のワイヤレス通信チャネル（wireless communications channel）を確立することと、第１のワイヤレス通信チャネルとは異なる第２のワイヤレス通信チャネルの伝送チャネル情報（transmission channel information）を決定することと、第２のワイヤレス通信チャネルの伝送チャネル情報に基づいて、送信ノードから第１のワイヤレス通信チャネル上で受信される信号に対して干渉低減を実行することとを含み得る。いくつかの例では、第２のワイヤレス通信チャネルの伝送チャネル情報を決定することは、第２のワイヤレス通信チャネル上でのワイヤレス送信の送信プリアンブル（transmission preamble）を復号することを含み得る。
【００３５】
[0035]  干渉低減を実行することは、いくつかの例では、復号された送信プリアンブルに基づいて第２のワイヤレス通信チャネルからの干渉を推定することと、推定された干渉（estimated interference）に基づいて第１のワイヤレス通信チャネル上で受信される信号に対して干渉除去を実行することとを含み得る。推定される干渉は、高周波（ＲＦ）非線形性（radio frequency (RF) nonlinearity）、第２のワイヤレス通信チャネルから第１のワイヤレス通信チャネルへともたらされる高調波（harmonics）、第２のワイヤレス通信チャネルからの相互変調歪み（ＩＭＤ：intermodulation distortion）、第２のワイヤレス通信チャネルからのチャネル漏洩（channel leakage）、または、第１のワイヤレス通信チャネルと第２のワイヤレス通信チャネルとの間の結合（coupling）の、１つまたは複数を含み得る。第２のワイヤレス通信チャネルの伝送チャネル情報は、いくつかの例では、第２のワイヤレス通信チャネルと第１のワイヤレス通信チャネルとの間の同一チャネル干渉（co-channel interference）を含み得る。いくつかの例では、第１のワイヤレス通信チャネルおよび第２のワイヤレス通信チャネルは、異なるワイヤレス送信プロトコル（wireless transmission protocol）に従って免許不要スペクトルにおいて動作するノードと関連付けられる。
【００３６】
[0036]  いくつかの例では、第１のワイヤレス通信チャネルは、Ｌｏｎｇ  Ｔｅｒｍ  Ｅｖｏｌｕｔｉｏｎ  （ＬＴＥ（登録商標））プロトコルに従って免許不要スペクトルにおいて動作するノードと関連付けられることがあり、第２のワイヤレス通信チャネルは、ＩＥＥＥ  ８０２．１１プロトコルに従って免許不要スペクトルにおいて動作する異なるノードと関連付けられることがある。他の例では、第１のワイヤレス通信チャネルは、ＩＥＥＥ  ８０２．１１プロトコルに従って免許不要スペクトルにおいて動作するノードと関連付けられることがあり、第２のワイヤレス通信チャネルは、ＬＴＥプロトコルに従って免許不要スペクトルにおいて動作する異なるノードと関連付けられることがある。さらなる例では、第２のワイヤレス通信チャネルは、第１のワイヤレス通信チャネルの隣接チャネル（adjacent channel）であることがあり、隣接チャネルからの漏洩（leakage）は、第１のワイヤレス通信チャネルの信号との干渉を引き起こし得る。隣接チャネルからのそのような漏洩は、第１のワイヤレス通信チャネルの信号との干渉を引き起こすことがあり、干渉低減を実行することは、第２のワイヤレス通信チャネルの伝送チャネル情報に基づいて、第１のワイヤレス通信チャネル上で受信される信号に対して干渉除去を実行することを含み得る。
【００３７】
[0037]  いくつかの例では、送信ノードは、たとえば、ＬＴＥプロトコルに従って動作する基地局もしくはＵＥであってよく、または、ＩＥＥＥ  ８０２．１１プロトコルに従って動作するアクセスポイントもしくは局であってよい。
【００３８】
[0038]  本開示の第７の態様によれば、階層的コンテンツを送信するための装置は、プロセッサと、プロセッサと電子通信しているメモリと、メモリに記憶された命令とを含み得る。命令は、送信のために第１のコンテンツを特定し、第１のコンテンツは第１の誤り率の閾値と関連付けられる、送信のために第２のコンテンツを特定し、第２のコンテンツは第１の誤り率の閾値よりも高い可能性のある第２の誤り率の閾値と関連付けられる、基本変調レイヤ上に第１のコンテンツを変調し、増強変調レイヤ上に第２のコンテンツを変調し、増強変調レイヤを基本変調レイヤに重畳し、重畳された基本変調レイヤと増強変調レイヤとを送信するように、プロセッサによって実行可能であり得る。いくつかの例では、装置は、上で説明された本開示の第１の態様の１つまたは複数の態様を実装し得る。
【００３９】
[0039]  本開示の第８の態様によれば、ワイヤレス通信のための装置は、プロセッサと、プロセッサと電子通信しているメモリと、メモリに記憶された命令とを含み得る。命令は、基本変調レイヤに重畳される増強変調レイヤを備える信号を受信し、基本変調レイヤからの干渉を低減するために受信された信号に対して干渉低減を実行することによって、データが増強変調レイヤから復号されるべき可能性があると決定し、増強変調レイヤを復号するように、プロセッサによって実行可能である。いくつかの例では、装置は、上で説明された本開示の第２の態様の１つまたは複数の態様を実装し得る。
【００４０】
[0040]  本開示の第９の態様によれば、階層的コンテンツを送信するための装置は、プロセッサと、プロセッサと電子通信しているメモリと、メモリに記憶された命令とを含み得る。命令は、階層的変調リソースを特定するリソースグラントを受信し、階層的変調リソースは基本変調レイヤと増強変調レイヤとを備え、基本変調レイヤは増強変調レイヤよりも低い誤り率の閾値を有する、基本変調レイヤ上での送信のために第１のコンテンツを特定し、増強変調レイヤ上での送信のために第２のコンテンツを特定し、増強変調レイヤを基本変調レイヤに重畳し、重畳された基本変調レイヤと増強変調レイヤとを送信するように、プロセッサによって実行可能であり得る。いくつかの例では、装置は、上で説明された本開示の第３の態様の１つまたは複数の態様を実装し得る。
【００４１】
[0041]  本開示の第１０の態様によれば、ユーザ機器におけるワイヤレス通信のための装置は、プロセッサと、プロセッサと電子通信しているメモリと、メモリに記憶された命令とを含み得る。命令は、近隣セルＵＥから送信される信号の伝送特性情報を決定し、決定された伝送特性情報に基づいてサービングセル基地局から受信された信号に対して干渉低減を実行するように、プロセッサによって実行可能であり得る。いくつかの例では、装置は、上で説明された本開示の第４の態様の１つまたは複数の態様を実装し得る。
【００４２】
[0042]  本開示の第１１の態様によれば、サービングセル基地局におけるワイヤレス通信のための装置は、プロセッサと、プロセッサと電子通信しているメモリと、メモリに記憶された命令とを含み得る。命令は、近隣セル基地局から送信される信号の第１の伝送特性情報を決定し、近隣セルＵＥから送信される信号の第２の伝送特性情報を決定し、決定された第１の伝送特性情報および第２の伝送特性情報に基づいて、サービングセルＵＥから受信される信号に対して干渉除去を実行するように、プロセッサによって実行可能であり得る。いくつかの例では、装置は、上で説明された本開示の第５の態様の１つまたは複数の態様を実装し得る。
【００４３】
[0043]  本開示の第１２の態様によれば、受信ノードにおけるワイヤレス通信のための装置は、プロセッサと、プロセッサと電子通信しているメモリと、メモリに記憶された命令とを含み得る。命令は、送信ノードからワイヤレス送信を受信するための第１のワイヤレス通信チャネルを確立し、第１のワイヤレス通信チャネルとは異なる第２のワイヤレス通信チャネルの伝送チャネル情報を決定し、第２のワイヤレス通信チャネルの伝送チャネル情報に基づいて、送信ノードから第１のワイヤレス通信チャネル上で受信される信号に対して干渉低減を実行するように、プロセッサによって実行可能であり得る。いくつかの例では、装置は、上で説明された本開示の第６の態様の１つまたは複数の態様を実装し得る。
【００４４】
[0044]  本開示の第１３の態様によれば、階層的コンテンツを送信するための装置は、送信のために第１のコンテンツを特定するための手段と、第１のコンテンツは第１の誤り率の閾値と関連付けられる、送信のために第２のコンテンツを特定するための手段と、第２のコンテンツは第１の誤り率の閾値よりも高い可能性のある第２の誤り率の閾値と関連付けられる、基本変調レイヤ上に第１のコンテンツを変調するための手段と、増強変調レイヤ上に第２のコンテンツを変調するための手段と、増強変調レイヤを基本変調レイヤに重畳するための手段と、重畳された基本変調レイヤと増強変調レイヤとを送信するための手段とを含み得る。いくつかの例では、装置は、上で説明された本開示の第１の態様の１つまたは複数の態様を実装し得る。
【００４５】
[0045]  本開示の第１４の態様によれば、ワイヤレス通信のための装置は、基本変調レイヤに重畳される増強変調レイヤを備える信号を受信するための手段と、基本変調レイヤからの干渉を低減するために、受信された信号に対して干渉低減を実行することによって、データが増強変調レイヤから復号されるべき可能性があると決定するための手段と、増強変調レイヤを復号するための手段とを含み得る。いくつかの例では、装置は、上で説明された本開示の第２の態様の１つまたは複数の態様を実装し得る。
【００４６】
[0046]  本開示の第１５の態様によれば、階層的コンテンツを送信するための装置は、階層的変調リソースを特定するリソースグラントを受信するための手段と、階層的変調リソースは基本変調レイヤと増強変調レイヤとを備え、基本変調レイヤは増強変調レイヤよりも低い誤り率の閾値を有する、基本変調レイヤ上での送信のために第１のコンテンツを特定するための手段と、増強変調レイヤ上での送信のために第２のコンテンツを特定するための手段と、増強変調レイヤを基本変調レイヤに重畳するための手段と、重畳された基本変調レイヤと増強変調レイヤとを送信するための手段とを含み得る。いくつかの例では、装置は、上で説明された本開示の第３の態様の１つまたは複数の態様を実装し得る。
【００４７】
[0047]  本開示の第１６の態様によれば、ワイヤレス通信のための装置は、近隣セルＵＥから送信される信号の伝送特性情報を決定するための手段と、決定された伝送特性情報に基づいてサービングセル基地局から受信された信号に対して干渉除去を実行するための手段とを含み得る。いくつかの例では、装置は、上で説明された本開示の第４の態様の１つまたは複数の態様を実装し得る。
【００４８】
[0048]  本開示の第１７の態様によれば、ワイヤレス通信のための装置は、近隣セル基地局から送信される信号の第１の伝送特性情報を決定するための手段と、近隣セルＵＥから送信される信号の第２の伝送特性情報を決定するための手段と、決定された第１の伝送特性情報および第２の伝送特性情報に基づいて、サービングセルＵＥから受信される信号に対して干渉除去を実行するための手段とを含み得る。いくつかの例では、装置は、上で説明された本開示の第５の態様の１つまたは複数の態様を実装し得る。
【００４９】
[0049]  本開示の第１８の態様によれば、ワイヤレス通信のための装置は、送信ノードからワイヤレス送信を受信するための第１のワイヤレス通信チャネルを確立するための手段と、第１のワイヤレス通信チャネルとは異なる第２のワイヤレス通信チャネルの伝送チャネル情報を決定するための手段と、第２のワイヤレス通信チャネルの伝送チャネル情報に基づいて、送信ノードから第１のワイヤレス通信チャネル上で受信される信号に対して干渉低減を実行するための手段とを含み得る。いくつかの例では、装置は、上で説明された本開示の第６の態様の１つまたは複数の態様を実装し得る。
【００５０】
[0050]  本開示の第１９の態様によれば、ワイヤレス通信のためのコンピュータ実行可能コードを記憶する非一時的コンピュータ可読媒体が説明される。一構成では、コードは、送信のために第１のコンテンツを特定し、第１のコンテンツは第１の誤り率の閾値と関連付けられる、送信のために第２のコンテンツを特定し、第２のコンテンツは第１の誤り率の閾値よりも高い可能性のある第２の誤り率の閾値と関連付けられる、基本変調レイヤ上に第１のコンテンツを変調し、増強変調レイヤ上に第２のコンテンツを変調し、増強変調レイヤを基本変調レイヤに重畳し、重畳された基本変調レイヤと増強変調レイヤとを送信するように、プロセッサによって実行可能であり得る。いくつかの例では、非一時的コンピュータ可読媒体は、上で説明された本開示の第１の態様の１つまたは複数の態様を実装し得る。
【００５１】
[0051]  本開示の第２０の態様によれば、ワイヤレス通信のためのコンピュータ実行可能コードを記憶する非一時的コンピュータ可読媒体が説明される。一構成では、コードは、基本変調レイヤに重畳される増強変調レイヤを備える信号を受信し、基本変調レイヤからの干渉を低減するために、受信された信号に対して干渉低減を実行することによって、データが増強変調レイヤから復号されるべき可能性があると決定し、増強変調レイヤを復号するように、プロセッサによって実行可能であり得る。いくつかの例では、非一時的コンピュータ可読媒体は、上で説明された本開示の第２の態様の１つまたは複数の態様を実装し得る。
【００５２】
[0052]  本開示の第２１の態様によれば、ワイヤレス通信のためのコンピュータ実行可能コードを記憶する非一時的コンピュータ可読媒体が説明される。一構成では、コードは、階層的変調リソースを特定するリソースグラントを受信し、階層的変調リソースは基本変調レイヤと増強変調レイヤとを備え、基本変調レイヤは増強変調レイヤよりも低い誤り率の閾値を有する、基本変調レイヤ上での送信のために第１のコンテンツを特定し、増強変調レイヤ上での送信のために第２のコンテンツを特定し、増強変調レイヤを基本変調レイヤに重畳し、重畳された基本変調レイヤと増強変調レイヤとを送信するように、プロセッサによって実行可能であり得る。いくつかの例では、非一時的コンピュータ可読媒体は、上で説明された本開示の第３の態様の１つまたは複数の態様を実装し得る。
【００５３】
[0053]  本開示の第２２の態様によれば、ワイヤレス通信のためのコンピュータ実行可能コードを記憶する非一時的コンピュータ可読媒体が説明される。一構成では、コードは、近隣セルＵＥから送信される信号の伝送特性情報を決定し、決定された伝送特性情報に基づいてサービングセル基地局から受信された信号に対して干渉低減を実行するように、プロセッサによって実行可能であり得る。いくつかの例では、非一時的コンピュータ可読媒体は、上で説明された本開示の第４の態様の１つまたは複数の態様を実装し得る。
【００５４】
[0054]  本開示の第２３の態様によれば、ワイヤレス通信のためのコンピュータ実行可能コードを記憶する非一時的コンピュータ可読媒体が説明される。一構成では、コードは、近隣セル基地局から送信される信号の伝送特性情報を決定し、近隣セルＵＥから送信される信号の伝送特性情報を決定し、決定された情報に基づいて、サービングセルＵＥから受信される信号に対して干渉除去を実行するように、プロセッサによって実行可能であり得る。いくつかの例では、非一時的コンピュータ可読媒体は、上で説明された本開示の第５の態様の１つまたは複数の態様を実装し得る。
【００５５】
[0055]  本開示の第２４の態様によれば、ワイヤレス通信のためのコンピュータ実行可能コードを記憶する非一時的コンピュータ可読媒体が説明される。一構成では、コードは、送信ノードからワイヤレス送信を受信するための第１のワイヤレス通信チャネルを確立し、第１のワイヤレス通信チャネルとは異なる第２のワイヤレス通信チャネルの伝送チャネル情報を決定し、第２のワイヤレス通信チャネルの伝送チャネル情報に基づいて、送信ノードから第１のワイヤレス通信チャネル上で受信される信号に対して干渉低減を実行するように、プロセッサによって実行可能であり得る。いくつかの例では、非一時的コンピュータ可読媒体は、上で説明された本開示の第６の態様の１つまたは複数の態様を実装し得る。
【００５６】
[0056]  説明される方法および装置の適用可能性のさらなる範囲は、以下の発明を実施するための形態、特許請求の範囲、および図面から明らかになろう。発明を実施するための形態の趣旨および範囲内の種々の変更および改変が当業者には明らかになるので、発明を実施するための形態および特定の例は、例示として与えられるにすぎない。
【００５７】
[0057]  本開示の性質および利点のより一層の理解は、以下の図面を参照することによって実現され得る。添付の図では、同様のコンポーネントまたは特徴は、同一の参照符号を有し得る。さらに、同一のタイプの様々なコンポーネントは、ダッシュによる参照符号と、類似するコンポーネントを区別する第２の符号とを後ろに続けることによって区別され得る。本明細書で第１の参照符号のみが使用される場合、説明は、第２の参照符号にかかわらず、同一の第１の参照符号を有する同様のコンポーネントの任意の１つに適用可能である。
【図面の簡単な説明】
【００５８】
【図１】[0058]  様々な例による、ワイヤレス通信システムの例を示す図。
【図２】[0059]  様々な例による、階層的変調と干渉除去環境とを示す図。
【図３】[0060]  様々な例による、基地局におけるコンテンツの階層的変調のための方法のフローチャート。
【図４】[0061]  様々な例による、階層的変調のために使用され得るデバイスのブロック図。
【図５】[0062]  様々な例による、基本レイヤ、増強レイヤ、および得られる送信に対する変調方式を示す図。
【図６】[0063]  階層的変調方式と、ｅｖｏｌｖｅｄ  ＮｏｄｅＢ（ｅＮＢ）によってサービスされ得る異なるユーザ機器（ＵＥ）において増強レイヤの復号に成功する可能性とを示す図。
【図７】[0064]  様々な例による、階層的変調環境を示す図。
【図８】[0065]  様々な例による、別の階層的変調環境を示す図。
【図９】[0066]  様々な例による、別の階層的変調環境を示す図。
【図１０】[0067]  様々な例による、階層的変調のために使用され得るデバイスのブロック図。
【図１１】[0068]  様々な例による、基地局におけるコンテンツの階層的変調のための方法のフローチャート。
【図１２】[0069]  様々な例による、基地局におけるコンテンツの階層的変調のための別の方法のフローチャート。
【図１３】[0070]  様々な例による、階層的変調および干渉除去のために使用され得るデバイスのブロック図。
【図１４】[0071]  様々な例による、ユーザ機器におけるコンテンツの階層的変調および干渉除去のための方法のフローチャート。
【図１５】[0072]  様々な例による、階層的変調および干渉除去のために使用され得るデバイスの別のブロック図。
【図１６】[0073]  様々な例による、ユーザ機器における階層的変調のために使用され得るデバイスのブロック図。
【図１７】[0074]  様々な例による、ユーザ機器におけるコンテンツの階層的変調のための方法のフローチャート。
【図１８】[0075]  様々な例による、階層的変調環境を示す図。
【図１９】[0076]  様々な例による、ユーザ機器における階層的変調のために使用され得るデバイスの別のブロック図。
【図２０Ａ】[0077]  様々な例による、基地局における階層的変調および干渉除去のために使用され得るデバイスのブロック図。
【図２０Ｂ】様々な例による、基地局における階層的変調および干渉除去のために使用され得るデバイスのブロック図。
【図２１】[0078]  様々な例による、基地局におけるコンテンツの階層的変調および干渉除去のための方法のフローチャート。
【図２２】[0079]  様々な例による、ワイヤレス通信システムと干渉除去環境とを示す図。
【図２３】[0080]様々な例による、ワイヤレス通信システムにおける時分割複信アップリンク／ダウンリンク構成を示す図。
【図２４】[0081]  様々な例による、セル間干渉低減のための方法のフローチャート。
【図２５】[0082]  様々な例による、ユーザ機器におけるセル間干渉低減のために使用され得るデバイスのブロック図。
【図２６】[0083]  様々な例による、セル間干渉低減のための方法の別のフローチャート。
【図２７】[0084]  様々な例による、ワイヤレス通信システムと干渉低減環境とを示す図。
【図２８】[0085]  様々な例による、セル間干渉低減のための方法の別のフローチャート。
【図２９】[0086]  様々な例による、セル間干渉低減のための方法の別のフローチャート。
【図３０】[0087]  様々な例による、ユーザ機器におけるセル間干渉低減のために使用され得るデバイスのブロック図。
【図３１】[0088]  様々な例による、別のワイヤレス通信システムと干渉低減環境とを示す図。
【図３２】[0089]  様々な例による、セル間干渉低減のための方法の別のフローチャート。
【図３３】[0090]  様々な例による、ユーザ機器におけるセル間干渉低減のために使用され得る別のデバイスのブロック図。
【図３４】[0091]  様々な例による、別のワイヤレス通信システムと干渉除去環境とを示す図。
【図３５】[0092]  様々な例による、ユーザ機器における無線間干渉除去のために使用され得るデバイスのブロック図。
【図３６】[0093]  様々な例による、無線間干渉除去のための方法のフローチャート。
【図３７】[0094]  様々な例による、無線間干渉除去のための別の方法のフローチャート。
【図３８】[0095]  様々な例による、基地局アーキテクチャの例を示すブロック図。
【図３９】[0096]  様々な例による、ＵＥアーキテクチャの例を示すブロック図。
【図４０】[0097]  様々な例による、多入力多出力（ＭＩＭＯ）通信システムの例を示すブロック図。
【図４１】[0098]  様々な例による、ワイヤレス通信のための方法のフローチャート。
【図４２】[0099]  様々な例による、ワイヤレス通信のための別の方法のフローチャート。
【図４３】[0100]  様々な例による、ワイヤレス通信のための別の方法のフローチャート。
【図４４】[0101]  様々な例による、ワイヤレス通信のための別の方法のフローチャート。
【図４５】[0102]  様々な例による、ワイヤレス通信のための別の方法のフローチャート。
【図４６】[0103]  様々な例による、ワイヤレス通信のための別の方法のフローチャート。
【発明を実施するための形態】
【００５９】
[0104]  ワイヤレス通信システム内での干渉低減および階層的変調のための技法が説明される。基地局（たとえば、ｅｖｏｌｖｅｄ  Ｎｏｄｅ  Ｂ（ｅＮＢ））および／またはユーザ機器（ＵＥ）は、ワイヤレス通信システム内で動作するように構成されてよく、基本変調レイヤと、基本変調レイヤ上に変調される増強変調レイヤとの両方の上で、ワイヤレス通信を送信／受信することができる。したがって、同時の、非直交のデータストリームが、同じまたは異なるＵＥに提供されることがあり、各変調レイヤは、具体的な展開および／またはチャネル条件（channel condition）に基づいて選択され得るコンテンツを送信するために使用され得る。例において、セル内から受信される干渉信号を補償し、他のセルから受信される干渉信号を補償し、および／または、隣接するワイヤレス通信ネットワークにおいて動作し得る他の無線から受信される干渉信号を補償するための、様々な干渉低減技法が実装され得る。
【００６０】
[0105]  いくつかの例では、同時の非直交のワイヤレス通信データストリームは、階層的変調を通じて基地局からＵＥに提供されてよく、第１のコンテンツは基本変調レイヤ上での送信のために選択されてよく、異なるコンテンツは増強変調レイヤ上での送信のために選択されてよい。基本変調レイヤコンテンツが基本変調レイヤ上に変調されてよく、次いで、増強レイヤコンテンツが増強変調レイヤ上に変調されてよい。増強変調は、基本変調レイヤ上に重畳され、１つまたは複数のＵＥに送信され得る。様々な例において、ＵＥは、同様の方式で、複数の階層的レイヤ（hierarchical layer）を基地局に送信することができる。
【００６１】
[0106]  基本変調レイヤと増強変調レイヤの両方を受信するＵＥは、基本変調レイヤ上で受信されるコンテンツを復号し、次いで、基本変調レイヤの信号を打ち消すために干渉除去を実行することができる。ＵＥは次いで、増強変調レイヤ上で受信されるコンテンツを復号することができる。
【００６２】
[0107]  いくつかの例では、基本変調レイヤは、送信成功の可能性がより高い送信をサポートすることができ、基本変調レイヤは、誤り閾値が比較的低いコンテンツを送信するために使用され得る。いくつかの例では、増強変調レイヤは、送信成功の可能性が比較的低い送信をサポートすることができ、誤り閾値が比較的高いコンテンツの送信のために使用され得る。
【００６３】
[0108]  様々な例によれば、ＵＥおよび基地局は、受信された信号に対して干渉低減を実行することができる。そのような干渉低減は、ＵＥおよび基地局と関連付けられるサービングセル内から生成される信号（セル内干渉（intra-cell interference））、サービングセルの近隣セルから生成される信号（セル間干渉（inter-cell interference））、および／または、隣接通信チャネルからの信号（無線間干渉（inter radio interference））に対して実行され得る。
【００６４】
[0109]  本明細書で説明される技法は、Ｌｏｎｇ  Ｔｅｒｍ  Ｅｖｏｌｕｔｉｏｎ（ＬＴＥ）に限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムのためにも使用され得る。「システム」および「ネットワーク」という用語はしばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５およびＩＳ−８５６規格をカバーする。ＩＳ−２０００  Ｒｅｌｅａｓｅ０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ＬＴＥおよびＬＴＥ  Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ（登録商標））と称する団体からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書において説明される技法は、上述のシステムおよび無線技術、ならびに他のシステムおよび無線技術のために使用され得る。しかしながら、以下の説明は、例としてＬＴＥシステムについて説明し、以下の説明の大部分においてＬＴＥ用語が使用されるが、本技法はＬＴＥ適用例以外に適用可能である。
【００６５】
[0110]  したがって、以下の説明は、例を与えるものであり、特許請求の範囲に記載された範囲、適用可能性、または構成を限定するものではない。本開示の趣旨および範囲から逸脱することなく、議論される要素の機能および構成において変更が行われ得る。様々な実施形態は、必要に応じて様々な手順またはコンポーネントを省略し、置換し、または追加し得る。たとえば、説明される方法は、説明する順序とは異なる順序で実行されてよく、様々なステップが追加され、省略され、または組み合わされ得る。また、いくつかの実施形態に関して説明される特徴が、他の実施形態では組み合わされることがある。
【００６６】
[0111]  最初に図１を参照すると、図はワイヤレス通信システムまたはネットワーク１００の例を示している。ワイヤレス通信システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク（backhaul link）１３２を通じてコアネットワーク１３０を用いて制御情報および／またはユーザデータを通信し得る。実施形態では、基地局１０５は、有線通信リンクまたはワイヤレス通信リンクであり得るバックホールリンク１３４を通じて、直接または間接的に、互いに通信し得る。ワイヤレス通信システム１００は、複数のキャリア（様々な周波数の波形信号）上での動作をサポートし得る。マルチキャリア送信機は、複数のキャリア上で同時に変調された信号を送信し得る。たとえば、各通信リンク１２５は、上で説明された様々な無線技術に従って変調されたマルチキャリア信号であり得る。各々の変調された信号は、異なるキャリア上で送信されることがあり、制御情報（たとえば、基準信号、制御チャネルなど）、オーバーヘッド情報、データなどを搬送することができる。
【００６７】
[0112]  基地局１０５は、１つまたは複数の基地局アンテナを介してデバイス１１５とワイヤレスに通信し得る。基地局１０５サイトの各々は、それぞれのカバレッジエリア１１０に通信カバレッジを提供し得る。いくつかの実施形態では、基地局１０５は、基地送受信機局、無線基地局、アクセスポイント、無線送受信機、基本サービスセット（ＢＳＳ）、拡張サービスセット（ＥＳＳ）、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、またはいくつかの他の好適な用語で呼ばれることがある。基地局のカバレッジエリア１１０は、カバレッジエリアの一部分のみを構成するセクタ（図示せず）に分割され得る。ワイヤレス通信システム１００は、異なるタイプの基地局１０５（たとえば、マクロセル基地局またはスモールセル基地局）を含み得る。様々な技術のための重複するカバレッジエリアがあり得る。
【００６８】
[0113]  いくつかの例では、ワイヤレス通信システム１００は、階層的変調動作モードと干渉除去動作モードとをサポートする、ＬＴＥ／ＬＴＥ−Ａネットワークである。ワイヤレス通信システム１００は、異なるタイプのｅＮＢが様々な地理的領域にカバレッジを与える、異種ＬＴＥ／ＬＴＥ−Ａネットワークであり得る。たとえば、各ｅＮＢ１０５は、通信カバレッジをマクロセル、ピコセル、フェムトセル、および／または他のタイプのセルに与え得る。ピコセル、フェムトセル、および／または他のタイプのセルなどのスモールセルは低電力ノード（low power node）つまりＬＰＮを含み得る。マクロセルは一般に、比較的大きい地理的エリア（たとえば、半径数キロメートル）をカバーし、ネットワークプロバイダのサービスに加入しているＵＥによる無制限アクセスを可能にし得る。スモールセルは一般に、比較的より小さい地理的エリアをカバーし、ネットワークプロバイダのサービスに加入しているＵＥによる無制限アクセス、および／または、スモールセルとの関連を有するＵＥ（たとえば、限定加入者グループ（ＣＳＧ：closed subscriber group）中のＵＥ、自宅内のユーザのためのＵＥなど）による制限アクセスを可能にし得る。マクロセルのためのｅＮＢは、マクロｅＮＢと呼ばれることがある。スモールセルのためのｅＮＢは、スモールセルｅＮＢ、フェムトｅＮＢ、またはホームｅＮＢと呼ばれることがある。ｅＮＢは、１つまたは複数の（たとえば、２つ、３つ、４つなどの）セルをサポートし得る。
【００６９】
[0114]  コアネットワーク１３０は、バックホールリンク１３２（たとえば、Ｓ１など）を介してｅＮＢ１０５と通信し得る。ｅＮＢ１０５はまた、たとえば、バックホールリンク１３４（たとえば、Ｘ２など）を介して、および／またはバックホールリンク１３２を介して（たとえば、コアネットワーク１３０を通じて）、直接または間接的に互いと通信し得る。ワイヤレス通信システム１００は、同期動作または非同期動作をサポートし得る。同期動作では、ｅＮＢは同様のフレームタイミングおよび／またはゲーティングタイミングを有することが可能であり、異なるｅＮＢからの送信は時間的にほぼ揃えられ得る。非同期動作では、ｅＮＢは異なるフレームタイミングおよび／またはゲーティングタイミングを有することがあり、異なるｅＮＢからの送信は時間的に揃えなくてもよい。本明細書で説明される技法は、同期動作または非同期動作のいずれにも使用され得る。
【００７０】
[0115]  ＵＥ１１５はワイヤレス通信システム１００全体にわたって分散され、各ＵＥは固定式または移動式であり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることがある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００７１】
[0116]  ワイヤレス通信システム１００中に示される通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ＤＬ送信は順方向リンク送信と呼ばれることもあるが、ＵＬ送信は逆方向リンク送信と呼ばれることもある。様々な例によれば、ＵＬ送信とＤＬ送信の一方または両方が、複数の階層的変調レイヤ（hierarchical modulation layer）を含んでよく、この場合、１つまたは複数の増強変調レイヤが基本変調レイヤに重畳され得る。基本変調レイヤは、基本変調レイヤ上に変調されるコンテンツを取得するために復号され得る。増強変調レイヤは、基本変調レイヤ（および存在する場合には他のより下層の変調レイヤ）を除去（cancelling）し、その結果得られる信号を復号することによって、復号され得る。
【００７２】
[0117]  ワイヤレス通信システム１００のいくつかの例では、セル内干渉除去、セル間干渉除去、および無線間干渉除去を含む、様々な干渉除去技法が利用され得る。基地局１０５ならびにＵＥ１１５は、これらのまたは同様の動作モードの１つまたは複数をサポートし得る。ＯＦＤＭＡ通信信号は、免許不要スペクトルにおけるＬＴＥダウンリンク送信のために通信リンク１２５の中で使用されてよく、一方、ＳＣ−ＦＤＭＡ通信信号は、ＬＴＥアップリンク送信のために通信リンク１２５の中で使用されてよい。干渉除去は、アップリンクおよびダウンリンクで実行され得る。無線間干渉は、基地局１０５ならびにＵＥ１１５によって対処され得る。ワイヤレス通信システム１００などのシステムにおける階層的変調および／または干渉除去の実装形態に関する追加の詳細、ならびにそのようなシステムの動作に関する他の特徴および機能が、図２〜図４６に関して以下で与えられる。
【００７３】
[0118]  図２は、ｅＮＢ１０５−ａが階層的変調を使用して１つまたは複数のＵＥ１１５と通信できる、ワイヤレス通信システム２００を示す。ワイヤレス通信システム２００は、たとえば、図１に示されるワイヤレス通信システム１００の態様を示し得る。図２の例では、ｅＮＢ１０５−ａは、ｅＮＢ１０５−ａのカバレッジエリア１１０−ａ内のいくつかのＵＥ１１５−ａ、１１５−ｂ、および１１５−ｃと通信し得る。この例では、複数の変調レイヤがワイヤレス通信のために利用されてよく、この場合、基本変調レイヤ（base modulation layer）および１つまたは複数の増強変調レイヤ（enhancement modulation layer）が、ｅＮＢ１０５−ａとＵＥ１１５との間で同時に送信され得る。様々な例によれば、基本変調レイヤは、ｅＮＢ１０５−ａとＵＥ１１５との間でより信頼性の高い通信を提供することができ、カバレッジエリア１１０−ａ内のＵＥ１１５がコンテンツの再送信を必要とすることなく基本変調レイヤ上で送信されるコンテンツを復号することが可能となる可能性がより高くなる。様々な例によれば、増強変調レイヤは、基本変調レイヤと比較して、ｅＮＢ１０５−ａとＵＥ１１５との間で相対的に信頼性の低い通信を提供し得る。したがって、増強変調レイヤ上での送信は、増強変調レイヤ上で送信されるコンテンツを受信機が復号するのに成功するために、再送信を必要とする可能性がより高いことがある。基本変調レイヤおよび増強変調レイヤの変調と送信は、図５および図６に関して以下でより詳細に説明される。
【００７４】
[0119]  述べられたように、増強変調レイヤは、基本変調レイヤよりも受信成功の可能性が低いことがあり、受信成功の可能性は、ｅＮＢ１０５−ａとＵＥ１１５との間でのチャネル条件に大きく依存する。図２に示されるものなどのいくつかの展開では、ＵＥ１１５−ａおよび１１５−ｂは、エリア２０５においてｅＮＢ１０５−ａに比較的近く位置していることがあるが、ＵＥ１１５−ｃは、ｅＮＢ１０５−ａのカバレッジエリア１１０−ａのセル端部のより近くに位置していることがある。エリア２０５の中に位置するＵＥ１１５−ａおよび１１５−ｂが、階層的変調につながるチャネル条件を有すると決定される場合、ｅＮＢ１０５−ａは、そのような通信が利用され得ることをＵＥ１１５−ａおよび１１５−ｂにシグナリングし得る。そのような場合、通信リンク１２５−ａは、基本変調レイヤと増強変調レイヤの両方を含んでよく、ＵＥ１１５−ａおよび１１５−ｂは、階層的変調レイヤの各々の上での通信をサポートし得る。この例では、カバレッジエリア１１０−ａのセル端部のより近くに、およびエリア２０５の外に位置するＵＥ１１５−ｃは、通信リンク１２５−ｂの中の基本変調レイヤを使用して通信するためにシグナリングされ得る。通信リンク１２５−ｂはそれでも基本変調レイヤと増強変調レイヤの両方を用いて送信され得るが、ＵＥ１１５−ｃは、増強変調レイヤ上に変調されたコンテンツの受信および復号の成功の可能性が比較的低いことが原因で、増強変調レイヤを復号することを試みなくてよい。
【００７５】
[0120]  上で言及されたように、そのような展開における基本変調レイヤは、ＵＥ１１５とｅＮＢ１０５−ａとの間で比較的信頼性の高い通信リンクを提供することができる。いくつかの例によれば、基本変調レイヤを使用して送信されるコンテンツは、より低い誤り率で送信することがより望ましいコンテンツとして選択されることがあり、増強変調レイヤを使用して送信されるコンテンツは、送信誤り率に対する感受性がさほど高くないコンテンツとして選択されることがある。たとえば、基本変調レイヤは、高優先度の、またはレイテンシに対する感受性が高いコンテンツ（latency sensitive content）を送信するために使用され得る。いくつかの例では、基本変調レイヤは、アップリンクグラント情報もしくはダウンリンクグラント情報、以前の送信に対する肯定応答情報、および／または他の制御シグナリングなどの制御情報を、ユーザデータに加えて含み得る。そのような例では、増強変調レイヤは、送信の誤りに対する感受性がより低いユーザデータを送信するために使用され得る。
【００７６】
[0121]  他の例では、基本変調レイヤは、レイテンシに対する感受性が高い特定のＵＥ１１５のためのユニキャストデータを含んでよく、増強変調レイヤは、レイテンシに対する感受性が低いユニキャストデータを含んでよい。基本変調レイヤを使用して送信されるべきユニキャストデータであるか、増強変調レイヤを使用して送信されるべきユニキャストデータであるかの決定は、たとえば、異なるユニキャストデータと関連付けられるサービス品質（ＱｏＳ：quality of service）に従って行われ得る。たとえば、高いＱｏＳ要件を有するデータは、基本変調レイヤを使用して送信されてよく、ベストエフォートのＱｏＳ要件を有するデータは、増強変調レイヤを使用して送信されてよい。またさらなる例では、基本変調レイヤは、ｅＮＢ１０５−ａからブロードキャストデータを送信するために使用されてよく、増強変調レイヤは、特定のＵＥ１１５と関連付けられるユニキャストデータを送信するために使用されてよい。
【００７７】
[0122]  いくつかの例では、基本変調レイヤは、送信されるデータの受信の肯定応答を何ら必要とすることなしに送信され得る。たとえば、基本変調レイヤコンテンツは、コンテンツの受信のハイブリッド自動再送要求（ＨＡＲＱ：hybrid automatic repeat request）肯定応答／否定応答を必要とせずに送信され得る。いくつかの例では、基本変調レイヤと関連付けられる誤り率は約１％であることがあり、増強変調レイヤと関連付けられる誤り率は１％より高いことがあり、たとえば１０％である。したがって、増強変調レイヤを使用して送信されるコンテンツの受信の成功には、再送信手順に依存することが必要であり得るが、基本変調レイヤと関連付けられる誤り率は、コンテンツの送信の成功を実現するために再送信が必要ではないことの確実性をもたらし得る。
【００７８】
[0123]  ＵＥ１１５−ｃの場合などの、増強変調レイヤの受信成功の可能性があまり高くない状況では、ＵＥ１１５−ｃとｅＮＢ１０５−ａとの間の通信は、基本変調レイヤだけを使用して行われ得る。したがって、異なるＵＥ１１５との通信は、チャネル条件に基づいて選択的に適合されてよく、適切なチャネル条件を有するＵＥ１１５は、同時に送信される複数の階層的変調レイヤ上でデータを受信するようにシグナリングされ、これにより、そのようなＵＥ１１５に対するデータレートを向上させる。同様に、比較的チャネル条件の悪いＵＥ１１５との通信は、基本変調レイヤを通じて、信頼性をもって維持されるデータレートに維持され得る。いくつかの例では、基本変調レイヤは、ＵＥ基準信号ベースの物理ダウンリンク制御チャネル（ＰＤＣＣＨまたはｅＰＤＣＣＨ）、物理ダウンリンク共有チャネル（ＰＤＳＣＨ）、物理マルチキャストチャネル（ＰＭＣＨ）、または高優先度のデータの、１つまたは複数を送信するために使用され得る。例では、増強変調レイヤは、ＵＥ基準信号ベースのＰＤＳＣＨもしくはｅＰＤＳＣＨ、または低優先度のデータの１つまたは複数を送信するために使用され得る。上で論じられたものと同様に、高優先度のデータおよび低優先度のデータの決定は、データと関連付けられるＱｏＳパラメータに基づいて行われ得る。
【００７９】
[0124]  ここで図３を参照すると、本開示の態様による、ワイヤレス通信のための方法の例を概念的に示すフローチャートが説明されている。明快にするために、方法３００は、図１および／または図２に関して説明された基地局、ｅＮＢ１０５、および／またはＵＥ１１５の１つに関して以下で説明される。一例では、ｅＮＢまたはＵＥは、以下で説明される機能を実行するようにｅＮＢまたはＵＥの機能要素を制御するためのコードの１つまたは複数のセットを実行し得る。
【００８０】
[0125]  ブロック３０５において、基本変調レイヤ上での送信のためのコンテンツが特定される。たとえば、ｅＮＢは、上で論じられたものと同様に、高優先度のコンテンツまたはレイテンシに対する感受性が高いコンテンツを特定し得る。また、上で言及されたように、ｅＮＢは、ＵＥが１つまたは複数の増強変調レイヤを、信頼性をもって受信することが可能かどうかに基づいて、ＵＥに送信されるべきＵＥのためのユニキャストコンテンツを特定することができ、基本変調レイヤ上での送信のためのコンテンツは、そのような決定に従って特定され得る。いくつかの例では、ＵＥは、同様の基準に基づいて、基本変調レイヤ上でｅＮＢへ送信されるべきコンテンツを特定することができる。いくつかの例では、ＵＥは、基本変調レイヤ上であるコンテンツが送信されるべきであることを示すシグナリングをｅＮＢから受信し得る。
【００８１】
[0126]  ブロック３１０において、増強変調レイヤ上での送信のためのコンテンツが特定される。たとえば、ｅＮＢは、上で論じられたものと同様に、低優先度のコンテンツまたはレイテンシに対する感受性が低いコンテンツを特定し得る。また、上で言及されたように、ｅＮＢは、ＵＥが増強変調レイヤを、信頼性をもって受信することが可能かどうかに基づいて、ＵＥに送信されるべきＵＥのためのユニキャストコンテンツを特定することができ、増強変調レイヤ上での送信のためのコンテンツは、そのような決定に従って特定され得る。例では、ＵＥは、同様の基準に基づいて増強変調レイヤ上でｅＮＢへ送信されるべきコンテンツを特定することができ、および／または、増強変調レイヤ上であるコンテンツが送信されるべきであることを示すシグナリングをｅＮＢから受信することができる。
【００８２】
[0127]  ブロック３１５において、基本レイヤコンテンツ（base layer content）は、基本変調レイヤへと変調される。そのような変調は、たとえば、３つだけ例を挙げると、二位相偏移変調（ＢＰＳＫ）、四位相偏移変調（ＱＰＳＫ）、または１６直角位相振幅変調（１６ＱＡＭ）であり得る。ブロック３２０において、増強レイヤコンテンツは、増強変調レイヤへと変調される。基本変調レイヤの変調と同様に、そのような変調は、３つだけ例を挙げると、二位相偏移変調（ＢＰＳＫ）、四位相偏移変調（ＱＰＳＫ）、または１６直角位相振幅変調（１６ＱＡＭ）であり得る。
【００８３】
[0128]  ブロック３２５において、増強変調レイヤは、基本変調レイヤに重畳される。そのような重畳は、基本変調レイヤと増強変調レイヤの各々において使用される変調に従った、構成要素となる重畳されたコンスタレーション（constellation）をもたらす。基本変調レイヤがＱＰＳＫを使用し増強変調レイヤがＱＰＳＫを使用する例では、結果はシェーピングされた（shaped）１６ＱＡＭである。基本変調レイヤがＱＰＳＫを使用し増強変調レイヤが１６ＱＡＭを使用する例では、結果はシェーピングされた６４ＱＡＭのコンスタレーションである。さらに、基本変調レイヤが１６ＱＡＭを使用し増強変調レイヤが１６ＱＡＭを使用する例では、結果はシェーピングされた２５６ＱＡＭのコンスタレーションである。最後に、ブロック３３０において、重畳された基本変調レイヤおよび増強変調レイヤが送信される。上で言及されたように、送信された信号を受信するＵＥまたはｅＮＢなどの受信機は、基本変調レイヤコンテンツを取得するために受信された信号を復号し、増強変調レイヤを取得するために基本変調レイヤと関連付けられる干渉を打消し、増強変調レイヤコンテンツを取得するために増強変調レイヤを復号することができる。
【００８４】
[0129]  図４は、本開示の態様による、ワイヤレス通信において使用するためのｅＮＢなどのデバイスを概念的に示すブロック図である。いくつかの例では、デバイス４０５は、図１および／または図２に関して説明された基地局またはｅＮＢ１０５の１つまたは複数の態様の例であり得る。デバイス４０５は、プロセッサでもあり得る。デバイス４０５は、受信機モジュール４１０、ｅＮＢ階層的変調モジュール（eNB hierarchical modulation module）４２０、および／または送信機モジュール４３０を含み得る。これらのコンポーネントの各々は、互いに通信し得る。
【００８５】
[0130]  デバイス４０５のコンポーネントは、適用可能な機能の一部またはすべてをハードウェアで実行するように適合された１つまたは複数の特定用途向け集積回路（ＡＳＩＣ）を用いて、個々にまたは集合的に実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【００８６】
[0131]  いくつかの例では、受信機モジュール４１０は、２つ以上の階層的変調レイヤ上での送信を受信するように動作可能な高周波（ＲＦ）受信機などのＲＦ受信機であってよく、またはそれを含んでよい。受信機モジュール４１０は、図１および／または図２に関して説明されたワイヤレス通信システム１００および／または２００の１つまたは複数の通信リンク１２５などの、ワイヤレス通信システムの１つまたは複数の通信リンクを通じて様々なタイプのデータおよび／または制御信号（すなわち、送信）を受信するために使用され得る。
【００８７】
[0132]  いくつかの例では、送信機モジュール４３０は、２つ以上の階層的変調レイヤ（hierarchical modulation layer）上で（たとえば、基本変調レイヤおよび１つまたは複数の増強変調レイヤを通じて）送信するように動作可能なＲＦ送信機などのＲＦ送信機であってよく、またはそれを含んでよい。受信機モジュール４３０は、図１および／または図２に関して説明されたワイヤレス通信システム１００および／または２００の１つまたは複数の通信リンク１２５などの、ワイヤレス通信システムの１つまたは複数の通信リンクを通じて様々なタイプのデータおよび／または制御信号（すなわち、送信）を送信するために使用され得る。
【００８８】
[0133]  いくつかの例では、ｅＮＢ階層的変調モジュール４２０は、複数の階層的変調レイヤを構成し、２つ以上の階層的変調レイヤ上での送信をサポートするワイヤレス通信システムにおいて動作するときにデバイス４０５のための各階層的変調レイヤ上で送信されるべきコンテンツを決定することができる。たとえば、図１〜図３に関して上で説明されたように、および、図５〜図４６の様々な例について以下で説明されるように、ｅＮＢ階層的変調モジュール４２０は、たとえば、各階層的変調レイヤ上での送信、各階層変調レイヤ上でのコンテンツの変調、および送信モジュール４３０を通じた送信のための階層的変調レイヤの重畳のためのコンテンツを決定するように、デバイス４０５を構成することができる。
【００８９】
[0134]  いくつかの例では、ｅＮＢ階層的変調モジュール４２０は、複数の階層的変調レイヤを含む信号を受信機モジュール４１０から受信し得る。そのような場合、ｅＮＢ階層的変調モジュール４２０は、基本変調レイヤを復号し、基本変調レイヤからの干渉を受信された信号から消去し、増強変調レイヤからのコンテンツを取得するために得られた信号を復号することができる。いくつかの例では、２つ以上の増強変調レイヤが存在することがあり、その場合、ｅＮＢ階層的変調モジュール４２０は、各々の連続的な変調レイヤの連続的な干渉除去と復号とを実行することができる。さらに、たとえば、図１〜図３に関して上で説明されたように、および図５〜図４６の様々な例について以下で説明されるように、ｅＮＢ階層的変調モジュール４２０は、様々な例において、各階層的変調レイヤと関連付けられる１つまたは複数のパラメータを決定することができ、複数の階層的変調レイヤ上での送信を送信および／または受信すべき１つまたは複数のＵＥにシグナリングを提供することができる。
【００９０】
[0135]  上で論じられたように、様々な例において、図１、図２、および／または図４のＵＥ１１５、ｅＮＢ１０５、および／またはデバイス４０５などの、ＵＥ、ｅＮＢ、または他のデバイスからの送信は、複数の階層的変調レイヤを含み得る。図５は、階層的変調レイヤと、重畳された階層的変調レイヤからの結果としての送信との例５００を示す。この例では、高ＱｏＳの基本変調レイヤ５０５が、ＱＰＳＫ符号化を使用することができ、｛αＸB：ＸB∈ＣB｝として表され得る。同様に、低ＱｏＳの増強変調レイヤ５１０が、ＱＰＳＫ符号化を使用することができ、｛βＸE：ＸE∈ＣE｝として表され得る。構成要素となる基本変調レイヤのコンスタレーション５０５と増強変調レイヤのコンスタレーション５１０との重畳から形成される、結果として得られる階層的コンスタレーション（hierarchical constellation）５１５は、Ｃ＝｛Ｘ＝αＸB＋βＸE｝として表されるシェーピングされた１６ＱＡＭのコンスタレーションであり得る。異なる変調方式が、階層的コンスタレーションへの対応する変更とともに、基本変調レイヤおよび／または増強変調レイヤのために使用され得ることを理解されたい。たとえば、基本変調レイヤがＱＰＳＫを使用でき、増強変調レイヤが１６ＱＡＭを使用できるので、シェーピングされた６４ＱＡＭの階層的コンスタレーションが得られる。他の例では、基本変調レイヤが１６ＱＡＭを使用でき、増強変調レイヤが１６ＱＡＭを使用できるので、シェーピングされた２５６ＱＡＭの階層的コンスタレーションが得られる。さらに、同様の方式で、３つ以上の階層的変調レイヤを提供するために、追加の増強変調レイヤが階層的コンスタレーションに重畳され得る。
【００９１】
[0136]  言及されたように、基本変調レイヤは、ＵＥとｅＮＢとの間の高ＱｏＳのデータストリームを提供するために使用されてよく、増強変調レイヤは、ＵＥとｅＮＢとの間の低ＱｏＳのデータストリームを提供するために使用されてよい。いくつかの状況において、上で述べられたように、ＵＥとｅＮＢとの間のチャネル条件は、増強変調レイヤの送信と復号をサポートしないことがあり、そのようなチャネル条件を有するＵＥとの通信は、基本変調レイヤを使用して実行され得る。図６は、階層的変調信号６０５を受信し得る異なるＵＥ１１５の例６００を示す。信号６０５の中には、基本変調レイヤを表すいくつかのクラスタ６１０があり、各クラスタ６１０の中には、階層的変調レイヤを表すいくつかの個別の点があり得る。第１のＵＥ１１５−ｂ−１は、比較的良好なチャネル条件を有することがあり、階層的変調信号６０５を受信される信号６１５として受信することがある。受信される信号６１５の中で、第１のＵＥ１１５−ｂ−１は、クラスタ６１０−ｂと、各クラスタ６１０−ｂ内の個別の点の両方を区別することが可能であり得る。したがって、第１のＵＥ１１５−ｂ−１はたとえば、図２に示されるようなエリア２０５内にあり得る。
【００９２】
[0137]  この例における第２のＵＥ１１５−ｃ−１は、階層的変調信号６０５を送信するサービングセルのセル端部のより近くにあることがあり、チャネル品質が比較的悪いことがあり、このことは、その中でクラスタ６１０−ｃは区別され得るが個別の点は区別されないことのある受信信号６２０をもたらす。したがって、第２のＵＥ１１５−ｃ−１は、基本変調レイヤを、信頼性をもって受信して復号することができるが、増強変調レイヤをそうすることができない。いくつかの例では、サービングセルｅＮＢは、基本変調レイヤを使用して第２のＵＥ１１５−ｃ−１にデータを送信することができ、増強変調レイヤを使用して第１のＵＥ１１５−ｂ−１にデータを送信することができる。他の例では、上で論じられたように、基本変調レイヤは、低レイテンシのデータ、高優先度のデータ、制御データなどを送信するために使用されてよく、増強変調レイヤは、レイテンシに対する感受性が低いデータ、低優先度のデータ、ユーザデータなどを送信するために使用されてよい。
[0138]  いくつかの例によれば、次の計算式に従って、基本変調レイヤに対する対数尤度比（ＬＬＲ：log likelihood ratio）が計算され得る。
【００９３】
【数１】
0006490712.tif 000002
【００９４】
ここで、ＬＬＲB,kはビットｋに対する基本変調レイヤＬＬＲであり、ｂB（ｋ）はシンボルｘの基本変調レイヤビットｋであり、Ｃは基本変調レイヤの変調方式のコンスタレーションである。
[0139]  いくつかの例では、増強変調レイヤは、並列復号（parallel decoding）を使用して、または、基本変調レイヤ上で実行される干渉除去を用いた直列復号（serial decoding）を使用して、復号され得る。並列復号を使用する例では、グレイマッピング（grey mapping）が使用されてよく、ＬＬＲが以下の式に従って計算されてよい。
【００９５】
【数２】
0006490712.tif 000003
【００９６】
ここで、ＬＬＲE,kはビットｋに対する増強変調レイヤＬＬＲであり、ｂE（ｋ）はシンボルｘの増強変調レイヤビットｋであり、Ｃは重畳された基本変調レイヤおよび増強変調レイヤのシェーピングされた変調方式のコンスタレーションである。
[0140]  基本変調レイヤ上で実行される干渉除去を用いた直列復号を使用する例では、ＬＬＲは以下の計算式に従って計算され得る。
【００９７】
【数３】
0006490712.tif 000004
【００９８】
ここで、ＬＬＲE,kはビットｋに対する増強変調レイヤＬＬＲであり、ｂE（ｋ）はシンボルｘの増強変調レイヤビットｋであり、Ｃは増強レイヤ変調方式のコンスタレーションであり、ＹEは合成された基本変調レイヤ信号と増強変調レイヤ信号の干渉除去の後の再構築された増強変調レイヤである。
【００９９】
[0141]  上で論じられたように、基本変調レイヤおよび増強変調レイヤは、いくつかの異なる要因の１つまたは複数に基づいて異なるコンテンツを送信するために使用され得る。そのような要因には、たとえば、いくつか挙げると、システム展開、トラフィック需要、送信されるべきコンテンツに含まれる情報のタイプ、チャネル条件、複数の変調レイヤを受信することが可能なＵＥの数、および／または、基本変調レイヤだけを受信することが可能なＵＥの数があり得る。図７は、ｅＮＢ１０５−ｂが階層的変調を使用してＵＥ１１５−ｄと通信できる、ワイヤレス通信システム７００を示す。１つだけのＵＥ１１５−ｄが示されているが、ｅＮＢ１０５−ｂは複数のＵＥと通信していてよいことが容易に認識されるだろう。ワイヤレス通信システム７００は、たとえば、図１および／または図２に示されたワイヤレス通信システム１００および／または２００の態様を示し得る。この例では、複数の変調レイヤがワイヤレス通信のために利用されてよく、この場合、基本変調レイヤ７０５および増強変調レイヤ７１０は、ｅＮＢ１０５−ｂとＵＥ１１５−ｄとの間で同時に送信され得る。単一の増強変調レイヤ７１０が図７において示されているが、他の例は２つ以上の増強変調レイヤを含み得る。図３〜図６に関して上で説明された方式などの方式で、増強変調レイヤ７１０は、基本変調レイヤ７０５に重畳されてよく、ｅＮＢ１０５−ｂとＵＥ１１５−ｄとの間の単一の通信リンクにおいて送信されてよい。
【０１００】
[0142]  この例によれば、基本変調レイヤ７０５は、ｅＮＢ１０５−ｂとＵＥ１１５−ｄとの間により信頼性の高い通信を提供することができ、ＵＥ１１５−ｄが基本変調レイヤ７０５の受信と復号に成功し得ることの比較的高い確実性をもたらし得る。この例では、ＵＥ１１５−ｄは、ＨＡＲＱ技法などに従った、基本変調レイヤ上での送信を受信したことの肯定応答（ＡＣＫ）または否定応答（ＮＡＣＫ）を送信しない。そのようなフィードバックをなくすと、ＨＡＲＱ  ＡＣＫ／ＮＡＣＫ送信および関連する再送信と関連付けられるオーバーヘッド（overhead）がより少なくなるので、基本変調レイヤ上での容量が増大し得る。基本変調レイヤ７０５の比較的高い信頼性により、基本変調レイヤ７０５の送信の高い信頼性と低減されたレイテンシの利益を受け得るコンテンツが、基本変調レイヤ上での送信のために選択され得る。たとえば、上で論じられたように、基本変調レイヤ７０５は、高優先度のコンテンツ、レイテンシに対する感受性が高いコンテンツ、および／または制御／シグナリング情報を、ｅＮＢ１０５−ｂからＵＥ１１５−ｄに通信するために選択され得る。
【０１０１】
[0143]  様々な例によれば、増強変調レイヤ７１０は、基本変調レイヤ７０５と比較して、ｅＮＢ１０５−ｂとＵＥ１１５−ｄとの間で相対的に信頼性の低い通信を提供し得る。したがって、ＵＥ１１５−ｄは、増強変調レイヤ７１０の送信に対してＨＡＲＱ技法を実行し得るので、成功裏に受信され復号されなかった送信はｅＮＢ１０５−ｂによって再送信され得る。いくつかの例によれば、基本変調レイヤ７０５は、約１％の誤り率を有することがあり、増強変調レイヤ７１０は、約１０％の誤り率を有することがある。上で言及されたように、いくつかの例では、ｅＮＢ１０５−ｂは、基本変調レイヤ７０５上での送信のために第１のコンテンツを特定することができる。
【０１０２】
[0144]  いくつかの例では、第１のコンテンツは、第１のコンテンツに対して要求または所望される初期送信における誤り率を定義する、第１の誤り率の閾値と関連付けられ得る。第１の誤り率の閾値は、たとえば第１のコンテンツに含まれる情報のタイプに基づいて決定され得る。ｅＮＢ１０５−ｂはまた、増強変調レイヤ７１０上での送信のために第２のコンテンツを特定することができる。いくつかの例では、第２のコンテンツは、第１の誤り率の閾値よりも高い第２の誤り率の閾値と関連付けられ得る。第２の誤り率の閾値は、たとえば第２のコンテンツに含まれる情報のタイプに基づいて決定され得る。たとえば、第１のコンテンツは高優先度のコンテンツを含んでよく、第２のコンテンツは低優先度のコンテンツを含んでよい。本明細書で使用される場合、「誤り率の閾値（error rate threshold）」という用語は、目標のまたは所望される信頼性の閾値を含んでよく、または、データと関連付けられる別の信頼性または誤り率の尺度を含んでよい。
【０１０３】
[0145]  他の例では、第１のコンテンツは、ｅＮＢ１０５−ｂとの通信のためにＵＥ１１５−ｄによって使用され得る制御情報を含み得る。たとえば、制御情報は、スケジューリンググラント情報、肯定応答情報、および／またはシグナリング情報を含んでよく、制御情報は、基本変調レイヤ７０５上で（ＰＤＣＣＨを使用して送信されてよい。第２のコンテンツは、たとえば、増強変調レイヤ７１０上でＰＤＳＣＨを使用して送信され得るユーザデータを含み得る。さらなる他の例では、第１のコンテンツは、ＵＥ１１５−ｄのためのレイテンシに対する感受性が高いユニキャストデータを含んでよく、第２のコンテンツは、ＵＥ１１５−ｄのための、または異なるＵＥのためのベストエフォートユニキャストデータを含んでよい。レイテンシに対する感受性が高いユニキャストデータは、たとえば、基本変調レイヤ７０５上でＰＤＳＣＨを使用して送信されてよく、ベストエフォートユニキャストデータは、増強変調レイヤ７１０上でＰＤＳＣＨを使用して送信されてよい。
【０１０４】
[0146]  図３〜図６に関して上で論じられたものと同様に、ｅＮＢ１０５−ｂは、基本変調レイヤ７０５上に第１のコンテンツを変調し、増強変調レイヤ７１０上に第２のコンテンツを変調することができる。ｅＮＢ１０５−ｂは次いで、増強変調レイヤ７１０を基本変調レイヤ７０５に重畳し、重畳された基本変調レイヤ７０５と増強変調レイヤ７１０とをＵＥ１１５−ｄに送信することができる。したがって、この例では、基本変調レイヤ７０５および増強変調レイヤ７１０はともに、同じＵＥ、すなわちＵＥ１１５−ｄに送信されるコンテンツを含む。他の例では、基本変調レイヤ７０５のコンテンツは、増強変調レイヤ７１０のコンテンツが送信される先のＵＥとは異なるＵＥへ送信され得る。ＵＥ１１５−ｄ（およびシステム７００中で動作する他のＵＥ）は、基本変調レイヤ７０５と増強変調レイヤ７１０のどちらが、特定の時間期間（たとえば、ＰＤＣＣＨを介してＵＥ１１５−ｄに提供されるダウンリンクグラントにおいて示される１つまたは複数のサブフレーム）に対して復号されるべきかを示す制御シグナリングをｅＮＢ１０５−ｂから受信することができる。
【０１０５】
[0147]  ここで図８を参照すると、ｅＮＢ１０５−ｃが階層的変調を使用してＵＥ１１５−ｅおよびＵＥ１１５−ｆと通信し得るワイヤレス通信システム８００が示されている。ワイヤレス通信システム８００は、たとえば、図１、図２、および／または図７に示されたワイヤレス通信システム１００、２００、および／または７００の態様を示し得る。この例では、上と同様に、複数の変調レイヤがワイヤレス通信のために利用されてよく、この場合、基本変調レイヤ８０５および増強変調レイヤ８１０は、ｅＮＢ１０５−ｃとＵＥ１１５−ｅおよびＵＥ１１５−ｆとの間で同時に送信され得る。この例では、基本変調レイヤ８０５は、ＵＥ１１５−ｅおよびＵＥ１１５−ｆなどの複数の異なるＵＥに送信されるブロードキャストデータを含み得る。
【０１０６】
[0148]  この例では、増強変調レイヤ８１０は、基本変調レイヤ８０５に重畳され、ＵＥ１１５−ｅのためのユニキャストデータを含み得る。増強変調レイヤおよび基本変調レイヤは、図３〜図６に関して上で説明された方式などの方式で、ｅＮＢ１０５−ｃとＵＥ１１５−ｅとの間の単一の通信リンクにおいて送信され得る。この例では、ＵＥ１１５−ｆが増強変調レイヤ８１０を受信し復号するのに十分なチャネル品質を有し得るとしても、ＵＥ１１５−ｆは、増強変調レイヤ８１０がＵＥ１１５−ｆのためのコンテンツを含まないことに基づいて、増強変調レイヤ８１０を無視することができる。いくつかの例では、ｅＮＢ１０５−ｃは、第１のＵＥ１１５−ｅが増強変調レイヤ８１０を介してユニキャストデータを受信するようにスケジューリングされることを示すシグナリングをＵＥ１１５−ｅおよび１１５−ｆに提供することができる。したがって、増強変調レイヤ８１０上でダウンリンクグラントを受信していない第２のＵＥ１１５−ｆは、増強変調レイヤ８１０を無視し、基本変調レイヤ８０５に含まれる情報を復号することができる。
【０１０７】
[0149]  いくつかの例では、基本変調レイヤ８０５上で提供されるブロードキャストデータは、物理マルチキャストチャネル（ＰＭＣＨ）を使用して送信されてよく、増強変調レイヤ８１０上で提供されるユニキャストデータは、ＰＤＳＣＨを使用して送信されてよい。いくつかの例では、ＵＥ１１５−ｅおよび１１５−ｆは、基本変調レイヤ上でブロードキャストデータを受信し、ブロードキャストデータの受信の肯定応答を送信しない。例では、増強変調レイヤ８１０を介してユニキャストデータを受信するＵＥ１１５−ｅは、受信されたユニキャストデータに対してＨＡＲＱ技法を実行し、ユニキャストデータを受信したことのＡＣＫ／ＮＡＣＫを送信することができる。
【０１０８】
[0150]  ここで図９を参照すると、ｅＮＢ１０５−ｄが階層的変調を使用してＵＥ１１５−ｇおよびＵＥ１１５−ｈと通信し得るワイヤレス通信システム９００が示されている。ワイヤレス通信システム９００は、たとえば、図１、図２、図７、および／または図８に示されたワイヤレス通信システム１００、２００、７００、および／または８００の態様を示し得る。この例では、上と同様に、複数の変調レイヤがワイヤレス通信のために利用されてよく、この場合、基本変調レイヤ９０５および増強変調レイヤ９１０は、ｅＮＢ１０５−ｄとＵＥ１１５−ｇおよびＵＥ１１５−ｈとの間で同時に送信され得る。この例では、基本変調レイヤ９０５は、第１のＵＥ１１５−ｇに送信されるユニキャストデータを含む第１のコンテンツを含んでよく、増強変調レイヤ９１０は、基本変調レイヤ９０５に重畳され、第２のＵＥ１１５−ｈのためのユニキャストデータを含む第２のコンテンツを含み得る。
【０１０９】
[0151]  図３〜図６に関して上で説明された方式などの方式で、基本変調レイヤ９０５および増強変調レイヤ９１０は、ｅＮＢ１０５−ｄとＵＥ１１５−ｇおよびＵＥ１１５−ｈとの間の単一の通信リンクにおいて送信され得る。この例では、第１のＵＥ１１５−ｇは、ＵＥ１１５−ｇが増強変調レイヤ９１０を復号することを許容しないような、比較的悪いチャネル条件を有することがある。したがって、ｅＮＢ１０５−ｄは、たとえば、ユニキャストダウンリンクコンテンツが基本変調レイヤ９０５を使用してＵＥ１１５−ｇに提供されることを示したダウンリンクグラントを、基本変調レイヤ９０５を使用してＵＥ１１５−ｇに提供することができる。ＵＥ１１５−ｇは、基本変調レイヤ９０５を単に復号してよく、受信された送信から基本変調レイヤ９０５を除去するために増強変調レイヤの復号または干渉除去を実行しなくてよい。例では、ＵＥ１１５−ｇは、受信されたユニキャストデータに対してＨＡＲＱ技法を実行し、ユニキャストデータを受信したことのＡＣＫ／ＮＡＣＫを送信することができる。
【０１１０】
[0152]  この例では、第２のＵＥ１１５−ｈは、ＵＥ１１５−ｈが増強変調レイヤ９１０を受信し復号することを許容する、比較的良好なチャネル条件を有し得る。したがって、ｅＮＢ１０５−ｄは増強変調レイヤ９１０を使用してダウンリンクコンテンツを受信するようにＵＥ１１５−ｈをスケジューリングすることができ、ＵＥ１１５−ｈは、基本変調レイヤ９０５からの干渉を除去し、増強変調レイヤ９１０を復号するために、受信された送信に対して干渉除去技法を実行することができる。したがって、階層的変調技法の使用を通じて、複数のデータストリームが異なるＵＥ１１５−ｇおよび１１５−ｈへ同時に送信されてよく、これにより、ワイヤレス通信システム９００の利用率（utilization）を向上させる。
【０１１１】
[0153]  いくつかの例では、ｅＮＢ１０５−ｄは、第１のＵＥ１１５−ｇが基本変調レイヤ９０５を介してユニキャストデータを受信するようにスケジューリングされることと、第２のＵＥ１１５−ｈが増強変調レイヤ９１０を介してユニキャストデータを受信するようにスケジューリングされることとを示すシグナリングを、ＵＥ１１５−ｇおよび１１５−ｈに提供することができる。いくつかの例では、ＵＥ１１５−ｇと１１５−ｈの各々に提供されるユニキャストデータは、それぞれの基本変調レイヤ９０５または増強変調レイヤ９１０上で送信されるＰＤＳＣＨを使用して送信され得る。いくつかの例では、ＵＥ１１５−ｇおよび１１５−ｈは、受信されたユニキャストデータに対してＨＡＲＱ技法を実行し、ユニキャストデータを受信したことのＡＣＫ／ＮＡＣＫを送信することができる。
【０１１２】
[0154]  ここで図１０を参照すると、ブロック図１０００は、本開示の様々な態様による、ワイヤレス通信において使用するためのデバイス４０５−ａを示す。いくつかの例では、デバイス４０５−ａは、図１、図２、図４、図７、図８、および／または図９に関して説明された基地局またはｅＮＢ１０５および／またはデバイス４０５の１つまたは複数の態様の例であり得る。デバイス４０５−ａは、プロセッサであってもよい。デバイス４０５−ａは、受信機モジュール４１０−ａ、ｅＮＢ階層的変調モジュール４２０−ａ、および／または送信機モジュール４３０−ａを含み得る。これらのコンポーネントの各々は、互いに通信していてよい。
【０１１３】
[0155]  デバイス４０５−ａのコンポーネントは、適用可能な機能の一部またはすべてをハードウェアで実行するように適応された１つまたは複数のＡＳＩＣによって、個々にまたは集合的に実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【０１１４】
[0156]  いくつかの例では、受信機モジュール４１０−ａは、図４の受信機モジュール４１０の例であり得る。受信機モジュール４１０−ａは、２つ以上の階層的変調レイヤ上での送信を受信するように動作可能なＲＦ受信機などのＲＦ受信機であってよく、またはそれを含んでよい。いくつかの例では、送信機モジュール４３０−ａは、図４の送信機モジュール４３０の例であり得る。送信機モジュール４３０−ａは、２つ以上の階層的変調レイヤ上でデータを送信するように動作可能なＲＦ送信機などのＲＦ送信機であってよく、またはそれを含んでよい。ＲＦ送信機４３０−ａは、いくつかの例では、単一の送信機を含むことがあり、または送信／受信チェーンごとに単一の送信機を含むことがある。送信機モジュール４３０−ａは、図１、図２、図７、図８、および／または図９に関して説明されたワイヤレス通信システム１００、２００、７００、８００、および／または９００の１つまたは複数の通信リンク１２５などの、２つ以上の階層的変調レイヤを含むワイヤレス通信システムの１つまたは複数の通信リンクを通じて、様々なタイプのデータおよび／または制御信号（すなわち、送信）を送信するために使用され得る。
【０１１５】
[0157]  ｅＮＢ階層的変調モジュール４２０−ａは、図４に関して説明されるｅＮＢ階層的変調モジュール４２０の例であってよく、基本／増強変調レイヤコンテンツ決定モジュール（base/enhancement modulation layer content determination module）１０５５と、コンテンツ変調モジュール（content modulation module）１０６０と、パラメータ決定モジュール（parameter determination module）１０６０と、重畳モジュール（superpositioning module）１０７０とを含み得る。これらのコンポーネントの各々は、互いに通信し得る。
【０１１６】
[0158]  いくつかの例では、たとえば図１〜図９に関して上で説明されたように、基本／増強変調レイヤコンテンツ決定モジュール１０５５は、基本変調レイヤを使用してデバイス４０５−ａから送信されるべきコンテンツと、増強変調レイヤを使用してデバイス４０５−ａから送信されるべきコンテンツとを決定することができる。コンテンツ変調モジュール１０６０は、適切な基本変調レイヤまたは増強変調レイヤ上に、決定されたコンテンツを変調することができる。パラメータ決定モジュール１０６５は、基本変調レイヤと増強変調レイヤとの送信エネルギー比などの、チャネル条件に関する様々なパラメータおよび階層的変調において使用すべきパラメータの１つまたは複数を決定することができる。
【０１１７】
[0159]  いくつかの例では、パラメータ決定モジュール１０６５は、ＵＥから受信されるチャネル状態情報（ＣＳＩ：channel state information）に基づいて、ＵＥと関連付けられるチャネル品質を決定し、ＵＥのチャネル条件が階層的変調をサポートするかどうかを決定することができる。チャネル条件が階層的変調をサポートする場合、パラメータ決定モジュール１０６５は、基本変調レイヤと増強変調レイヤとの送信エネルギー比をＣＳＩに基づいて計算することができる。いくつかの例では、パラメータ決定モジュール１０６５は、複数の伝送時間間隔（ＴＴＩ）の各々に対するパラメータを決定することができる。いくつかの例では、パラメータ決定モジュール１０６５はまた、基本変調レイヤと増強変調レイヤの各々の送信に利用可能な空間レイヤの数を決定することができ、これはたとえば、ＵＥと関連付けられるＣＳＩおよびランクインジケータ（ＲＩ）に基づいて決定され得る。
【０１１８】
[0160]  いくつかの例では、パラメータ決定モジュールは、いくつかのＵＥのためのＣＳＩを決定し、ＵＥの各々のためのＣＳＩに基づいて、どのＵＥが基本変調レイヤまたは増強変調レイヤの１つまたは複数を受信すべきかを命令することができる。たとえば、決定されたＣＳＩに基づいてより低いチャネル品質を有すると決定された１つまたは複数のＵＥは、基本変調レイヤを受信することができ、決定されたＣＳＩに基づいてより高いチャネル品質を有すると決定された１つまたは複数のＵＥは、ＵＥへ送信されるべきコンテンツに応じて、増強変調レイヤを、または基本変調レイヤと増強変調レイヤの両方を受信することができる。重畳モジュール１０７０は、送信機モジュール４３０−ａによる送信のためにパラメータ決定モジュール１０６５によって決定されるパラメータに従って、増強変調レイヤを基本変調レイヤに重畳することができる。
【０１１９】
[0161]  ここで図１１を参照すると、本開示の態様による、ワイヤレス通信のための方法の例を概念的に示すフローチャートが説明されている。明快にするために、方法１１００は、図１、図２、図４、図７、図８、図９、および／または図１０に関して説明された基地局またはｅＮＢ１０５および／またはデバイス４０５の１つに関して以下で説明される。一例では、ｅＮＢまたはデバイスは、以下で説明される機能を実行するために、ｅＮＢまたはデバイスの機能要素を制御するためのコードの１つまたは複数のセットを実行し得る。
【０１２０】
[0162]  ブロック１１０５において、ｅＮＢは、送信を受信すべきＵＥのためのＣＳＩを決定することができる。上で言及されたように、ＣＳＩは、ＵＥによって提供されてよく、ＵＥが送信／受信し得る空間レイヤの数を示したランクインジケータ（ＲＩ）などの、ＵＥにおけるチャネル条件に関する情報およびＵＥに関する他の情報を含み得る。ブロック１１１０において、ｅＮＢは、増強変調レイヤの受信をサポートするチャネル条件を有するＵＥを決定することができる。ブロック１１１５において、ｅＮＢは、エネルギー比、トランスポートブロックサイズ、変調およびコーディングの方式などの、増強変調レイヤのためのパラメータを決定することができる。増強変調レイヤのためのパラメータは、たとえば、ＵＥのためのＣＳＩ、ＵＥのためのＲＩ、および送信されるべきデータに基づいて決定され得る。
【０１２１】
[0163]  ブロック１１２０において、ｅＮＢは、シグナリング情報をダウンリンクグラントにおいてＵＥに送信することができる。シグナリング情報は、たとえば、ＵＥが基本変調レイヤを受信すべきか、増強変調レイヤを受信すべきか、または両方を受信すべきかの指示を含むダウンリンクグラントと、レイヤ上のＵＥのためのダウンリンクリソースとを含み得る。シグナリング情報はまた、たとえば、基本変調レイヤと増強変調レイヤとの送信エネルギー比、基本変調レイヤおよび増強変調レイヤのためのトランスポートブロックサイズ、または、基本変調レイヤおよび増強変調レイヤのための変調とコーディングの方式の、１つまたは複数を含み得る。いくつかの例では、ダウンリンクグラントは、基本変調レイヤもしくは増強変調レイヤの１つまたは複数の上でＵＥに送信されるデータのリソースブロック位置、基本変調レイヤもしくは増強変調レイヤの１つまたは複数の上でＵＥに送信されるデータの変調とコーディングの方式（ＭＣＳ）、基本変調レイヤもしくは増強変調レイヤの１つまたは複数の上で送信するために使用されるプリコーディング行列、基本変調レイヤもしくは増強変調レイヤの１つまたは複数のためのレイヤマッピング、基本変調レイヤもしくは増強変調レイヤの１つまたは複数のためのコードブロックサイズ、または、基本変調レイヤもしくは増強変調レイヤの１つまたは複数のための空間レイヤの数の、１つまたは組合せを含み得る。
【０１２２】
[0164]  シグナリング情報は、いくつかの例では、ダウンリンクリソースを受信すべき各ＵＥに提供される、基本変調レイヤと増強変調レイヤの各々のための情報を備える単一のダウンリンクグラントにおいて提供され得る。いくつかの例では、ダウンリンクグラントは、階層的変調レイヤの１つのための情報を含んでよく、ダウンリンクグラントに埋め込まれる１つまたは複数のビットを通じてなどして、グラント（grant）が基本変調レイヤまたは増強変調レイヤのためのものであることの指示も含んでよい。いくつかの例では、基本変調レイヤまたは増強変調レイヤの指示は、ダウンリンクリソースが基本変調レイヤまたは増強変調レイヤのためのものであることを示すために、ＵＥのためのセル無線ネットワーク一時識別子（Ｃ−ＲＮＴＩ）によってマスクされる巡回冗長検査（ＣＲＣ）を含み得る。たとえば、基本変調レイヤのためのＣ−ＲＮＴＩは、ＵＥのための主要セル（ＰＣｅｌｌ）ＲＮＴＩ（ＰＣ−ＲＮＴＩ）を含んでよく、増強変調レイヤのためのＣ−ＲＮＴＩは、ＵＥのための二次的セル（ＳＣｅｌｌ）ＲＮＴＩ（ＳＣ−ＲＮＴＩ）を含んでよい。
【０１２３】
[0165]  他の例では、シグナリング情報の一部分のすべてが、たとえば、基本変調レイヤと増強変調レイヤとのエネルギー比、基本変調レイヤのための変調方式、増強変調レイヤのための変調方式、基本変調レイヤのためのリソースブロックサイズ、または増強変調レイヤのためのリソースブロックサイズを含み得る、無線リソース制御（ＲＲＣ）シグナリングを使用して提供され得る。そのような例では、ＲＲＣシグナリングにおいて提供されるパラメータは準静的（semi-statically）に構成されてよく、ダウンリンクグラントはそのような準静的に構成されたパラメータに基づいてよい。いくつかの例では、シグナリング情報は、物理制御フォーマットインジケータチャネル（ＰＣＦＩＣＨ）を使用して提供される。
【０１２４】
[0166]  図１１を続けて参照すると、ブロック１１２５において、ｅＮＢは基本変調レイヤ上にコンテンツを変調することができる。基本変調レイヤコンテンツは、基本変調レイヤおよび増強変調レイヤと関連付けられるパラメータに従って、基本変調レイヤ上に変調され得る。ブロック１１３０において、ｅＮＢは、コンテンツを同様の方式で増強変調レイヤ上に変調することができる。ブロック１１３５において、ｅＮＢは、基本変調レイヤと増強変調レイヤとを送信することができる。そのような送信は、増強変調レイヤを基本変調レイヤに重畳することと、変調レイヤを１つまたは複数のＵＥに送信することとを含み得る。
【０１２５】
[0167]  ここで図１２を参照すると、本開示の態様による、ワイヤレス通信のための方法の例を概念的に示すフローチャートが説明されている。明快にするために、方法１２００は、図１、図２、図４、図７、図８、図９、および／または図１０に関して説明された基地局またはｅＮＢ１０５および／またはデバイス４０５の１つに関して以下で説明される。一例では、ｅＮＢまたはデバイスは、以下で説明される機能を実行するために、ｅＮＢまたはデバイスの機能要素を制御するためのコードの１つまたは複数のセットを実行し得る。
【０１２６】
[0168]  ブロック１２０５において、ｅＮＢは、エネルギー比、トランスポートブロックサイズ、変調およびコーディングの方式などの、増強変調レイヤのためのパラメータを決定することができる。上で論じられたように、いくつかの例では、基本変調レイヤと増強変調レイヤの各々のために、別々のダウンリンクグラントが提供され得る。たとえば、いくつかのＵＥは基本変調レイヤ上でコンテンツを受信することができ、他のＵＥは増強変調レイヤ上でコンテンツを受信することができ、この場合、各変調レイヤのための別々のグラントが提供され得る。ブロック１２１０において、ｅＮＢは、基本変調レイヤ制御情報を、基本レイヤダウンリンクグラント（base layer downlink grant）において１つまたは複数のＵＥに送信することができる。ブロック１２１５において、ｅＮＢは、増強変調レイヤ制御情報を、増強レイヤダウンリンクグラントにおいて、増強レイヤを受信すべきＵＥへ送信することができる。これらのダウンリンクグラントの各々は、変調レイヤパラメータに関して上で説明された情報などの情報を含み得る。
【０１２７】
[0169]  ここで図１３を参照すると、ブロック図１３００は、本開示の様々な態様による、ワイヤレス通信において使用するためのデバイス１３０５を示す。いくつかの例では、デバイス１３０５は、図１、図２、図６、図７、図８、および／または図９に関して説明されるＵＥの１つまたは複数の態様の例であり得る。デバイス１３０５は、プロセッサでもあり得る。デバイス１３０５は、受信機モジュール１３１０、ＵＥ干渉低減モジュール（UE interference mitigation module）１３２０、ＵＥ階層的変調モジュール（UE hierarchical modulation module）１３２５、および／または送信機モジュール１３３０を含み得る。これらのコンポーネントの各々は、互いに通信し得る。
【０１２８】
[0170]  デバイス１３０５のコンポーネントは、適用可能な機能の一部またはすべてをハードウェアで実行するように適応された１つまたは複数のＡＳＩＣを用いて、個々にまたは集合的に実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【０１２９】
[0171]  いくつかの例では、受信機モジュール１３１０は、２つ以上の階層的変調レイヤ上での送信を受信するように動作可能なＲＦ受信機などのＲＦ受信機であってよく、またはそれを含んでよい。いくつかの例では、送信機モジュール１３３０は、２つ以上の階層的変調レイヤ上でデータを送信するように動作可能なＲＦ送信機などのＲＦ送信機であってよく、またはそれを含んでよい。ＲＦ送信機１３３０は、いくつかの例では、単一の送信機を含むことがあり、または送信／受信チェーンごとに単一の送信機を含むことがある。送信機モジュール１３３０は、図１、図２、図７、図８、および／または図９に関して説明されたワイヤレス通信システム１００、２００、７００、８００、および／または９００の１つまたは複数の通信リンク１２５などの、２つ以上の階層的変調レイヤを含むワイヤレス通信システムの１つまたは複数の通信リンクを通じて、様々なタイプのデータおよび／または制御信号（すなわち、送信）を送信するために使用され得る。
【０１３０】
[0172]  いくつかの例では、ＵＥ干渉低減モジュール１３２０は、受信機モジュール１３１０において受信される信号に対して干渉低減を実行することができる。たとえば、干渉低減モジュール１３２０は、たとえば、受信された信号から基本変調レイヤと関連付けられる干渉を除去して復号され得る増強レイヤを提供するために、受信された信号に対して干渉除去技法を実行することができる。ＵＥ干渉低減モジュール１３２０はまた、図１４〜図４６の様々な例について以下で説明されるように、他のセル内、セル間、および／または無線間の干渉除去技法を実行することができる。ＵＥ階層的変調モジュール１３２５は、複数の階層的変調レイヤを復号し、および／または、複数の階層的変調レイヤを構成して、２つ以上の階層的変調レイヤ上での送信をサポートするワイヤレス通信システムにおいて動作するときにデバイス１３０５のための各階層的変調レイヤ上で送信されるべきコンテンツを決定することができる。
【０１３１】
[0173]  ＵＥ階層的変調モジュール１３２５は、たとえば、基本変調レイヤを復号し、基本変調レイヤからの干渉を打ち消すために、受信された信号に対して干渉除去技法を実行し、増強変調レイヤを復号するように、デバイス１３０５を構成することができる。ＵＥ階層的変調モジュール１３２５はまた、変調レイヤの干渉除去と復号とを支援するために、１つまたは複数の変調レイヤと関連付けられるパラメータを決定することができる。いくつかの例では、２つ以上の増強変調レイヤが存在することがあり、その場合、ＵＥ階層的変調モジュール１３２５は、各々の連続的な変調レイヤの連続的な干渉除去と復号との実行を管理することができる。
【０１３２】
[0174]  ここで図１４を参照すると、本開示の態様による、ワイヤレス通信のための方法の例を概念的に示すフローチャートが説明されている。明快にするために、方法１４００は、図１、図２、図６、図７、図８、図９、および／または図１３に関して説明されたＵＥ１１５および／またはデバイス１３０５の１つに関して以下で説明される。一例では、ＵＥは、以下で説明される機能を実行するようにＵＥの機能要素を制御するためのコードの１つまたは複数のセットを実行し得る。
【０１３３】
[0175]  ブロック１４０５において、ＵＥは、基地局からダウンリンクグラントを受信することができ得る。たとえば、ＵＥは、ダウンリンクリソースが基本変調レイヤおよび／または増強変調レイヤのために割り振られていることを示すダウンリンクグラントをｅＮＢから受信することがあり、ダウンリンクグラントは、図１０〜図１２に関して上で論じられた情報などの情報を含み得る。ブロック１４１０において、ＵＥは、基本変調レイヤの伝送特性（transmission characteristics）と増強変調レイヤの伝送特性とを決定することができる。そのような特性は、ダウンリンクグラントに含まれるシグナリング情報に基づいて決定されてよく、および／または、上で論じられたものなどの、階層的変調レイヤと関連付けられるパラメータを含む受信されたＲＲＣシグナリングに基づいて決定されてよい。ブロック１４１５において、ＵＥは、基本変調レイヤからコンテンツを復号することができる。
【０１３４】
[0176]  ブロック１４２０において、ＵＥは、基本変調レイヤからの信号における干渉を低減するために、受信された信号に対して干渉除去技法を実行することができる。干渉除去は、たとえば、ダウンリンクグラント中の制御シグナリングにおいて提供される、またはＲＲＣシグナリングを通じて提供される、基本変調レイヤの伝送特性と増強変調レイヤの特性に基づき得る。制御シグナリングは、たとえば、干渉低減を実行する際に使用するための基本変調レイヤの信号特性（signal characteristics）を含み得る。いくつかの例では、制御シグナリングは、基本変調レイヤにおいて提供され得る。干渉除去技法は、たとえば、線形最小平均二乗誤差（ＭＭＳＥ）の抑制、ＱＲ分解ベースの球面復号（ＱＲ−ＳＤ）、および／または連続的干渉除去（ＳＩＣ）などの、１つまたは複数の確立されている干渉除去技法を含み得る。ブロック１４２５において、ＵＥは、増強変調レイヤからコンテンツを復号する。そのようなコンテンツは、たとえば、低優先度のデータまたはより低い送信データ誤り率の閾値を有するデータなどの、増強変調レイヤを使用して送信されるものとして決定されるコンテンツを含み得る。いくつかの例では、ＵＥは、任意選択のブロック１４３０において示されるように、復号された増強レイヤコンテンツに対してＨＡＲＱルーチンを実行し、送信を受信したことのＡＣＫ／ＮＡＣＫを送信することができる。
【０１３５】
[0177]  ここで図１５を参照すると、ブロック図１５００は、本開示の様々な態様による、ワイヤレス通信において使用するためのデバイス１３０５−ａを示す。いくつかの例では、デバイス１３０５−ａは、図１、図２、図６、図７、図８、図９、および／または図１３に関して説明されるＵＥ１１５またはデバイス１３０５の１つまたは複数の態様の例であり得る。デバイス１３０５−ａは、プロセッサであってもよい。デバイス１３０５−ａは、受信機モジュール１３１０−ａ、ＵＥ干渉低減モジュール１３２０−ａ、ＵＥ階層的変調モジュール１３２５−ａ、および／または送信機モジュール１３３０−ａを含み得る。これらのコンポーネントの各々は、互いに通信していてよい。
【０１３６】
[0178]  デバイス１３０５−ａのコンポーネントは、適用可能な機能の一部またはすべてをハードウェアで実行するように適応された１つまたは複数のＡＳＩＣによって、個々にまたは集合的に実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【０１３７】
[0179]  いくつかの例では、受信機モジュール１３１０−ａは、図１３の受信機モジュール１３１０の例であり得る。受信機モジュール１３１０−ａは、２つ以上の階層的変調レイヤ上での送信を受信するように動作可能なＲＦ受信機などのＲＦ受信機であってよく、またはそれを含んでよい。いくつかの例では、送信機モジュール１３３０−ａは、図１３の送信機モジュール１３３０の例であり得る。送信機モジュール１３３０−ａは、２つ以上の階層的変調レイヤ上でデータを送信するように動作可能なＲＦ送信機などのＲＦ送信機であってよく、またはそれを含んでよい。ＲＦ送信機１３３０−ａは、いくつかの例では、単一の送信機を含むことがあり、または送信／受信チェーンごとに単一の送信機を含むことがある。送信機モジュール１３３０−ａは、図１、図２、図７、図８、および／または図９に関して説明されたワイヤレス通信システム１００、２００、７００、８００、および／または９００の１つまたは複数の通信リンク１２５などの、２つ以上の階層的変調レイヤを含むワイヤレス通信システムの１つまたは複数の通信リンクを通じて、様々なタイプのデータおよび／または制御信号（すなわち、送信）を送信するために使用され得る。
【０１３８】
[0180]  ＵＥ干渉低減モジュール１３２０−ａは、図１３に関して説明されるＵＥ干渉低減モジュール１３２０の例であってよく、パラメータ決定モジュール１５１０と基本変調レイヤ干渉除去モジュール（base modulation layer interference cancellation module）１５１５とを含んでよい。これらのコンポーネントの各々は、互いに通信し得る。パラメータ決定モジュール１５１０は、干渉除去において使用するための、基本変調レイヤおよび／または増強変調レイヤと関連付けられる１つまたは複数のパラメータを決定することができる。たとえば、パラメータ決定モジュール１５１０は、基本変調レイヤと増強変調レイヤとのエネルギー比、レイヤの各々のＭＣＳ、基本変調レイヤもしくは増強変調レイヤの１つまたは複数の上でＵＥに送信されるデータのリソースブロック位置、基本変調レイヤもしくは増強変調レイヤの１つまたは複数の上で送信するために使用されるプリコーディング行列、基本変調レイヤもしくは増強変調レイヤの１つまたは複数のためのレイヤマッピング、基本変調レイヤもしくは増強変調レイヤの１つまたは複数のためのコードブロックサイズ、および／または、基本変調レイヤもしくは増強変調レイヤの１つまたは複数のための空間レイヤの数の、１つまたは複数を決定し得る。基本変調レイヤ干渉除去モジュール１５１５は、基本変調レイヤと関連付けられる干渉を打ち消すためにパラメータ決定モジュール１５１０によって提供されたパラメータを使用し、得られた信号を増強変調レイヤの復号のために提供することができる。干渉除去技法は、たとえば、上で論じられたような技法を含み得る。
【０１３９】
[0181]  ＵＥ階層的変調モジュール１３２５−ａは、図１３に関して説明されたＵＥ階層的変調モジュール１３２０の例であってよく、基本／増強変調レイヤ復号モジュール（base/enhancement modulation layer decoding module）１５０５を含んでよい。基本／増強変調レイヤ復号モジュール１５０５は、基本変調レイヤおよび増強変調レイヤ上に変調されるコンテンツを復号するように動作し得る。
【０１４０】
[0182]  ここで図１６を参照すると、ブロック図１６００は、本開示の様々な態様による、ワイヤレス通信において使用するためのデバイス１６０５を示す。いくつかの例では、デバイス１６０５は、図１、図２、図６、図７、図８、および／または図９に関して説明されるＵＥ１１５の１つまたは複数の態様の例であり得る。デバイス１６０５は、プロセッサでもあり得る。デバイス１６０５は、受信機モジュール１６１０、ＵＥ階層的変調モジュール１６２０、および／または送信機モジュール１６３０を含み得る。これらのコンポーネントの各々は、互いに通信し得る。
【０１４１】
[0183]  デバイス１６０５のコンポーネントは、適用可能な機能の一部またはすべてをハードウェアで実行するように適応された１つまたは複数のＡＳＩＣを用いて、個々にまたは集合的に実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【０１４２】
[0184]  いくつかの例では、受信機モジュール１６１０は、２つ以上の階層的変調レイヤ上での送信を受信するように動作可能なＲＦ受信機などのＲＦ受信機であってよく、またはそれを含んでよい。いくつかの例では、送信機モジュール１６３０は、２つ以上の階層的変調レイヤ上でデータを送信するように動作可能なＲＦ送信機などのＲＦ送信機であってよく、またはそれを含んでよい。ＲＦ送信機１６３０は、いくつかの例では、単一の送信機を含むことがあり、または送信／受信チェーンごとに単一の送信機を含むことがある。送信機モジュール１６３０は、図１、図２、図７、図８、および／または図９に関して説明されたワイヤレス通信システム１００、２００、７００、８００、および／または９００の１つまたは複数の通信リンク１２５などの、２つ以上の階層的変調レイヤを含むワイヤレス通信システムの１つまたは複数の通信リンクを通じて、様々なタイプのデータおよび／または制御信号（すなわち、送信）を送信するために使用され得る。
【０１４３】
[0185]  ＵＥ階層的変調モジュール１６２０は、複数の階層的変調レイヤを構成し、２つ以上の階層的変調レイヤ上での送信をサポートするワイヤレス通信システムにおいて動作するときにデバイス１６０５のための各階層的変調レイヤ上で送信されるべきコンテンツを決定することができる。たとえば、ＵＥ階層的変調モジュール１６２０は、各階層的変調レイヤ上での送信、各階層的変調レイヤ上でのコンテンツの変調、および送信モジュール１６３０を通じた送信のための階層的変調レイヤの重畳のためのコンテンツを決定するように、デバイス１６０５を構成することができる。ＵＥ階層的変調モジュール１６２０は、たとえば、図１〜図１２に関して上で説明されたものなどの、および図１７〜図４６において様々な例について以下で説明されるものなどの、ｅＮＢ階層的変調に関して上で論じられた方式と同様の方式で、階層的変調を実行することができる。
【０１４４】
[0186]  ここで図１７を参照すると、本開示の態様による、ワイヤレス通信のための方法の例を概念的に示すフローチャートが説明されている。明快にするために、方法１７００は、図１、図２、図６、図７、図８、図９、および／または図１６に関して説明されたＵＥ１１５および／またはデバイス１６０５の１つに関して以下で説明される。一例では、ＵＥは、以下で説明される機能を実行するようにＵＥの機能要素を制御するためのコードの１つまたは複数のセットを実行し得る。
【０１４５】
[0187]  ブロック１７０５において、ＵＥは、基地局から１つまたは複数のアップリンクグラントを受信することができる。アップリンクグラントは、アップリンクデータをｅＮＢに送信するためにＵＥが使用し得るアップリンクリソースに関する情報を提供することができる。いくつかの例では、単一のアップリンクグラントは、基本変調レイヤと増強変調レイヤの両方のための階層的変調リソースの指示を含み得る。他の例では、別個のアップリンクグラントが受信されてよく、第１のアップリンクグラントが基本変調レイヤのための階層的変調リソースを示し、第２のアップリンクグラントが増強変調レイヤのための階層的変調リソースを示す。上で論じられたものと同様に、基本変調レイヤは、増強変調レイヤよりも低い誤り率を有し得る。いくつかの例では、アップリンクグラントは、グラントが基本変調レイヤまたは増強変調レイヤのためのものであることの指示と、指示された基本変調レイヤまたは増強変調レイヤのアップリンクリソースとを含み得る。そのような指示は、たとえば、アップリンクグラントに埋め込まれる１つまたは複数のビットを含み得る。他の例では、基本変調レイヤまたは増強変調レイヤの指示は、アップリンクリソースが基本変調レイヤまたは増強変調レイヤのためのものであることを示すために、ＵＥのためのＣ−ＲＮＴＩによってマスクされる巡回冗長検査（ＣＲＣ）を含み得る。いくつかの例では、基本変調レイヤのためのＣ−ＲＮＴＩは、ＵＥのためのＰＣ−ＲＮＴＩを含んでよく、増強変調レイヤのためのＣ−ＲＮＴＩは、ＵＥのためのＳＣ−ＲＮＴＩを含んでよい。
【０１４６】
[0188]  ブロック１７１０において、ＵＥは、基本変調レイヤの伝送特性と増強変調レイヤの伝送特性とを決定することができる。この決定は、アップリンクグラントからの情報に基づいてよく、たとえば、基本変調レイヤと増強変調レイヤとのエネルギー比、レイヤマッピング情報、コードブロックサイズ、または、基本変調レイヤと増強変調レイヤの各々の中の空間レイヤの数の１つまたは複数の決定を含み得る。いくつかの例では、アップリンクグラントは、基本変調レイヤと増強変調レイヤの各々の送信のための空間レイヤの数を示し得る。他の例では、特性の１つまたは複数は、たとえば、基本変調レイヤと増強変調レイヤとの送信エネルギー比、基本変調レイヤおよび増強変調レイヤのためのトランスポートブロックサイズ、または、基本変調レイヤおよび増強変調レイヤのための変調とコーディングの方式の、１つまたは複数などのパラメータを含み得る、ＲＲＣシグナリングを通じて受信される受信されたシグナリング情報に基づいて決定され得る。他の例では、パラメータの１つまたは複数はアップリンクグラントにおいて提供されてよく、パラメータの他のものはＲＲＣシグナリングを通じて提供される。いくつかの例では、シグナリング情報は、ＰＣＦＩＣＨ上で受信されてよく、基本変調レイヤおよび増強変調レイヤの各々のために独立の制御情報を含み得る。
【０１４７】
[0189]  ブロック１７１５において、ＵＥは、基本変調レイヤと増強変調レイヤで送信されるべきコンテンツを決定することができる。上で論じられたものと同様に、コンテンツは、基本変調レイヤで送信されるべき第１のコンテンツと、増強変調レイヤで送信されるべき第２のコンテンツとを含み得る。異なるコンテンツは、様々な例において、異なるコンテンツと関連付けられる誤り率の閾値、高優先度のコンテンツか低優先度のコンテンツか、コンテンツと関連付けられるＱｏＳパラメータ、および／またはコンテンツのレイテンシに対する感受性に基づいて決定され得る。いくつかの例では、基本変調レイヤは物理アップリンク制御チャネル（ＰＵＣＣＨ）を含んでよく、増強変調レイヤは物理アップリンク共有チャネル（ＰＵＳＣＨ）を含んでよい。他の例では、基本変調レイヤと増強変調レイヤの両方がＰＵＳＣＨを含み得る。
【０１４８】
[0190]  いくつかの例では、第１のコンテンツは、ＰＵＣＣＨ上で送信される制御情報を含み得る。そのような制御情報は、たとえば、ダウンリンクデータの肯定応答（たとえば、ＨＡＲＱ  ＡＣＫ／ＮＡＣＫデータ）、チャネル状態情報（ＣＳＩ）、ランクインジケータ（ＲＩ）、またはスケジューリング要求（ＳＲ）の１つまたは複数を含み得る。いくつかの例では、制御情報はさらに、増強変調レイヤと関連付けられるアップリンク情報を含む。たとえば、あるデータレートが増強変調レイヤ上でのアップリンク送信のために使用されるべきであることをアップリンクグラントが示す場合、ＵＥは、そのようなデータレートがＵＥの送信出力に基づいてサポートされ得ないと決定することができ、ＵＥは、アップリンク情報において異なるデータレートの指示を提供することができる。
【０１４９】
[0191]  ブロック１７２０において、ＵＥは、基本変調レイヤ上にコンテンツを符号化することができる。ブロック１７２５において、ＵＥは、増強変調レイヤ上にコンテンツを符号化することができる。増強変調レイヤは、基本変調レイヤに重畳されてよく、ＵＥは、ブロック１７２５において示されるように、基本変調レイヤと増強変調レイヤとを送信することができる。階層的変調レイヤは、ｅＮＢにおいて受信され、上で論じられた方式と同様の方式で、ならびに、図２０Ａ、図２０Ｂ、および図２１に関して以下で論じられるように復号され得る。
【０１５０】
[0192]  上で論じられたように、基本変調レイヤおよび増強変調レイヤは、いくつかの異なる要因の１つまたは複数に基づいて異なるコンテンツを送信するために使用され得る。図１８は、ＵＥ１１５−ｉが階層的変調を使用してｅＮＢ１０５−ｅと通信できる、ワイヤレス通信システム１８００を示す。ワイヤレス通信システム１８００は、たとえば、図１、図２、図７、図８、および／または図９に示されたワイヤレス通信システム１００、２００、７００、８００、および／または９００の態様を示し得る。この例では、複数の変調レイヤがワイヤレス通信のために利用されてよく、この場合、基本変調レイヤ１８０５および増強変調レイヤ１８１０は、ＵＥ１１５−ｉとｅＮＢ１０５−ｅとの間で同時に送信され得る。単一の増強変調レイヤ１８１０が図１８において示されているが、他の例は２つ以上の増強変調レイヤを含み得る。図１６〜図１７に関して上で説明された方式などの方式で、増強変調レイヤ１８１０は、基本変調レイヤ１８０５に重畳されてよく、ＵＥ１１５−ｉとｅＮＢ１０５−ｅとの間の単一の通信リンクにおいて送信されてよい。
【０１５１】
[0193]  この例によれば、基本変調レイヤ１８０５は、ＵＥ１１５−ｉとｅＮＢ１０５−ｅとの間により信頼性の高い通信を提供することができ、ｅＮＢ１０５−ｅが基本変調レイヤ１８０５の受信と復号に成功し得ることの比較的高い確実性をもたらし得る。いくつかの例では、ｅＮＢ１０５−ｅは、ＨＡＲＱ技法に従ってなどして、基本変調レイヤ上での送信を受信したことのＡＣＫまたはＮＡＣＫを送信しなくてよい。そのようなフィードバックをなくすと、ＨＡＲＱ  ＡＣＫ／ＮＡＣＫ送信および関連する再送信と関連付けられるオーバーヘッドがより少なくなるので、基本変調レイヤ上での容量が増大し得る。基本変調レイヤ１８０５の比較的高い信頼性により、基本変調レイヤ１８０５の送信の高い信頼性と低減されたレイテンシの利益を受け得るコンテンツが、基本変調レイヤ上での送信のために選択され得る。たとえば、上で論じられたように、基本変調レイヤ１８０５は、高優先度のコンテンツ、レイテンシに対する感受性が高いコンテンツ、および／または制御／シグナリング情報を、ＵＥ１１５−ｉからｅＮＢ１０５−ｅに通信するために選択され得る。
【０１５２】
[0194]  様々な例によれば、増強変調レイヤ１８１０は、基本変調レイヤ１８０５と比較して、ＵＥ１１５−ｉとｅＮＢ１０５−ｅとの間でより信頼性の低い通信を提供し得る。したがって、ｅＮＢ１０５−ｅは、増強変調レイヤ１８１０の送信に対してＨＡＲＱ技法を実行し得るので、成功裏に受信され復号されなかった送信はＵＥ１１５−ｉによって再送信され得る。いくつかの例によれば、基本変調レイヤ１８０５は、約１％の誤り率を有することがあり、増強変調レイヤ１８１０は、約１０％の誤り率を有することがある。上で言及されたように、いくつかの例では、ＵＥ１１５−ｉは、基本変調レイヤ１８０５上での送信のために第１のコンテンツを特定することができる。
【０１５３】
[0195]  いくつかの例では、第１のコンテンツは、第１のコンテンツに対して要求または所望される初期送信における誤り率を定義する、第１の誤り率の閾値と関連付けられ得る。第１の誤り率の閾値は、たとえば第１のコンテンツに含まれる情報のタイプに基づいて決定され得る。ＵＥ１１５−ｉはまた、増強変調レイヤ１８１０上での送信のために第２のコンテンツを特定することができる。いくつかの例では、第２のコンテンツは、第１の誤り率の閾値よりも高い第２の誤り率の閾値と関連付けられ得る。第２の誤り率の閾値は、たとえば第２のコンテンツに含まれる情報のタイプに基づいて決定され得る。たとえば、第１のコンテンツは高優先度のコンテンツを含んでよく、第２のコンテンツは低優先度のコンテンツを含んでよい。
【０１５４】
[0196]  他の例では、基本変調レイヤ１８０５は制御および／または共有チャネル（たとえば、ＰＵＣＣＨ／ＰＵＳＣＨ）を含んでよく、増強変調レイヤ１８１０は共有チャネル（たとえば、ＰＵＳＣＨ）を含んでよい。いくつかの例では、第１のコンテンツは、ｅＮＢ１０５−ｅとの通信のためにＵＥ１１５−ｉによって使用され得る制御情報を含み得る。たとえば、制御情報は、スケジューリング要求情報、肯定応答情報、および／またはシグナリング情報を含んでよく、制御情報は、基本変調レイヤ１８０５上でＰＵＣＣＨを使用して送信されてよい。第２のコンテンツは、たとえば、増強変調レイヤ１８１０上でＰＵＳＣＨを使用して送信され得るユーザデータを含み得る。
【０１５５】
[0197]  ここで図１９を参照すると、ブロック図１９００は、本開示の様々な態様による、ワイヤレス通信において使用するためのデバイス１６０５−ａを示す。いくつかの例では、デバイス１６０５−ａは、図１、図２、図６、図７、図８、図９、図１３、図１５、図１６、および／または図１８に関して説明されるＵＥ１１５および／またはデバイス１３０５、１６０５の１つまたは複数の態様の例であり得る。デバイス１６０５は、プロセッサでもあり得る。デバイス１６０５は、受信機モジュール１６１０−ａ、ＵＥ階層的変調モジュール１６２０−ａ、および／または送信機モジュール１６３０−ａを含み得る。これらのコンポーネントの各々は、互いに通信していてよい。
【０１５６】
[0198]  デバイス１６０５−ａのコンポーネントは、適用可能な機能の一部またはすべてをハードウェアで実行するように適応された１つまたは複数のＡＳＩＣによって、個々にまたは集合的に実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【０１５７】
[0199]  いくつかの例では、受信機モジュール１６１０−ａは、図１６の受信機モジュール１６１０の例であり得る。受信機モジュール１６１０−ａは、２つ以上の階層的変調レイヤ上での送信を受信するように動作可能なＲＦ受信機などのＲＦ受信機であってよく、またはそれを含んでよい。いくつかの例では、送信機モジュール１６３０−ａは、図１６の送信機モジュール１６３０の例であり得る。送信機モジュール１６３０−ａは、２つ以上の階層的変調レイヤ上でデータを送信するように動作可能なＲＦ送信機などのＲＦ送信機であってよく、またはそれを含んでよい。ＲＦ送信機１６３０−ａは、いくつかの例では、単一の送信機を含むことがあり、または送信／受信チェーンごとに単一の送信機を含むことがある。送信機モジュール１６３０−ａは、図１、図２、図７、図８、図９、および／または図１８に関して説明されたワイヤレス通信システム１００、２００、７００、８００、９００、および／または１８００の１つまたは複数の通信リンク１２５などの、２つ以上の階層的変調レイヤを含むワイヤレス通信システムの１つまたは複数の通信リンクを通じて、様々なタイプのデータおよび／または制御信号（すなわち、送信）を送信するために使用され得る。
【０１５８】
[0200]  ＵＥ階層的変調モジュール１６２０−ａは、図１６に関して説明されるＵＥ階層的変調モジュール１６２０の例であってよく、基本／増強変調レイヤコンテンツ決定モジュール１９０５と、コンテンツ変調モジュール１９１０と、パラメータ決定モジュール１９１５と、重畳モジュール１９２０とを含み得る。これらのコンポーネントの各々は、互いに通信し得る。
【０１５９】
[0201]  いくつかの例では、たとえば図１６〜図１８に関して上で説明されたように、基本／増強変調レイヤコンテンツ決定モジュール１９０５は、基本変調レイヤを使用してデバイス１６０５−ａから送信されるべきコンテンツと、増強変調レイヤを使用してデバイス１６０５−ａから送信されるべきコンテンツとを決定することができる。コンテンツ変調モジュール１９１０は、適切な基本変調レイヤまたは増強変調レイヤ上に、決定されたコンテンツを変調することができる。パラメータ決定モジュール１９１５は、基本変調レイヤと増強変調レイヤとの送信エネルギー比などの、チャネル条件に関する様々なパラメータおよび階層的変調において使用すべきパラメータの１つまたは複数を決定することができる。
【０１６０】
[0202]  いくつかの例では、パラメータ決定モジュール１９１５は、ＣＳＩを決定し、チャネル条件が階層的変調をサポートするかどうかを決定するためにＣＳＩ情報をｅＮＢに提供することができる。いくつかの例では、パラメータ決定モジュール１９１５は、複数の伝送時間間隔（ＴＴＩ）の各々に対するパラメータを決定することができる。いくつかの例では、パラメータ決定モジュール１９６５はまた、基本変調レイヤと増強変調レイヤの各々の送信に利用可能な空間レイヤの数を決定することができ、これはたとえば、ランクインジケータにおいてｅＮＢに報告され得る。パラメータ決定モジュール１９１５はまた、階層的変調レイヤ送信のための１つまたは複数のパラメータを含む制御シグナリングに基づいて、階層的変調レイヤと関連付けられるパラメータを決定することができる。そのような受信されたパラメータは、たとえば、レイヤ間のエネルギー比、レイヤマッピング情報、コードブロックサイズ、基本変調レイヤと増強変調レイヤの各々の中の空間レイヤの数、または各変調レイヤのためのＭＣＳの１つまたは複数を含み得る。重畳モジュール１９２０は、送信機モジュール１６３０−ａによる送信のためにパラメータ決定モジュール１９１５によって決定されるパラメータに従って、増強変調レイヤを基本変調レイヤに重畳することができる。
【０１６１】
[0203]  ここで図２０Ａを参照すると、ブロック図２０００は、本開示の様々な態様による、ワイヤレス通信において使用するためのデバイス２００５を示す。いくつかの例では、デバイス２００５は、図１、図２、図４、図６、図７、図８、図９、図１０、および／または図１８に関して説明されるｅＮＢ１０５またはデバイス４０５の１つまたは複数の態様の例であり得る。デバイス２００５は、プロセッサでもあり得る。デバイス２００５は、受信機モジュール２０１０、ｅＮＢ干渉低減モジュール２０２０、ｅＮＢ階層的変調モジュール２０２５、および／または送信機モジュール２０３０を含み得る。これらのコンポーネントの各々は、互いに通信し得る。
【０１６２】
[0204]  デバイス２００５のコンポーネントは、適用可能な機能の一部またはすべてをハードウェアで実行するように適応された１つまたは複数のＡＳＩＣを用いて、個々にまたは集合的に実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【０１６３】
[0205]  いくつかの例では、受信機モジュール２０１０は、２つ以上の階層的変調レイヤ上での送信を受信するように動作可能なＲＦ受信機などのＲＦ受信機であってよく、またはそれを含んでよい。いくつかの例では、送信機モジュール２０３０は、２つ以上の階層的変調レイヤ上でデータを送信するように動作可能なＲＦ送信機などのＲＦ送信機であってよく、またはそれを含んでよい。ＲＦ送信機２０３０は、いくつかの例では、単一の送信機を含むことがあり、または送信／受信チェーンごとに単一の送信機を含むことがある。送信機モジュール２０３０は、図１、図２、図７、図８、図９、および／または図１８に関して説明されたワイヤレス通信システム１００、２００、７００、８００、９００、および／または１８００の１つまたは複数の通信リンク１２５のなどの、２つ以上の階層的変調レイヤを含むワイヤレス通信システムの１つまたは複数の通信リンクを通じて、様々なタイプのデータおよび／または制御信号（すなわち、送信）を送信するために使用され得る。
【０１６４】
[0206]  いくつかの例では、ｅＮＢ干渉低減モジュール２０２０は、受信機モジュール２０１０において受信される信号に対して干渉低減を実行することができる。たとえば、干渉低減モジュール２０２０は、たとえば、受信された信号から基本変調レイヤと関連付けられる干渉を打ち消して、復号され得る増強レイヤを提供するために、受信された信号に対して干渉除去技法を実行することができる。ｅＮＢ干渉低減モジュール２０２０はまた、図２２〜図４６の様々な例について以下で説明されるように、他のセル内、セル間、および／または無線間の干渉除去技法を実行することができる。ＵＥ階層的変調モジュール２０２５は、複数の階層的変調レイヤを復号し、および／または、複数の階層的変調レイヤを構成して、２つ以上の階層的変調レイヤ上での送信をサポートするワイヤレス通信システムにおいて動作するときにデバイス２００５のための各階層的変調レイヤ上で送信されるべきコンテンツを決定することができる。
【０１６５】
[0207]  ｅＮＢ階層的変調モジュール２０２５は、たとえば、基本変調レイヤを復号し、基本変調レイヤからの干渉を打ち消すために受信された信号に対して干渉除去技法を実行し、増強変調レイヤを復号するように、デバイス２００５を構成することができる。ｅＮＢ階層的変調モジュール２０２５はまた、変調レイヤの干渉除去と復号を支援するために、１つまたは複数の変調レイヤと関連付けられるパラメータを決定することができる。いくつかの例では、２つ以上の増強変調レイヤが存在することがあり、その場合、ｅＮＢ階層的変調モジュール２０２５は、各々の連続する変調レイヤの連続する干渉除去と復号との実行を管理することができる。
【０１６６】
[0208]  ここで図２０Ｂを参照すると、ブロック図２０５０は、本開示の様々な態様による、ワイヤレス通信において使用するためのデバイス２００５−ａを示す。いくつかの例では、デバイス２００５−ａは、図１、図２、図４、図６、図７、図８、図９、図１０、図１８、および／または図２０に関して説明されるｅＮＢ１０５またはデバイス４０５、２００５の１つまたは複数の態様の例であり得る。デバイス２００５−ａは、プロセッサでもあり得る。デバイス２００５−ａは、受信機モジュール２０１０−ａ、ｅＮＢ干渉低減モジュール２０２０−ａ、ｅＮＢ階層的変調モジュール２０２５−ａ、および／または送信機モジュール２０３０−ａを含み得る。これらのコンポーネントの各々は、互いに通信していてよい。
【０１６７】
[0209]  デバイス２００５−ａのコンポーネントは、適用可能な機能の一部またはすべてをハードウェアで実行するように適応された１つまたは複数のＡＳＩＣによって、個々にまたは集合的に実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【０１６８】
[0210]  いくつかの例では、受信機モジュール２０１０−ａは図２０Ａの受信機モジュール２０１０の例であり得る。受信機モジュール２０１０−ａは、２つ以上の階層的変調レイヤ上での送信を受信するように動作可能なＲＦ受信機などのＲＦ受信機であってよく、またはそれを含んでよい。いくつかの例では、送信機モジュール２０３０−ａは図２０Ａの送信機モジュール２０３０の例であり得る。送信機モジュール２０３０−ａは、２つ以上の階層的変調レイヤ上でデータを送信するように動作可能なＲＦ送信機などのＲＦ送信機であってよく、またはそれを含んでよい。ＲＦ送信機２０３０−ａは、いくつかの例では、単一の送信機を含むことがあり、または送信／受信チェーンごとに単一の送信機を含むことがある。送信機モジュール２０３０−ａは、図１、図２、図７、図８、図９、および／または図１８に関して説明されたワイヤレス通信システム１００、２００、７００、８００、９００、および／または１８００の１つまたは複数の通信リンク１２５などの、２つ以上の階層的変調レイヤを含むワイヤレス通信システムの１つまたは複数の通信リンクを通じて、様々なタイプのデータおよび／または制御信号（すなわち、送信）を送信するために使用され得る。
【０１６９】
[0211]  ｅＮＢ干渉低減モジュール２０２０−ａは、図２０Ａに関して説明されるｅＮＢ干渉低減モジュール２０２０の例であってよく、パラメータ決定モジュール２０６０と基本変調レイヤ干渉除去モジュール２０６５とを含んでよい。これらのコンポーネントの各々は、互いに通信し得る。パラメータ決定モジュール２０６０は、干渉除去において使用するための、基本変調レイヤおよび／または増強変調レイヤと関連付けられる１つまたは複数のパラメータを決定することができる。たとえば、パラメータ決定モジュール２０６０は、基本変調レイヤと増強変調レイヤとのエネルギー比、レイヤの各々のＭＣＳ、基本変調レイヤもしくは増強変調レイヤの１つまたは複数の上でＵＥによって送信されるデータのリソースブロック位置、基本変調レイヤもしくは増強変調レイヤの１つまたは複数の上で送信するために使用されるプリコーディング行列、基本変調レイヤもしくは増強変調レイヤの１つまたは複数のためのレイヤマッピング、基本変調レイヤもしくは増強変調レイヤの１つまたは複数のためのコードブロックサイズ、および／または、基本変調レイヤもしくは増強変調レイヤの１つまたは複数のための空間レイヤの数の、１つまたは複数を決定し得る。基本変調レイヤ干渉除去モジュール２０６５は、基本変調レイヤと関連付けられる干渉を打ち消すためにパラメータ決定モジュール２０６０によって提供された１つまたは複数のパラメータを使用し、得られた信号を増強変調レイヤの復号のために提供することができる。様々な例による干渉除去技法は、上で論じられたような技法（たとえば、線形ＭＭＳＥ抑制、ＱＲ−ＳＤ、ＳＩＣなど）を含み得る。
【０１７０】
[0212]  ｅＮＢ階層的変調モジュール２０２５−ａは、図２０Ａに関して説明されるｅＮＢ階層的変調モジュール２０２５の例であってよく、基本／増強変調レイヤ復号モジュール２０５５を含んでよい。基本／増強変調レイヤ復号モジュール２０５５は、基本変調レイヤおよび増強変調レイヤ上に変調されるコンテンツを復号するように動作し得る。
【０１７１】
[0213]  ここで図２１を参照すると、本開示の態様による、ワイヤレス通信のための方法の例を概念的に示すフローチャートが説明されている。明快にするために、方法２１００は、図１、図２、図４、図７、図８、図９、図１０、図１８、図２０Ａ、および／または図２０Ｂに関して説明された、ｅＮＢもしくは基地局１０５および／またはデバイス４０５、２００５の１つに関して以下で説明される。一例では、ｅＮＢは、以下で説明される機能を実行するようにｅＮＢの機能要素を制御するためのコードの１つまたは複数のセットを実行し得る。
【０１７２】
[0214]  ブロック２１０５において、ｅＮＢはＵＥのチャネル特性（channel characteristics）を決定することができる。そのようなチャネル特性は、たとえば、ＵＥから受信されるＣＳＩに基づいて決定され得る。ブロック２１１０において、ｅＮＢは、基本変調レイヤの伝送特性と増強変調レイヤの伝送特性とを決定することができる。そのような特性は、ＵＥのための決定されたチャネル特性および／またはＵＥと関連付けられる他の情報（たとえば、階層的変調のための容量、ＲＩ、送信出力など）に基づいて決定され得る。ブロック２１１５において、ｅＮＢは、ＵＥのためのアップリンクグラントに対するアップリンクグラント特性（uplink grant characteristics）を決定することができる。アップリンクグラント特性は、いくつかの例では、基本変調レイヤと増強変調レイヤとのエネルギー比、レイヤの各々のＭＣＳ、基本変調レイヤもしくは増強変調レイヤの１つまたは複数の上でＵＥによって送信されるデータのリソースブロック位置、基本変調レイヤもしくは増強変調レイヤの１つまたは複数の上で送信するために使用されるプリコーディング行列、基本変調レイヤもしくは増強変調レイヤの１つまたは複数のためのレイヤマッピング、基本変調レイヤもしくは増強変調レイヤの１つまたは複数のためのコードブロックサイズ、および／または、基本変調レイヤもしくは増強変調レイヤの１つまたは複数のための空間レイヤの数の、１つまたは複数を含み得る。
【０１７３】
[0215]  ブロック２１２０において、ｅＮＢは、１つまたは複数のアップリンクグラントをＵＥに送信することができる。ｅＮＢは、たとえば、基本変調レイヤのためのアップリンクグラントを含む単一のアップリンクグラント、基本変調レイヤと増強変調レイヤの両方のためのアップリンクグラント情報を含む単一のアップリンクグラント、または、基本変調レイヤと１つまたは複数の増強変調レイヤのための別々のアップリンクグラントを送信することができる。ブロック２１２５において、ｅＮＢは、アップリンク送信を受信し、基本変調レイヤからのコンテンツを復号することができる。ブロック２１３０において、ｅＮＢは、基本変調レイヤからの信号における干渉を低減するために、受信された信号に対して干渉除去技法を実行することができる。干渉除去は、たとえば、基本変調レイヤの伝送特性と増強変調レイヤの特性に基づき得る。干渉除去技法は、上で論じられた技法などの１つまたは複数の確立されている干渉除去技法を含み得る。ブロック２１３５において、ｅＮＢは、増強変調レイヤからコンテンツを復号し得る。そのようなコンテンツは、たとえば、低優先度のデータまたはより低い送信データ誤り率の閾値を有するデータなどの、増強変調レイヤを使用して送信されるものとして決定されるコンテンツを含み得る。いくつかの例では、ｅＮＢは、復号された増強レイヤコンテンツに対してＨＡＲＱルーチンを実行し、送信を受信したことのＡＣＫ／ＮＡＣＫを送信することができる。
【０１７４】
[0216]  図２２は、本開示の様々な態様による、いくつかのセル（たとえば、セルＩ２２０５−ａ、セルＩＩ２２０５−ｂ、およびセルＩＩＩ２２０５−ｃ）を有するワイヤレス通信システム２２００と、干渉除去環境とを示す。ワイヤレス通信システム２２００は、たとえば、図１および／または図２に示されたワイヤレス通信システム１００および／または２００の態様を示し得る。図２２の例では、いくつかの基地局の各々（たとえば、基地局１０５−ｆ、１０５−ｇ、１０５−ｈ、および１０５−ｉ）は、基地局のそれぞれのカバレッジエリア（たとえば、カバレッジエリア１１０−ｂ、１１０−ｃ、および１１０−ｄ）内のいくつかのＵＥ（たとえば、ＵＥ１１５−ｊ、１１５−ｋ、１１５−ｌ、および１１５−ｍ）と通信することができる。例として、セルＩ２２０５−ｃは、第１の基地局１０５−ｆと第２の基地局１０５−ｇとを含むものとして示される。
【０１７５】
[0217]  いくつかの状況または条件のもとでは、ワイヤレス通信システム２２００の基地局および／またはＵＥの間にセル間干渉が存在することがある。たとえば、セルＩＩＩ２２０５−ｃのＵＥ１１５−ｋは、セルＩＩ２２０５−ｂの基地局１０５−ｈからの干渉２２１０を受けることがある。例として、干渉２２１０は、基地局１０５−ｈの基準信号の送信（たとえば、主要同期信号（ＰＳＳ：primary synchronization signal）、２次的同期信号（ＳＳＳ：secondary synchronization signal）、セル固有基準信号（ＣＲＳ：cell-specific reference signal）、位置決め基準信号（ＰＲＳ：positioning reference signal）、ＣＳＩ基準信号（ＣＳＩ−ＲＳ：CSI reference signal）、またはＵＥ固有基準信号（ＵＥ−ＲＳ：UE-specific reference signal）の送信）、または、基地局１０５−ｈの制御チャネルおよびデータチャネルの送信（たとえば、ＰＢＣＨ、ＰＣＦＩＣＨ、ＰＨＩＣＨ、ＰＤＣＣＨ、ｅＰＤＣＣＨ、またはＰＤＳＣＨ）の結果であり得る。ＬＴＥシステムはすでに、これらのタイプの干渉を打ち消すための様々な方法（たとえば、ＲＳ−ＩＣ、制御−ＩＣ、およびデータ−ＩＣ）を実装している。
【０１７６】
[0218]  セルＩＩＩ２２０５−ｃのＵＥ１１５−ｋは、さらに、または代替的に、セルＩＩ２２０５−ｂのＵＥ１１５−ｊからの干渉２２１５を受けることがある。例として、干渉２２１５は、増強された干渉管理とトラフィック適合（ｅＩＭＴＡ：enhanced interference management and traffic adaptation）の結果であることがあり、これは、ＵＥ１１５−ｋにおけるダウンリンクサブフレームの受信（たとえば、基地局１０５−ｉによってＵＥ１１５−ｋに送信されるダウンリンクサブフレームの受信）の間に、ＵＥ１１５−ｊから基地局１０５−ｈへのアップリンクサブフレーム送信をもたらし得る。
【０１７７】
[0219]  ＵＥにおけるセル間干渉の別の例として、セルＩＩ２２０５−ｂのＵＥ１１５−ｊにおけるダウンリンクサブフレームの受信を考える。セルＩＩＩ２２０５−ｃのＵＥ１１５−ｋが別のノードへの（たとえば、別のＵＥ（たとえば、ＵＥ１１５−ｌ）への、ＷＬＡＮアクセスポイントへの、など）デバイス対デバイス（Ｄ２Ｄ）送信２２２０を行うが、ＵＥ１１５−ｊが基地局１０５−ｈからダウンリンクサブフレームを受信しているとき、ＵＥ１１５−ｊはＤ２Ｄ送信２２２０からの干渉２２１５を受けることがある。
【０１７８】
[0220]  セルＩ２２０５−ａ、セルＩＩ２２０５−ｂ、およびセルＩＩＩ２２０５−ｃが共通の事業者によって運用されているとき、近隣セル基地局１０５−ｆ、１０５−ｇ、１０５−ｈ、および１０５−ｉは、通信リンク２２２５−ａ、２２２５−ｂ、および２２２５−ｃ（たとえば、Ｘ２バックホールリンク）を通じて互いに通信し得る。
【０１７９】
[0221]  図２３は、ＬＴＥシステムにおける通信のフレームのために使用される様々なＴＤＤアップリンク−ダウンリンク（ＵＬ／ＤＬ）構成（たとえば、構成０、１、２、３、４、５、および６）のテーブル２３００を示す。ダウンリンクサブフレームは図において「Ｄ」によって示され、アップリンクサブフレームは「Ｕ」によって示され、特別サブフレームは「Ｓ」によって示される。ある点においては、ＵＬ／ＤＬ構成は、ダウンリンクからアップリンクへの切替点の周期性（switch-point periodicity）に基づいて分類され得る。より具体的には、構成０、１、２、および６は、５ミリ秒（ｍｓ）というダウンリンクからアップリンクへの切替点の周期性によって特徴付けられるが、構成３、４、および５は、１０ｍｓというダウンリンクからアップリンクへの切替点の周期性によって特徴付けられる。
【０１８０】
[0222]  事業者がｅＩＭＴＡを利用するとき、事業者の異なるセルが、通信の同じフレームのために異なるＴＤＤ  ＵＬ／ＤＬ構成を利用することがある。セルが同期して動作すると仮定すると、セルのすべてが、サブフレーム番号（subframe number）０、１、２、および５の間に、同じタイプのサブフレーム（たとえば、Ｄサブフレーム、Ｕサブフレーム、またはＳサブフレーム）を通信し得る。しかしながら、異なるＴＤＤ  ＵＬ／ＤＬ構成を利用する異なるセルは、サブフレーム番号３、４、６、７、８、および９の間に異なるタイプのサブフレームを通信し得る。異なるセルが単一のサブフレーム番号の間に異なるタイプのサブフレームを通信するとき（たとえば、あるセルがＤサブフレームを通信している間に別のセルがＵサブフレームを通信しているとき）、セル間干渉の可能性が高まり得る。
【０１８１】
[0223]  ここで図２４を参照すると、本開示の態様による、ＵＥにおけるワイヤレス通信の方法２４００の例を概念的に示すフローチャートが説明されている。図２４は、セル間干渉低減のための方法の例を示す。明快にするために、方法２４００は、図１および／または図２に関して説明された基地局、ｅＮＢ１０５、および／またはＵＥ１１５、および／または１１５の１つに関して以下で説明される。一例では、ＵＥまたは他のデバイスは、以下で説明される機能を実行するために、ＵＥまたは他のデバイスの機能要素を制御するためのコードの１つまたは複数のセットを実行し得る。
【０１８２】
[0224]  ブロック２４０５および／または２４１０において、ＵＥは、近隣セルＵＥから送信される信号の伝送特性情報を決定することができる。より具体的には、ブロック２４０５において、ＵＥは、近隣セルＵＥからの送信を監視することができる。いくつかの場合、監視される送信は、ＵＥのためにサービングセル基地局によって使用されるＴＤＤ  ＵＬ／ＤＬ構成とは異なるＴＤＤ  ＵＬ／ＤＬ構成に従って近隣セルＵＥから近隣セル基地局に送信されるアップリンクサブフレームを含み得る。近隣セルＵＥによって使用されるＴＤＤ  ＵＬ／ＤＬ構成は、サービングセル基地局からＵＥに送信されるダウンリンクサブフレームの間に近隣セルＵＥから近隣セル基地局に送信される少なくとも１つのアップリンクサブフレームを含んでよく、近隣セルＵＥから近隣セル基地局に送信されるこのアップリンクサブフレームは、サービングセル基地局からＵＥへのダウンリンクサブフレームの送信と干渉し得る。他の場合、監視される送信は、近隣セルＵＥから別の近隣セルノードへの（たとえば、別の近隣セルＵＥへの、ＷＬＡＮアクセスポイントへの、など）少なくとも１つのＤ２Ｄ送信を含み得る。近隣セルＵＥからの少なくとも１つのＤ２Ｄ送信は、サービングセル基地局からＵＥに送信されるダウンリンクサブフレームの間に送信され得る。
【０１８３】
[0225]  ブロック２４１０において、近隣セルＵＥから送信される信号の伝送特性情報が決定され得る。いくつかの例では、伝送特性情報は、変調次数、空間レイヤの数、またはプリコーディング情報の１つまたは複数を含み得る。いくつかの場合、伝送特性情報は、近隣セルＵＥからの送信を監視する間に受信される送信に基づいて決定され得る（たとえば、伝送特性情報は、受信される送信からブラインド検出（blindly detect）され得る）。
【０１８４】
[0226]  ブロック２４１５において、干渉低減（たとえば、干渉除去）が、サービングセル基地局からＵＥにおいて受信される信号に対して実行され得る。干渉低減は、決定された伝送特性情報に基づいて実行され得る。
【０１８５】
[0227]  図２５は、本開示の態様による、ワイヤレス通信において使用するためのＵＥなどのデバイス２５０５を概念的に示すブロック図である。デバイス２５０５は、様々な例によるセル間干渉低減のために使用され得る。いくつかの例では、デバイス２５０５は、図１および／または図２に関して説明されるＵＥ１１５の１つまたは複数の態様の例であり得る。デバイス２５０５は、プロセッサでもあり得る。デバイス２５０５は、受信機モジュール２５１０、ＵＥ干渉低減モジュール２５２０、および／または送信機モジュール２５３０を含み得る。これらのコンポーネントの各々は、互いに通信し得る。
【０１８６】
[0228]  デバイス２５０５のコンポーネントは、適用可能な機能の一部またはすべてをハードウェアで実行するように適応された１つまたは複数のＡＳＩＣを用いて、個々にまたは集合的に実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【０１８７】
[0229]  いくつかの例では、受信機モジュール２５１０は、２つ以上の階層的変調レイヤ上での送信を受信するように動作可能なＲＦ受信機などのＲＦ受信機であってよく、またはそれを含んでよい。受信機モジュール２５１０は、図１および／または図２に関して説明されたワイヤレス通信システム１００および／または２００の１つまたは複数の通信リンク１２５などの、ワイヤレス通信システムの１つまたは複数の通信リンクを通じて様々なタイプのデータおよび／または制御信号（すなわち、送信）を受信するために使用され得る。
【０１８８】
[0230]  いくつかの例では、送信機モジュール２５３０は、２つ以上の階層的変調レイヤ上で（たとえば、基本変調レイヤおよび１つまたは複数の増強変調レイヤを通じて）送信するように動作可能なＲＦ送信機などのＲＦ送信機であってよく、またはそれを含んでよい。送信機モジュール２５３０は、図１および／または図２に関して説明されたワイヤレス通信システム１００および／または２００の１つまたは複数の通信リンク１２５などの、ワイヤレス通信システムの１つまたは複数の通信リンクを通じて様々なタイプのデータおよび／または制御信号（すなわち、送信）を送信するために使用され得る。
【０１８９】
[0231]  いくつかの例では、ＵＥ干渉低減モジュール２５２０は、近隣セル情報決定モジュール２５３５および／または干渉低減モジュール２５４０を含み得る。
【０１９０】
[0232]  いくつかの例では、近隣セル情報決定モジュール２５３５は、近隣セルＵＥから送信される信号の伝送特性情報を決定するために使用され得る。いくつかの場合、近隣セルＵＥから送信される信号は、デバイス２５０５のためにサービングセル基地局によって使用されるＴＤＤ  ＵＬ／ＤＬ構成とは異なるＴＤＤ  ＵＬ／ＤＬ構成に従って近隣セルＵＥから近隣セル基地局に送信されるアップリンクサブフレームを含み得る。近隣セルＵＥによって使用されるＴＤＤ  ＵＬ／ＤＬ構成は、サービングセル基地局からデバイス２５０５に送信されるダウンリンクサブフレームの間に近隣セルＵＥから近隣セル基地局に送信される少なくとも１つのアップリンクサブフレームを含んでよく、近隣セルＵＥから近隣セル基地局に送信されるこのアップリンクサブフレームは、サービングセル基地局からデバイス２５０５へのダウンリンクサブフレームの送信と干渉し得る。他の場合、近隣セルＵＥから送信される信号は、近隣セルＵＥから別の近隣セルノードへの（たとえば、別の近隣セルＵＥへの、ＷＬＡＮアクセスポイントへの、など）少なくとも１つのＤ２Ｄ送信を含み得る。近隣セルＵＥからの少なくとも１つのＤ２Ｄ送信は、サービングセル基地局からデバイス２５０５に送信されるダウンリンクサブフレームの間に送信され得る。
【０１９１】
[0233]  いくつかの例では、近隣セル情報決定モジュール２５３５によって決定される伝送特性情報は、変調次数、空間レイヤの数、またはプリコーディング情報の１つまたは複数を含み得る。
【０１９２】
[0234]  いくつかの例では、近隣セル情報決定モジュール２５３５は、近隣セルＵＥからの送信を監視し、近隣セルＵＥからの送信を監視する間に受信される送信に基づいて、近隣セルＵＥから送信される信号の伝送特性情報を決定することができる。
【０１９３】
[0235]  いくつかの例では、近隣セル情報決定モジュール２５３５は、近隣セル基地局（たとえば、ｅＮＢの基地局）からの送信を監視し、近隣セル基地局からの送信を監視する間に受信される送信に基づいて、近隣セルＵＥから送信される信号の伝送特性情報を決定することができる。いくつかの場合、監視することは、近隣セル基地局のＰＤＣＣＨを監視することを含み得る。いくつかの場合、近隣セル基地局のＰＤＣＣＨを監視することは、近隣セルＵＥのためのアップリンクグラント情報（たとえば、アップリンクグラント）を復号することを含んでよく、近隣セルＵＥから送信される信号の伝送特性情報は、近隣セルＵＥからのアップリンク送信のためのアップリンクグラント情報に基づいて決定されてよく、ここでアップリンクグラント情報は、近隣セル基地局からの送信を監視する間に受信される。
【０１９４】
[0236]  いくつかの例では、近隣セル情報決定モジュール２５３５は、近隣セルＵＥから送信される信号の伝送特性情報を、デバイス２５０５のためのサービングセル基地局から受信することができる。図２７および／または図２９に関してより詳細に説明されるように、サービングセル基地局は、サービングセル基地局と近隣セル基地局の両方と通信している中央スケジューラから伝送特性情報を受信することができる。
【０１９５】
[0237]  いくつかの例では、干渉低減モジュール２５４０は、サービングセル基地局からデバイス２５０５において受信される信号に対して干渉低減（たとえば、干渉除去）を実行するために使用され得る。干渉低減は、決定された伝送特性情報に基づいて実行され得る。
【０１９６】
[0238]  ここで図２６を参照すると、本開示の態様による、ＵＥにおけるワイヤレス通信のための方法２６００の例を概念的に示すフローチャートが説明されている。図２６は、ワイヤレス通信システムにおけるセル間干渉低減のための方法の例を示す。明快にするために、方法２６００は、図１および／または図２に関して説明された基地局、ｅＮＢ１０５、および／またはＵＥ１１５の１つに関して以下で説明される。一例では、ＵＥまたは他のデバイスは、以下で説明される機能を実行するために、ＵＥまたは他のデバイスの機能要素を制御するためのコードの１つまたは複数のセットを実行し得る。
【０１９７】
[0239]  ブロック２６０５および／または２６１０において、ＵＥは、近隣セルＵＥから送信される信号の伝送特性情報を決定することができる。より具体的には、ブロック２６０５において、ＵＥは、近隣セル基地局（たとえば、ｅＮＢの基地局）からの送信を監視することができる。いくつかの場合、監視することは、近隣セル基地局のＰＤＣＣＨを監視することを含み得る。いくつかの場合、近隣セル基地局のＰＤＣＣＨを監視することは、近隣セルＵＥのためのアップリンクグラント情報（たとえば、アップリンクグラント）を復号することを含み得る。
【０１９８】
[0240]  ブロック２６１０において、近隣セルＵＥから送信される信号の伝送特性情報が決定され得る。いくつかの例では、伝送特性情報は、変調次数、空間レイヤの数、またはプリコーディング情報の１つまたは複数を含み得る。いくつかの場合、伝送特性情報は、近隣セル基地局からの送信を監視する間に受信される送信に基づいて（たとえば、近隣セルＵＥからのアップリンク送信のためのアップリンクグラント情報に基づいて、ここでアップリンクグラント情報は、近隣セル基地局からの送信を監視する間に受信される）決定され得る。
【０１９９】
[0241]  伝送特性情報が決定される対象である、近隣セルＵＥから送信される信号は、たとえば、ＵＥのためにサービングセル基地局によって使用されるＴＤＤ  ＵＬ／ＤＬ構成とは異なるＴＤＤ  ＵＬ／ＤＬ構成に従って近隣セルＵＥから近隣セル基地局に送信されるアップリンクサブフレームを含み得る。たとえば、近隣セルＵＥによって使用されるＴＤＤ  ＵＬ／ＤＬ構成は、サービングセル基地局からＵＥに送信されるダウンリンクサブフレームの間に近隣セルＵＥから近隣セル基地局に送信される少なくとも１つのアップリンクサブフレームを含んでよく、近隣セルＵＥから近隣セル基地局に送信されるこのアップリンクサブフレームは、サービングセル基地局からＵＥへのダウンリンクサブフレームの送信と干渉し得る。近隣セルＵＥから送信される信号はさらに、または代替的に、近隣セルＵＥから別の近隣セルノードへの（たとえば、別の近隣セルＵＥへの、ＷＬＡＮアクセスポイントへの、など）少なくとも１つのＤ２Ｄ送信を含み得る。いくつかの例では、近隣セルＵＥからの少なくとも１つのＤ２Ｄ送信は、サービングセル基地局からＵＥに送信されるダウンリンクサブフレームの間に送信され得る。
【０２００】
[0242]  ブロック２６１５において、干渉低減（たとえば、干渉除去）が、サービングセル基地局からＵＥにおいて受信される信号に対して実行され得る。干渉低減は、決定された伝送特性情報に基づいて実行され得る。
【０２０１】
[0243]  図２７は、本開示の様々な態様による、いくつかのセル（たとえば、セルＩ２７０５−ａおよびセルＩＩ２７０５−ｂ）を有するワイヤレス通信システム２７００と、干渉除去環境とを示す。ワイヤレス通信システム２７００は、たとえば、図１および／または図２に示されたワイヤレス通信システム１００および／または２００の態様を示し得る。図２７の例では、いくつかの基地局の各々（たとえば、基地局１０５−ｊおよび１０５−ｋ）は、基地局のそれぞれのカバレッジエリア内のいくつかのＵＥ（たとえば、ＵＥ１１５−ｎおよび１１５−ｏ）と通信することができる。
【０２０２】
[0244]  いくつかの状況または条件のもとでは、ワイヤレス通信システム２７００の基地局および／またはＵＥの間にセル間干渉が存在することがある。たとえば、セルＩＩ２７０５−ｂのＵＥ１１５−ｏは、セルＩ２７０５−ａの基地局１０５−ｊからの干渉２７１０を受けることがある。例として、干渉２７１０は、基地局１０５−ｊの基準信号の送信（たとえば、ＰＳＳ、ＳＳＳ、ＣＲＳ、ＰＲＳ、ＣＳＩ−ＲＳ、またはＵＥ−ＲＳの送信）、または基地局１０５−ｊの制御チャネルおよびデータチャネルの送信（たとえば、ＰＢＣＨ、ＰＣＦＩＣＨ、ＰＨＩＣＨ、ＰＤＣＣＨ、ｅＰＤＣＣＨ、またはＰＤＳＣＨ）の結果であり得る。前に言及されたように、ＬＴＥシステムはすでに、これらのタイプの干渉を打ち消すための様々な方法（たとえば、ＲＳ−ＩＣ、制御−ＩＣ、およびデータ−ＩＣ）を実装している。
【０２０３】
[0245]  セルＩＩ２７０５−ｂのＵＥ１１５−ｏは、さらに、または代替的に、セルＩ２７０５−ａのＵＥ１１５−ｎからの干渉２７１５を受けることがある。例として、干渉２７１５は、ｅＩＭＴＡの結果であることがあり、これは、ＵＥ１１５−ｏにおけるダウンリンクサブフレームの受信（たとえば、基地局１０５−ｋによってＵＥ１１５−ｏに送信されるダウンリンクサブフレームの受信）の間に、ＵＥ１１５−ｎから基地局１０５−ｊへのアップリンクサブフレーム送信をもたらし得る。
【０２０４】
[0246]  セルＩ２７０５−ａおよびセルＩＩ２７０５−ｂが共通の事業者によって運用されるとき、セルの基地局１０５−ｊおよび１０５−ｋは、図１および／または図２に関して説明されるＸ２バックホールリンクの１つなどの通信リンクを通じて、互いに通信し得る。いくつかの実施形態では、基地局１０５−ｊと１０５−ｋの間のＸ２バックホールリンクは、干渉２７１０および２７１５を低減するために基地局１０５−ｊおよび１０５−ｋによって使用可能な情報（たとえば、伝送特性情報）を共有するために使用され得る。いくつかの場合、共有される情報は、アップリンクグラント情報を含み得る。アップリンクグラント情報は、別のセルの基地局（たとえば、セルＩ２７０５−ａの基地局１０５−ｊ）がＵＥ（たとえば、ＵＥ１１５−ｎ）からアップリンクサブフレームを受信している間にあるセルの基地局（たとえば、セルＩＩ２７０５−ｂの基地局１０５−ｋ）がダウンリンクサブフレームをＵＥ（たとえば、ＵＥ１１５−ｏ）にいつ送信しているかを決定するために使用されてよく、このサブフレームの同時の送信はセル間の干渉を引き起こし得る。他の実施形態では、基地局１０５−ｊおよび１０５−ｋが通信している中央スケジューラ２７２０は、基地局の一方の伝送特性情報を基地局の他方と共有することができる。
【０２０５】
[0247]  ここで図２８を参照すると、本開示の態様による、ＵＥにおけるワイヤレス通信２８００のための方法の例を概念的に示すフローチャートが説明されている。図２８は、ワイヤレス通信システムにおけるセル間干渉低減のための方法の別の例を示す。明快にするために、方法２８００は、図１および／または図２に関して説明された基地局、ｅＮＢ１０５、および／またはＵＥ１１５の１つに関して以下で説明される。一例では、ＵＥまたは他のデバイスは、以下で説明される機能を実行するために、ＵＥまたは他のデバイスの機能要素を制御するためのコードの１つまたは複数のセットを実行し得る。
【０２０６】
[0248]  ブロック２８０５において、ＵＥは、近隣セルＵＥから送信される信号の伝送特性情報を決定することができる。いくつかの例では、伝送特性情報は、ＵＥのためにサービングセル基地局から伝送特性情報を受信することによって決定され得る。いくつかの例では、伝送特性情報は、変調次数、空間レイヤの数、またはプリコーディング情報の１つまたは複数を含み得る。
【０２０７】
[0249]  伝送特性情報が決定される対象である、近隣セルＵＥから送信される信号は、たとえば、ＵＥのためにサービングセル基地局によって使用されるＴＤＤ  ＵＬ／ＤＬ構成とは異なるＴＤＤ  ＵＬ／ＤＬ構成に従って近隣セルＵＥから近隣セル基地局に送信されるアップリンクサブフレームを含み得る。たとえば、近隣セルＵＥによって使用されるＴＤＤ  ＵＬ／ＤＬ構成は、サービングセル基地局からＵＥに送信されるダウンリンクサブフレームの間に近隣セルＵＥから近隣セル基地局に送信される少なくとも１つのアップリンクサブフレームを含んでよく、近隣セルＵＥから近隣セル基地局に送信されるこのアップリンクサブフレームは、サービングセル基地局からＵＥへのダウンリンクサブフレームの送信と干渉し得る。近隣セルＵＥから送信される信号はさらに、または代替的に、近隣セルＵＥから別の近隣セルノードへの（たとえば、別の近隣セルＵＥへの、ＷＬＡＮアクセスポイントへの、など）少なくとも１つのＤ２Ｄ送信を含み得る。いくつかの例では、近隣セルＵＥからの少なくとも１つのＤ２Ｄ送信は、サービングセル基地局からＵＥに送信されるダウンリンクサブフレームの間に送信され得る。
【０２０８】
[0250]  ブロック２８１０において、干渉低減（たとえば、干渉除去）が、サービングセル基地局からＵＥにおいて受信される信号に対して実行され得る。干渉低減は、決定された伝送特性情報に基づいて実行され得る。
【０２０９】
[0251]  ここで図２９を参照すると、本開示の様々な態様による、ＵＥにおけるワイヤレス通信のための方法２９００の例を概念的に示すフローチャートが説明されている。図２９は、ワイヤレス通信システムにおけるセル間干渉低減のための方法の別の例を示す。明快にするために、方法２９００は、図１および／または図２に関して説明された基地局、ｅＮＢ１０５、および／またはＵＥ１１５の１つに関して以下で説明される。一例では、基地局、ｅＮＢ、または他のデバイスは、以下で説明される機能を実行するように基地局、ｅＮＢ、または他のデバイスの機能要素を制御するためのコードの１つまたは複数のセットを実行し得る。
【０２１０】
[0252]  ブロック２９０５において、サービングセル基地局は、近隣セルＵＥから送信される信号の伝送特性情報を受信することができる。伝送特性情報は、たとえば、近隣セル基地局とのＸ２バックホールリンクを通じて、および／または、サービングセル基地局と近隣セル基地局の両方と通信している中央スケジューラから受信され得る。
【０２１１】
[0253]  伝送特性情報が決定される対象である、近隣セルＵＥから送信される信号は、たとえば、ＵＥのためにサービングセル基地局によって使用されるＴＤＤ  ＵＬ／ＤＬ構成とは異なるＴＤＤ  ＵＬ／ＤＬ構成に従って近隣セルＵＥから近隣セル基地局に送信されるアップリンクサブフレームを含み得る。たとえば、近隣セルＵＥによって使用されるＴＤＤ  ＵＬ／ＤＬ構成は、サービングセル基地局からサービングセル基地局と関連付けられるＵＥへ送信されるダウンリンクサブフレームの間に近隣セルＵＥから近隣セル基地局に送信される少なくとも１つのアップリンクサブフレームを含んでよく、近隣セルＵＥから近隣セル基地局に送信されるこのアップリンクサブフレームは、サービングセル基地局からＵＥへのダウンリンクサブフレームの送信と干渉し得る。近隣セルＵＥから送信される信号はさらに、または代替的に、近隣セルＵＥから別の近隣セルノードへの（たとえば、別の近隣セルＵＥへの、ＷＬＡＮアクセスポイントへの、など）少なくとも１つのＤ２Ｄ送信を含み得る。いくつかの例では、近隣セルＵＥからの少なくとも１つのＤ２Ｄ送信は、サービングセル基地局からＵＥに送信されるダウンリンクサブフレームの間に送信され得る。いくつかの例では、伝送特性情報は、変調次数、空間レイヤの数、またはプリコーディング情報の１つまたは複数を含み得る。
【０２１２】
[0254]  ブロック２９１０において、サービングセル基地局は、サービングセル基地局と関連付けられる１つまたは複数のＵＥに伝送特性情報を送信することができる。ＵＥは次いで、サービングセル基地局からＵＥにおいて受信される信号に対して干渉低減（たとえば、干渉除去）を実行するために伝送特性情報を使用し得る。
【０２１３】
[0255]  図３０は、本開示の様々な態様による、ワイヤレス通信において使用するための基地局またはｅＮＢなどの装置３００５を概念的に示すブロック図である。いくつかの例では、装置３００５は、図１および／または図２に関して説明された基地局またはｅＮＢ１０５の１つまたは複数の態様の例であり得る。装置３００５は、プロセッサでもあり得る。装置３００５は、受信機モジュール３０１０、基地局干渉低減モジュール（base station interference mitigation module）３０２０、および／または送信機モジュール３０３０を含み得る。これらのコンポーネントの各々は、互いに通信し得る。
【０２１４】
[0256]  装置３００５のコンポーネントは、適用可能な機能の一部またはすべてをハードウェアで実行するように適応された１つまたは複数のＡＳＩＣを用いて、個別にまたは集合的に実装され得る。代替として、それらの機能は、１つまたは複数の他の処理ユニット（またはコア）によって、１つまたは複数の集積回路上で実行される場合がある。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【０２１５】
[0257]  いくつかの例では、受信機モジュール３０１０は、２つ以上の階層的変調レイヤ上での送信を受信するように動作可能なＲＦ受信機などのＲＦ受信機であってよく、またはそれを含んでよい。受信機モジュール３０１０は、図１および／または図２に関して説明されたワイヤレス通信システム１００および／または２００の１つまたは複数の通信リンク１２５などの、ワイヤレス通信システムの１つまたは複数の通信リンクを通じて様々なタイプのデータおよび／または制御信号（すなわち、送信）を受信するために使用され得る。
【０２１６】
[0258]  いくつかの例では、送信機モジュール３０３０は、２つ以上の階層的変調レイヤ上で（たとえば、基本変調レイヤおよび１つまたは複数の増強変調レイヤを通じて）送信するように動作可能なＲＦ送信機などのＲＦ送信機であってよく、またはそれを含んでよい。送信機モジュール３０３０は、図１および／または図２に関して説明されたワイヤレス通信システム１００および／または２００の１つまたは複数の通信リンク１２５などの、ワイヤレス通信システムの１つまたは複数の通信リンクを通じて様々なタイプのデータおよび／または制御信号（すなわち、送信）を送信するために使用され得る。
【０２１７】
[0259]  いくつかの例では、基地局干渉低減モジュール３０２０は、近隣セル情報決定モジュール３０３５および／またはスケジューラ通信モジュール（scheduler communication module）３０４０を含み得る。
【０２１８】
[0260]  いくつかの例では、基地局干渉低減モジュール３０２０は、近隣セルＵＥから送信される信号の伝送特性情報を受信することができる。伝送特性情報は、たとえば、近隣セル基地局とのＸ２バックホールリンクを通じて、および／または、装置３００５と近隣セル基地局の両方と通信している中央スケジューラから受信され得る。
【０２１９】
[0261]  いくつかの例では、受信される伝送特性情報は、近隣セルＵＥから送信される信号の伝送特性情報であり得る。いくつかの場合、近隣セルＵＥから送信される信号は、装置３００５によって使用されるＴＤＤ  ＵＬ／ＤＬ構成とは異なるＴＤＤ  ＵＬ／ＤＬ構成に従って近隣セルＵＥから近隣セル基地局に送信されるアップリンクサブフレームを含み得る。近隣セルＵＥによって使用されるＴＤＤ  ＵＬ／ＤＬ構成は、装置３００５から装置３００５と関連付けられるＵＥへ送信されるダウンリンクサブフレームの間に近隣セルＵＥから近隣セル基地局に送信される少なくとも１つのアップリンクサブフレームを含んでよく、近隣セルＵＥから近隣セル基地局に送信されるこのアップリンクサブフレームは、装置３００５からＵＥへのダウンリンクサブフレームの送信と干渉し得る。他の場合、近隣セル情報決定モジュール３０３５によって受信される伝送特性情報は、近隣セルＵＥから別の近隣セルノードへの（たとえば、別の近隣セルＵＥへの、ＷＬＡＮアクセスポイントへの、など）少なくとも１つのＤ２Ｄ送信の伝送特性情報であり得る。近隣セルＵＥからの少なくとも１つのＤ２Ｄ送信は、装置３００５からＵＥに送信されるダウンリンクサブフレームの間に送信され得る。
【０２２０】
[0262]  いくつかの例では、近隣セル情報決定モジュール３０３５によって受信される伝送特性情報は、変調次数、空間レイヤの数、またはプリコーディング情報の１つまたは複数を含み得る。
【０２２１】
[0263]  いくつかの例では、近隣セル情報決定モジュール３０３５はさらに、または代替的に、近隣セルＵＥから送信される信号の伝送特性情報がそれから決定され得る、情報を受信することができる。
【０２２２】
[0264]  スケジューラ通信モジュール３０４０は、中央スケジューラと通信して伝送特性情報を近隣セル情報決定モジュール３０３５に中継するために、基地局干渉低減モジュール３０２０によって利用され得る。
【０２２３】
[0265]  近隣セルＵＥから送信される信号の伝送特性情報を受信および／または決定すると、基地局干渉低減モジュール３０２０は、装置３００５と関連付けられる１つまたは複数のＵＥに伝送特性情報を送信することができる。ＵＥは次いで、装置３００５からＵＥにおいて受信される信号（たとえば、ダウンリンクサブフレーム）に対して干渉低減（たとえば、干渉除去）を実行するために伝送特性情報を使用し得る。
【０２２４】
[0266]  図３１は、本開示の様々な態様による、いくつかのセル（たとえば、セルＩ３１０５−ａおよびセルＩＩ３１０５−ｂ）を有する別のワイヤレス通信システム３１００と、干渉除去環境とを示す。ワイヤレス通信システム３１００は、たとえば、図１および／または図２に示されたワイヤレス通信システム１００および／または２００の態様を示し得る。図３１の例では、いくつかの基地局の各々（たとえば、基地局１０５−ｌ、１０５−ｍ、および１０５−ｎ）は、基地局のそれぞれのカバレッジエリア（たとえば、カバレッジエリア１１０−ｅおよび１１０−ｆ）内のいくつかのＵＥ（たとえば、ＵＥ１１５−ｐ）と通信することができる。例として、セルＩ３１０５−ａは、第１の基地局１０５−ｌと第２の基地局１０５−ｍとを含むものとして示される。
【０２２５】
[0267]  いくつかの状況または条件のもとでは、ワイヤレス通信システム３１００の基地局および／またはＵＥの間にセル間干渉が存在することがある。たとえば、セルＩ３１０５−ａの基地局１０５−ｌは、セルＩＩ３１０５−ｂのＵＥ１１５−ｐから干渉３１１０を受けることがある。例として、干渉３１１０は、制御チャネルの送信（たとえば、物理ランダムアクセスチャネル（ＰＲＡＣＨ：physical random access channel）、ＰＵＣＣＨ、またはサウンディング基準信号（ＳＲＳ：sounding reference signal）の送信）、またはＵＥ１１５−ｐのデータチャネルの送信（たとえば、ＰＵＳＣＨの送信）の結果であり得る。ＬＴＥシステムはすでに、これらのタイプの干渉（たとえば、ＰＲＡＣＨ干渉除去（ＰＲＡＣＨ−ＩＣ）、ＰＵＣＣＨ−ＩＣ、およびＰＵＳＣＨ−ＩＣ）を打ち消すために様々な方法を実施することができる。
【０２２６】
[0268]  セルＩ３１０５−ａの基地局１０５−ｌはさらに、または代替的に、セルＩＩ３１０５−ｂの基地局１０５−ｎから干渉３１２０を受けることがある。例として、干渉３１２０はｅＩＭＴＡの結果であることがあり、これは、セルＩ３１０５−ａの基地局１０５−ｌが、それがサービングセル基地局としてサービスしているＵＥの１つまたは複数から送信されるアップリンクサブフレームを受信している間に、セルＩＩ３１０５−ｂの基地局１０５−ｎからのダウンリンクサブフレームの送信をもたらし得る。
【０２２７】
[0269]  セルＩ３１０５−ａおよびセルＩＩ３１０５−ｂが共通の事業者によって運用されるとき、基地局１０５−ｌ、１０５−ｍ、および１０５−ｎは、Ｘ２バックホールリンクなどの通信リンクを通じて互いに通信し得る。
【０２２８】
[0270]  ここで図３２を参照すると、本開示の態様による、サービングセル基地局におけるワイヤレス通信ための方法の例を概念的に示すフローチャートが説明されている。図３２は、たとえば、図３１に関して上で説明されたワイヤレス通信システム３１００におけるセル間干渉低減のための方法の例を示す。明快にするために、方法３２００は、図１および／または図２に関して説明された基地局、ｅＮＢ１０５、および／またはＵＥ１１５の１つに関して以下で説明される。一例では、基地局、ｅＮＢ、または他のデバイスは、以下で説明される機能を実行するように基地局、ｅＮＢ、または他のデバイスの機能要素を制御するためのコードの１つまたは複数のセットを実行し得る。
【０２２９】
[0271]  ブロック３２０５において、サービングセル基地局は、近隣セル基地局から送信される信号の伝送特性情報を決定することができる。いくつかの例では、伝送特性情報が決定される対象である、近隣セル基地局から送信される信号は、たとえば、サービングセル基地局によって使用されるＴＤＤ  ＵＬ／ＤＬ構成とは異なるＴＤＤ  ＵＬ／ＤＬ構成に従って近隣セルＵＥに送信されるダウンリンクサブフレームを含み得る。たとえば、近隣セル基地局によって使用されるＴＤＤ  ＵＬ／ＤＬ構成は、サービングセル基地局と関連付けられるＵＥから送信されるアップリンクサブフレームの間に近隣セル基地局から近隣セルＵＥに送信される少なくとも１つのダウンリンクサブフレームを含んでよく、近隣セル基地局から近隣セルＵＥに送信されるこのダウンリンクサブフレームは、サービングセル基地局へのアップリンクサブフレームの送信と干渉し得る。
【０２３０】
[0272]  いくつかの場合、近隣セル基地局から送信される信号の伝送特性情報を決定することは、近隣セル基地局からの送信を監視することと、近隣セル基地局からの送信を監視する間に受信される送信に基づいて、近隣セル基地局からのダウンリンク送信のためのダウンリンク伝送特性情報を決定することとを含み得る。
【０２３１】
[0273]  ブロック３２１０において、サービングセル基地局は、近隣セルＵＥから送信される信号の伝送特性情報を決定することができる。いくつかの例では、伝送特性情報が決定される対象である、近隣セルＵＥから送信される信号は、たとえば、サービングセル基地局と関連付けられるＵＥからのアップリンクサブフレーム送信の間の、アップリンク制御チャネル送信またはアップリンクデータチャネル送信の１つまたは複数を含み得る。
【０２３２】
[0274]  いくつかの場合、近隣セルＵＥから送信される信号の伝送特性情報を決定することは、近隣セルＵＥからの送信を監視することと、近隣セルＵＥからの送信を監視する間に受信される送信に基づいて、近隣セルＵＥから送信される信号の伝送特性情報を決定することとを含み得る。他の場合、近隣セルＵＥから送信される信号の伝送特性情報を決定することは、近隣セル基地局からの送信を監視することと、近隣セル基地局からの送信を監視する間に受信される送信に基づいて、近隣セルＵＥから送信される信号の伝送特性情報を決定することとを含み得る。いくつかの例では、近隣セル基地局からの送信を監視することは、近隣セル基地局のＰＤＣＣＨを監視すること（たとえば、アップリンクグラントについてＰＤＣＣＨを監視すること）を含み得る。いくつかの例では、近隣セルＵＥから送信される信号の伝送特性情報は、変調次数、空間レイヤの数、またはプリコーディング情報の１つまたは複数を含み得る。
【０２３３】
[0275]  ブロック３２１５において、サービングセル基地局は、サービングセル基地局と関連付けられるＵＥから受信される信号に対して干渉低減（たとえば、干渉除去）を実行することができる。干渉低減は、決定された伝送特性情報に基づいて実行され得る。いくつかの例では、干渉低減は、ＵＥによってＬＴＥシステムにおいて現在実装されている、ＲＳ−ＩＣ、制御−ＩＣ、またはデータ−ＩＣの１つまたは複数を含み得る。
【０２３４】
[0276]  いくつかの例では、近隣セル基地局と近隣セルＵＥのどちらが、サービングセル基地局と関連付けられるＵＥからのアップリンクサブフレーム送信の間に送信しているかが（たとえば、サービングセル基地局または中央スケジューラによって）決定されてよく、ブロック３２１５において実行される干渉低減は、サービングセル基地局と関連付けられるＵＥからのアップリンクサブフレーム送信の間に近隣セル基地局と近隣セルＵＥのどちらが送信しているかに基づき得る。
【０２３５】
[0277]  いくつかの例では、近隣セル基地局から送信される信号の伝送特性情報を決定すること、および、近隣セルＵＥから送信される信号の伝送特性情報を決定することは、近隣セル基地局とのＸ２バックホールリンクを通じて伝送特性情報を受信することを含み得る。代替的に、または加えて、伝送特性情報は、サービングセル基地局および近隣セル基地局と通信している中央スケジューラから受信され得る。
【０２３６】
[0278]  図３３は、本開示の様々な態様による、ワイヤレス通信において使用するための基地局またはｅＮＢなどのデバイス３３０５を概念的に示すブロック図である。いくつかの例では、デバイス３３０５は、図１および／または図２に関して説明された基地局またはｅＮＢ１０５の１つまたは複数の態様の例であり得る。デバイス３３０５は、プロセッサでもあり得る。デバイス３３０５は、受信機モジュール３３１０、基地局干渉低減モジュール３３２０、および／または送信機モジュール３３３０を含み得る。これらのコンポーネントの各々は、互いに通信し得る。
【０２３７】
[0279]  デバイス３３０５のコンポーネントは、適用可能な機能の一部またはすべてをハードウェアで実行するように適応された１つまたは複数のＡＳＩＣを用いて、個々にまたは集合的に実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【０２３８】
[0280]  いくつかの例では、受信機モジュール３３１０は、２つ以上の階層的変調レイヤ上での送信を受信するように動作可能なＲＦ受信機などのＲＦ受信機であってよく、またはそれを含んでよい。受信機モジュール３３１０は、図１および／または図２に関して説明されたワイヤレス通信システム１００および／または２００の１つまたは複数の通信リンク１２５などの、ワイヤレス通信システムの１つまたは複数の通信リンクを通じて様々なタイプのデータおよび／または制御信号（すなわち、送信）を受信するために使用され得る。
【０２３９】
[0281]  いくつかの例では、送信機モジュール３３３０は、２つ以上の階層的変調レイヤ上で（たとえば、基本変調レイヤおよび１つまたは複数の増強変調レイヤを通じて）送信するように動作可能なＲＦ送信機などのＲＦ送信機であってよく、またはそれを含んでよい。送信機モジュール３３３０は、図１および／または図２に関して説明されたワイヤレス通信システム１００および／または２００の１つまたは複数の通信リンク１２５などの、ワイヤレス通信システムの１つまたは複数の通信リンクを通じて様々なタイプのデータおよび／または制御信号（すなわち、送信）を送信するために使用され得る。
【０２４０】
[0282]  いくつかの例では、基地局干渉低減モジュール（base station interference mitigation module）３３２０は、近隣セル基地局情報決定モジュール（neighboring cell base station information determination module）３３３５、近隣セルＵＥ情報決定モジュール３３４０、および／またはスケジューラ通信モジュール（scheduler communication module）３３４５を含み得る。近隣セル基地局情報決定モジュール（neighboring cell base station information determination module）３３３５を使用して近隣セル基地局から送信される信号の伝送特性情報を決定すると、または、近隣セルＵＥ情報決定モジュール３３４０を使用して近隣セルＵＥから送信される信号の伝送特性情報を決定すると、基地局干渉低減モジュール３３２０は、デバイス３３０５と関連付けられるＵＥ（たとえば、デバイス３３０５がサービングセル基地局として機能するＵＥ）から受信される信号に対して干渉低減（たとえば、干渉除去）を実行することができる。干渉低減は、決定された伝送特性情報に基づいて実行され得る。いくつかの例では、基地局干渉低減モジュール３３２０は、デバイス３３０５と関連付けられる複数のＵＥから受信される複数の信号に対して干渉低減を実行するために使用され得る。いくつかの例では、干渉低減は、ＵＥによってＬＴＥシステムにおいて現在実装されている、ＲＳ−ＩＣ、制御−ＩＣ、またはデータ−ＩＣの１つまたは複数を含み得る。
【０２４１】
[0283]  いくつかの例では、近隣セル基地局情報決定モジュール３３３５が伝送特性情報を決定する対象の信号は、たとえば、デバイス３３０５によって使用されるＴＤＤ  ＵＬ／ＤＬ構成とは異なるＴＤＤ  ＵＬ／ＤＬ構成に従って近隣セル基地局から近隣セルＵＥに送信されるダウンリンクサブフレームを含み得る。たとえば、近隣セル基地局によって使用されるＴＤＤ  ＵＬ／ＤＬ構成は、デバイス３３０５と関連付けられるＵＥからデバイス３３０５へ送信されるアップリンクサブフレームの間に近隣セル基地局から近隣セルＵＥに送信される少なくとも１つのダウンリンクサブフレームを含んでよく、近隣セル基地局から近隣セルＵＥに送信されるこのダウンリンクサブフレームは、デバイス３３０５に送信されるアップリンクサブフレームの送信と干渉し得る。
【０２４２】
[0284]  いくつかの場合、近隣セル基地局情報決定モジュール３３３５は、近隣セル基地局からの送信を監視し、近隣セル基地局からの送信を監視する間に受信される送信に基づいて、近隣セル基地局からのダウンリンク送信のためのダウンリンク伝送特性情報を決定することによって、近隣セル基地局から送信される信号の伝送特性情報を決定することができる。
【０２４３】
[0285]  いくつかの例では、伝送特性情報が決定される対象である、近隣セルＵＥから送信される信号は、たとえば、デバイス３３０５と関連付けられるＵＥからデバイス３３０５へのアップリンクサブフレーム送信の間の、アップリンク制御チャネル送信またはアップリンクデータチャネル送信の１つまたは複数を含み得る。
【０２４４】
[0286]  いくつかの場合、近隣セルＵＥ情報決定モジュール３３４０は、近隣セルＵＥからの送信を監視し、近隣セルＵＥからの送信を監視する間に受信される送信に基づいて、近隣セルＵＥから送信される信号の伝送特性情報を決定することによって、近隣セルＵＥから送信される信号の伝送特性情報を決定することができる。他の場合、近隣セルＵＥ情報決定モジュール３３４０は、近隣セル基地局からの送信を監視し、近隣セル基地局からの送信を監視する間に受信される送信に基づいて、近隣セルＵＥから送信される信号の伝送特性情報を決定することによって、近隣セルＵＥから送信される信号の伝送特性情報を決定することができる。いくつかの例では、近隣セル基地局からの送信を監視することは、近隣セル基地局のＰＤＣＣＨを監視すること（たとえば、アップリンクグラントについてＰＤＣＣＨを監視すること）を含み得る。いくつかの例では、近隣セルＵＥから送信される信号の伝送特性情報は、変調次数、空間レイヤの数、またはプリコーディング情報の１つまたは複数を含み得る。
【０２４５】
[0287]  他の例では、基地局干渉低減モジュール３３２０（またはスケジューラ通信モジュール３３４５を通じて基地局干渉低減モジュール３３２０と通信している中央スケジューラ）が、近隣セル基地局または近隣セルＵＥがデバイス３３０５へのアップリンクサブフレーム送信の間に送信しているかどうかを決定し、近隣セル基地局または近隣セルＵＥがデバイス３３０５へのアップリンクサブフレーム送信の間に送信しているかどうかに基づいて干渉低減を実行することができる。
【０２４６】
[0288]  いくつかの例では、近隣セル基地局情報決定モジュール３３３５または近隣セルＵＥ情報決定モジュール３３４０は、近隣セル基地局とのＸ２バックホールリンクを通じて伝送特性情報を受信することによって、近隣セル基地局または近隣セルＵＥから送信される信号の伝送特性情報を決定することができる。他の例では、基地局干渉低減モジュール３３２０は、中央スケジューラと通信するためにスケジューラ通信モジュール３３４５を利用することができ、この中央スケジューラは、近隣セル基地局または近隣セルＵＥから基地局干渉低減モジュール３３２０に送信される信号の伝送特性情報を提供することができる。
【０２４７】
[0289]  次に図３４を参照すると、図は、１つまたは複数のノードが無線間干渉を受け得るワイヤレス通信システム３４００の例を示す。ワイヤレス通信システム３４００は、たとえば、図１、図２、図２２、図２７、および／または図３１に示されたワイヤレス通信システム１００、２００、２２００、２７００、および／または３１００の態様を示し得る。この例では、セル３４０５は、１つまたは複数のｅＮＢ１０５と、１つまたは複数のセル３４０５の中に、またはその隣に位置し得るワイヤレスネットワークアクセスポイント３４０５などの、異なるワイヤレス通信プロトコルに従って動作する無線を含み得る。図３４の例に示されるように、ワイヤレス通信システム３４００は、セル３４０５−ａと、３４０５−ｂと、３４０５−ｃとを含む。セル３４０５−ａはｅＮＢ１０５−ｏとｅＮＢ１０５−ｐとを含んでよく、セル３４０５−ｂはｅＮＢ１０５−ｑを含んでよく、セル３４０５−ｃはｅＮＢ１０５−ｒを含んでよい。上で言及されたように、たとえば、ｅＮＢ間干渉３４２５−ａおよび３４２５−ｂ、ＵＥ間干渉３４１５、ならびに、図３４の例示におけるＵＥ１１５−ｒとｅＮＢ１０５−ｑとの間などのｅＮＢと近隣セルＵＥとの間の干渉３４１０を含む、セル間干渉の様々な発生源が、ワイヤレス通信システム３４００に存在し得る。さらに、図３４の例では、別のワイヤレスネットワークのアクセスポイント（ＡＰ）３４０５は、ＡＰ３４０５とｅＮＢ１０５−ｏとの間のＡＰ−ｅＮＢ干渉３４３５、およびＡＰ３４０５とＵＥ１１５−ｑとの間のＡＰ−ＵＥ干渉３４３０などの、ワイヤレス通信システム３４００の１つまたは複数のノードとの干渉を引き起こし得る。本開示の様々な態様によれば、ワイヤレス通信システム３４００のｅＮＢ１０５およびＵＥ１１５は、ＡＰ−ｅＮＢ干渉３４３５およびＡＰ−ＵＥ干渉３４３０などの無線間干渉を低減するために、干渉除去技法を監視し、検出し、実行することができる。
【０２４８】
[0290]  ここで図３５を参照すると、ブロック図３５００は、本開示の様々な態様による、ワイヤレス通信において使用するためのデバイス３５０５を示す。いくつかの例では、デバイス３５０５は、図１、図２、図６、図７、図８、図９、図１０、図１３、図１６、図１８、図１９、図２０Ａ、図２０Ｂ、図２２、図２５、図２７、図３０、図３１、図３２、および／または図３４に関して説明されるｅＮＢ１０５、ＵＥ１１５、またはデバイス４０５、１３０５、１６０５、２００５、２５０５、３００５、３２０５の１つまたは複数の態様の例であり得る。デバイス３５０５はまた、いくつかの例では、図３４に関して説明されるアクセスポイント３４０５などの、ＩＥＥＥ８０２．１１プロトコル（以後Ｗｉ−Ｆｉノードと呼ばれる）に従って動作するノードの１つまたは複数の態様であり得る。デバイス３５０５は、プロセッサでもあり得る。デバイス３５０５は、受信機モジュール３５１０、干渉低減モジュール３５２０、および／または送信機モジュール３５３０を含み得る。これらのコンポーネントの各々は、互いに通信し得る。
【０２４９】
[0291]  デバイス３５０５のコンポーネントは、適用可能な機能の一部またはすべてをハードウェアで実行するように適応された１つまたは複数のＡＳＩＣによって、個々にまたは集合的に実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具現化された命令を用いて実装され得る。
【０２５０】
[0292]  いくつかの例では、受信機モジュール３５１０は、２つ以上の階層的変調レイヤ上の送信を受信するように動作可能であり他のタイプの無線からの送信を受信するようにも動作可能であるＲＦ受信機などの、ＲＦ受信機であってよく、またはそれを含んでよく、上記の他のタイプの無線は、たとえば、免許不要無線スペクトル（unlicensed radio spectrum）またはＷｉ−Ｆｉノード無線におけるＬＴＥプロトコルなどの異なるワイヤレス通信プロトコルに従って動作する無線を含み得る。いくつかの例では、送信機モジュール３５３０は、２つ以上の階層的変調レイヤ上でデータを送信するように動作可能なＲＦ送信機などのＲＦ送信機であってよく、またはそれを含んでよい。ＲＦ送信機３５３０は、いくつかの例では、単一の送信機を含むことがあり、または送信／受信チェーンごとに単一の送信機を含むことがある。送信機モジュール３５３０は、図１、図２、図７、図８、図９、図１８、図２２、図２７、図３０、および／または図３４に関して説明されるワイヤレス通信システム１００、２００、７００、８００、９００、１８００、２２００、２７００、３０００、および／または３４００の１つまたは複数の通信リンク１２５などを含む、ワイヤレス通信システムの１つまたは複数の通信リンクを通じて、様々なタイプのデータおよび／または制御信号（すなわち、送信）を送信するために使用され得る。
【０２５１】
[0293]  干渉低減モジュール３５２０は、同一チャネル干渉検出モジュール３５３５と、隣接チャネル干渉検出モジュール３５４０と、干渉除去モジュール３５４５とを含み得る。これらのコンポーネントの各々は、互いに通信し得る。同一チャネル干渉検出モジュール３５３５は、デバイス３５０５がその中で動作するワイヤレス通信システムと同じ周波数チャネル内で動作している可能性のある、１つまたは複数の無線からの信号を検出することができる。たとえば、デバイス３５０５がＷｉ−Ｆｉノードの一部である場合、同一チャネル干渉検出モジュール３５３５は、ＬＴＥプロトコルに従って免許不要スペクトルにおいて動作するノードなどの、免許不要無線周波数スペクトル（unlicensed radio frequency spectrum）において動作する他の無線からの干渉を検出することができる。同様に、デバイス３５０５が免許不要スペクトルにおいて動作するＬＴＥノードの一部である場合、同一チャネル干渉検出モジュール３５３５は、同じスペクトルにおいて動作するＷｉＦｉ（登録商標）ノードからの干渉を検出することができる。いくつかの例では、同一チャネル干渉検出モジュール３５３５は、同一チャネル送信の伝送特性を決定することができる。そのような伝送特性は、たとえば、検出された同一チャネル干渉を打ち消すために、干渉除去技法において使用され得る。いくつかの例では、同一チャネル干渉検出モジュール３５３５は、干渉送信と関連付けられるワイヤレス送信プリアンブル（たとえば、ＷｉＦｉプリアンブル）についてチャネルを監視することができ、このプリアンブルは、干渉信号のパケット特性を決定するために使用され得る。
【０２５２】
[0294]  隣接チャネル干渉検出モジュール３５４０は、デバイス３５０５がその中で動作するワイヤレス通信システムに隣接する周波数チャネル中で動作している可能性のある、１つまたは複数の無線からの信号を検出することができる。たとえば、デバイス３５０５がＬＴＥノードの一部である場合（たとえば、免許スペクトル（licensed spectrum）においてＬＴＥを使用して動作するＵＥまたはｅＮＢの態様）、隣接チャネル干渉検出モジュール３５４０は、隣接するスペクトルにおいて動作するＷｉＦｉノードからの干渉を検出することができ、隣接するスペクトルにおいて、信号の一部分がデバイス３５０５のワイヤレス通信チャネルに漏洩する。いくつかの例では、隣接チャネル干渉検出モジュール３５４０は、隣接チャネル送信の伝送特性を決定することができる。そのような伝送特性は、たとえば、検出された隣接チャネル干渉を打ち消すために、干渉除去技法において使用され得る。いくつかの例では、隣接チャネル干渉検出モジュール３５４０は、干渉送信と関連付けられるワイヤレス送信プリアンブル（たとえば、ＷｉＦｉプリアンブル）についてチャネルを監視することができ、このプリアンブルは、干渉信号のパケット特性を決定するために使用され得る。
【０２５３】
[0295]  干渉除去モジュール３５４５は、検出される干渉信号と関連付けられる干渉を打ち消すために、同一チャネル干渉検出モジュール３５３５および／または隣接チャネル干渉検出モジュール３５４０によって提供される１つまたは複数の特性を使用することができる。様々な例による干渉除去技法は、同一チャネル干渉のための線形ＭＭＳＥ抑制、ＱＲ−ＳＤ、ＳＩＣなど、および隣接チャネル干渉のための非線形干渉除去技法（non-linear interference cancellation technique）などの、上で論じられたような技法を含み得る。非線形干渉除去技法は、たとえば、隣接チャネル上での送信からの隣接チャネル漏洩を推定することと、推定された漏洩を打ち消すことができる適応フィルタ（adaptive filter）に推定されたチャネル漏洩を与えることとを含み得る。
【０２５４】
[0296]  ここで図３６を参照すると、本開示の態様による、ワイヤレス通信のための方法の例を概念的に示すフローチャートが説明されている。図３６は、様々な例による、無線間干渉除去の例を示す。明快にするために、方法３６００は、図１、図２、図６、図７、図８、図９、図１０、図１３、図１６、図１８、図１９、図２０Ａ、図２０Ｂ、図２２、図２５、図２７、図３０、図３１、図３２、図３４、および／または図３５に関して説明される基地局もしくはｅＮＢ１０５、ＵＥ１１５、またはデバイス４０５、１３０５、１６０５、２００５、２５０５、３００５、３２０５、３５０５の１つに関して以下で説明される。一例では、ｅＮＢ、ＵＥ、またはデバイスは、以下で説明する機能を実行するために、ｅＮＢ、ＵＥ、またはデバイスの機能要素を制御するためのコードの１つまたは複数のセットを実行し得る。
【０２５５】
[0297]  ブロック３６０５において、送信ノードからのワイヤレス送信を受信するために、第１のワイヤレス通信チャネル上で通信が確立され得る。ブロック３６１０において、１つまたは複数の他のワイヤレス通信チャネル上での他のノードからの送信が監視され得る。ブロック３６１５において、他のワイヤレス通信チャネル上での監視される送信のプリアンブルが復号され得る。たとえば、方法が免許不要スペクトルにおいてＬＴＥプロトコルに従って動作するＵＥ上で実行されている場合、ＵＥは、同じチャネルにおいて動作する他の無線からの干渉を監視することができ、１つまたは複数の検出された送信のプリアンブルを復号することができる。ブロック３６２０において、他のワイヤレス通信チャネル上での送信の伝送特性が決定され得る。
【０２５６】
[0298]  ブロック３６２５において示されるように、干渉除去は次いで、決定された情報に基づいて第１のワイヤレス通信チャネル上でノードから受信された信号に対して実行され得る。上で言及されたように、干渉除去は、たとえば、復号された送信プリアンブルに基づいて第２のワイヤレス通信チャネルからの検出された干渉信号からの推定された干渉を使用し、第１のワイヤレス通信チャネル上で受信される信号に対して干渉除去を実行することによって、実行され得る。推定される干渉は、たとえば、ＲＦ非線形性、他のワイヤレス通信チャネルから第１のワイヤレス通信チャネルへともたらされる高調波、他のワイヤレス通信チャネルからの相互変調歪み（ＩＭＤ）、他のワイヤレス通信チャネルからのチャネル漏洩、または、第１のワイヤレス通信チャネルと他のワイヤレス通信チャネルとの間の結合の、１つまたは複数を含み得る。
【０２５７】
[0299]  ここで図３７を参照すると、本開示の態様による、ワイヤレス通信における干渉除去のための方法の例を概念的に示すフローチャートが説明されている。明快にするために、方法３７００は、図１、図２、図６、図７、図８、図９、図１０、図１３、図１６、図１８、図１９、図２０Ａ、図２０Ｂ、図２２、図２５、図２７、図３０、図３１、図３２、図３４、および／または図３５に関して説明される基地局もしくはｅＮＢ１０５、ＵＥ１１５、またはデバイス４０５、１３０５、１６０５、２００５、２５０５、３００５、３２０５、３５０５の１つに関して以下で説明される。一例では、ｅＮＢ、ＵＥ、またはデバイスは、以下で説明する機能を実行するために、ｅＮＢ、ＵＥ、またはデバイスの機能要素を制御するためのコードの１つまたは複数のセットを実行し得る。
【０２５８】
[0300]  ブロック３７０５において、送信ノードからのワイヤレス送信を受信するために、第１のワイヤレス通信チャネル上で通信が確立され得る。ブロック３７１０において、１つまたは複数の他のワイヤレス通信チャネル上での他のノードからの送信のサンプルが収集され得る。ブロック３７１５において、他のワイヤレス通信チャネル上での送信の伝送特性がサンプルに基づいて決定され得る。ブロック３７２０において、干渉除去は、決定された情報に基づいて第１のワイヤレス通信チャネル上でノードから受信された信号に対して実行され得る。そのような方式で、非線形漏洩（non-linear leakage）または他の干渉が低減されることが可能であり、これにより、第１のワイヤレス通信チャネル上での信号の受信を改善し、ワイヤレス通信システムの効率を向上させる。
【０２５９】
[0301]  図３８を参照すると、階層的変調および干渉除去のために構成される基地局またはｅＮＢ１０５−ｓを示す図３８００が示されている。いくつかの実施形態では、基地局１０５−ｓは、図１、図２、図７、図８、図９、図１８、図２２、図２７、図３１、および／または図３４の基地局またはｅＮＢの例であり得る。基地局１０５−ｓは、図１〜図３７に関して上で説明された特徴および機能の少なくともいくつかを実装するように構成され得る。基地局１０５−ｓは、プロセッサモジュール３８１０と、メモリモジュール３８２０と、送受信機モジュール３８５５と、アンテナ３８６０と、ｅＮＢ干渉除去／階層的変調（ＩＣ／ＨＭ：interference cancellation/hierarchical modulation）モジュール３８７０とを含み得る。基地局１０５−ｓはまた、基地局通信モジュール３８３０とネットワーク通信モジュール３８４０の一方または両方を含み得る。これらのコンポーネントの各々は、１つまたは複数のバス３８１５を通じて、直接または間接的に互いに通信していることがある。
【０２６０】
[0302]  メモリモジュール３８２０は、ランダムアクセスメモリ（ＲＡＭ）と読取り専用メモリ（ＲＯＭ）とを含み得る。メモリモジュール３８２０はまた、実行されると、本明細書で説明される様々な機能をプロセッサモジュール３８１０に実行させるように構成される命令を含む、コンピュータ可読のコンピュータ実行可能ソフトウェア（ＳＷ）コード３８２５を記憶し得る。代替的に、ソフトウェアコード３８２５はプロセッサモジュール３８１０によって直接的に実行可能ではないことがあるが、たとえば、コンパイルされ、実行されると、本明細書で説明される機能をコンピュータに実行させるように構成され得る。
【０２６１】
[0303]  プロセッサモジュール３８１０は、インテリジェントハードウェアデバイス、たとえば、中央処理装置（ＣＰＵ）、マイクロコントローラ、ＡＳＩＣなどを含み得る。プロセッサモジュール３８１０は、送受信機モジュール３８５５、基地局通信モジュール３８３０、および／またはネットワーク通信モジュール３８４０を通じて受信された情報を処理し得る。プロセッサモジュール３８１０はまた、アンテナ３８６０を通じた送信のための送受信機モジュール３８５５、基地局通信モジュール３８３０、および／またはネットワーク通信モジュール３８４０に送信されるべき情報を処理し得る。プロセッサモジュール３８１０は、単独で、またはｅＮＢ  ＩＣ／ＨＭモジュール３８７０とともに、本明細書で説明されるような複数の変調レイヤを使用した干渉除去および／または階層的変調の様々な態様を扱い得る。
【０２６２】
[0304]  送受信機モジュール３８５５は、パケットを変調し、変調されたパケットを送信のためにアンテナ３８６０に与え、アンテナ３８６０から受信されたパケットを復調するように構成されたモデムを含み得る。送受信機モジュール３８５５は、１つまたは複数の送信機モジュールおよび１つまたは複数の別個の受信機モジュールとして実装され得る。送受信機モジュール３８５５は、複数の階層的変調レイヤ上での通信をサポートし得る。送受信機モジュール３８５５は、アンテナ３８６０を介して、たとえば図１、図２、図６、図７、図８、図９、図１８、図２２、図２７、図３１、および／または図３４に示されるような１つまたは複数のＵＥ１１５と双方向に通信するように構成され得る。基地局１０５−ｓは、複数のアンテナ３８６０（たとえば、アンテナアレイ）を含み得る。基地局１０５−ｓは、ネットワーク通信モジュール３８４０を通じてコアネットワーク１３０−ａと通信することができる。コアネットワーク１３０−ａは、図１のコアネットワーク１３０の例であり得る。基地局１０５−ｓは、基地局通信モジュール３８３０を使用して、基地局１０５−ｔおよび基地局１０５−ｕなどの他の基地局と通信することができる。
【０２６３】
[0305]  図３８のアーキテクチャによると、基地局１０５−ｓは、通信管理モジュール（communications management module）３８５０をさらに含み得る。通信管理モジュール３８５０は、局および／または他のデバイスとの通信を管理し得る。通信管理モジュール３８５０は、１つまたは複数のバス３８１５を介して、基地局１０５−ｓの他のコンポーネントの一部またはすべてと通信していることがある。代替的に、通信管理モジュール３８５０の機能は、送受信機モジュール３８５５のコンポーネントとして、コンピュータプログラム製品（computer program product）として、および／またはプロセッサモジュール３８１０の１つまたは複数のコントローラ要素として実装され得る。
【０２６４】
[0306]  ｅＮＢ  ＩＣ／ＨＭモジュール３８７０は、階層的変調および干渉除去に関する、図１〜図３７において説明された機能または態様の一部またはすべてを実行および／または制御するように構成され得る。たとえば、ｅＮＢ  ＩＣ／ＨＭモジュール３８７０は、複数の階層的変調レイヤの、セル内の、セル間の、および／または無線間の干渉除去をサポートするように構成され得る。ｅＮＢ  ＩＣ／ＨＭモジュール３８７０は、本明細書で説明されるような階層的変調（ＨＭ：hierarchical modulation）および／または基本変調レイヤ干渉除去において使用するための、様々な送信と関連付けられるパラメータを決定するように構成される、ＨＭパラメータモジュール３８８０を含み得る。ＨＭ変調モジュール３８８５は、異なる階層的変調レイヤへの様々なコンテンツの変調、ならびに、基本変調レイヤへの１つまたは複数の増強変調レイヤの重畳を実行することができる。干渉パラメータ決定モジュール（Interference parameter determination module）３８９０は、干渉信号に関する様々なパラメータを決定することができ、これらのパラメータは、干渉信号からの干渉を打ち消すために干渉除去モジュール（interference cancellation module）３８９５によって使用され得る。ｅＮＢ  ＩＣ／ＨＭモジュール３８７０、またはその一部は、プロセッサであり得る。その上、ｅＮＢ  ＩＣ／ＨＭモジュール３８７０の機能の一部またはすべては、プロセッサモジュール３８１０によって、および／またはプロセッサモジュール３８１０とともに実行され得る。
【０２６５】
[0307]  図３９を参照すると、階層的変調および干渉除去のために構成されるＵＥ１１５−ｓを示す図３９００が示されている。ＵＥ１１５−ｓは、様々な他の構成を有してよく、パーソナルコンピュータ（たとえば、ラップトップコンピュータ、ネットブックコンピュータ、タブレットコンピュータなど）、携帯電話、スマートフォン、ＰＤＡ、デジタルビデオレコーダ（ＤＶＲ）、インターネット機器、ゲームコンソール、電子リーダーなどに含まれ、またはその一部であり得る。ＵＥ１１５−ｓは、モバイル動作を容易にするために、小型バッテリーなどの内部電源（図示されず）を有し得る。局ＵＥ１１５−ｓは、図１、図２、図６、図７、図８、図９、図１８、図２２、図２７、図３１、図３４、図３９、および／または図４０のＵＥ１１５の例であり得る。ＵＥ１１５−ｓは、図１〜図３７に関して上で説明された特徴および機能の少なくともいくつかを実装するように構成され得る。
【０２６６】
[0308]  ＵＥ１１５−ｓは、プロセッサモジュール３９１０と、メモリモジュール３９２０と、送受信機モジュール３９４０と、アンテナ３９５０と、ＵＥ  ＩＣ／ＨＭモジュール３９６０とを含み得る。これらのコンポーネントの各々は、１つまたは複数のバス３９０５を通じて、直接または間接的に互いに通信していることがある。
【０２６７】
[0309]  メモリモジュール３９２０は、ＲＡＭとＲＯＭとを含み得る。メモリモジュール３９２０は、実行されると、本明細書で説明される様々な機能をプロセッサモジュール３９１０に実行させるように構成される命令を含む、コンピュータ可読のコンピュータ実行可能ソフトウェア（ＳＷ）コード３９２５を記憶し得る。代替的に、ソフトウェアコード３９２５はプロセッサモジュール３９１０によって直接的に実行可能ではないことがあるが、（たとえば、コンパイルされ、実行されると）本明細書で説明される機能をコンピュータに実行させるように構成され得る。
【０２６８】
[0310]  プロセッサモジュール３９１０は、インテリジェントハードウェアデバイス、たとえばＣＰＵ、マイクロコントローラ、ＡＳＩＣなどを含み得る。プロセッサモジュール３９１０は、送受信機モジュール３９４０を通じて受信された情報、および／またはアンテナ３９５０を通じた送信のために送受信機モジュール３９４０に送信される情報を処理し得る。プロセッサモジュール３９１０は、単独で、またはＵＥ  ＩＣ／ＨＭモジュール３９６０とともに、階層的変調および干渉除去の様々な態様を扱い得る。
【０２６９】
[0311]  送受信機モジュール３９４０は、基地局（たとえば、基地局１０５）と双方向に通信するように構成され得る。送受信機モジュール３９４０は、１つまたは複数の送信機モジュールおよび１つまたは複数の別個の受信機モジュールとして実装され得る。送受信機モジュール３９４０は、複数の階層的変調レイヤ上での通信をサポートし得る。送受信機モジュール３９４０は、パケットを変調し、変調されたパケットを送信のためにアンテナ３９５０に与え、アンテナ３９５０から受信されたパケットを復調するように構成されたモデムを含み得る。ＵＥ１１５−ｓは単一のアンテナを含み得るが、ＵＥ１１５−ｓが複数のアンテナ３９５０を含み得る実施形態があり得る。
【０２７０】
[0312]  図３９のアーキテクチャによれば、ＵＥ１１５−ｓはさらに、通信管理モジュール３９３０を含み得る。通信管理モジュール３９３０は、様々なアクセスポイントとの通信を管理し得る。通信管理モジュール３９３０は、１つまたは複数のバス３９０５を通じてＵＥ１１５−ｓの他のコンポーネントの一部またはすべてと通信しているＵＥ１１５−ｓのコンポーネントであり得る。代替的に、通信管理モジュール３９３０の機能は、送受信機モジュール３９４０のコンポーネントとして、コンピュータプログラム製品として、および／またはプロセッサモジュール３９１０の１つまたは複数のコントローラ要素として実装され得る。
【０２７１】
[0313]  ＵＥ  ＩＣ／ＨＭモジュール３９６０は、階層的変調レイヤの送信および受信、ならびに様々な干渉除去手順に関する、図１〜図３７において説明された機能または態様の一部またはすべてを実行および／または制御するように構成され得る。たとえば、ＵＥ  ＩＣ／ＨＭモジュール３９６０は、複数の階層的変調レイヤの、セル内の、セル間の、および／または無線間の干渉除去をサポートするように構成され得る。ＵＥ  ＩＣ／ＨＭモジュール３９６０は、本明細書で説明されるような階層的変調（ＨＭ）および／または基本変調レイヤ干渉除去において使用するための、様々な送信と関連付けられるパラメータを決定するように構成される、ＵＥ  ＨＭパラメータモジュール３９６５を含み得る。ＨＭ変調モジュール３９７０は、異なる階層的変調レイヤへの様々なコンテンツの変調、ならびに、基本変調レイヤへの１つまたは複数の増強変調レイヤの重畳を実行することができる。干渉パラメータ決定モジュール３９７５は、干渉信号に関する様々なパラメータを決定することができ、これらのパラメータは、干渉信号からの干渉を打ち消すために干渉除去モジュール３９８０によって使用され得る。ＵＥ  ＩＣ／ＨＭモジュール３９６０、またはその一部は、プロセッサであり得る。その上、ＵＥ  ＩＣ／ＨＭモジュール３９６０の機能の一部またはすべては、プロセッサモジュール３９１０によって、および／またはプロセッサモジュール３９１０とともに実行され得る。
【０２７２】
[0314]  次に図４０を参照すると、基地局１０５−ｖとユーザ機器またはＵＥ１１５−ｔとを含む、多入力多出力（ＭＩＭＯ）通信システム４０００のブロック図が示されている。基地局１０５−ｖおよびＵＥ１１５−ｔは、複数の階層的変調レイヤおよび／または干渉除去をサポートすることができる。基地局１０５−ｖは、図１、図２、図７、図８、図９、図１８、図２２、図２７、図３１、図３４、および／または図３８の基地局またはｅＮＢの例であり得るが、ＵＥ１１５−ｔは、図１、図２、図６、図７、図８、図９、図１８、図２２、図２７、図３１、図３４、および／または図３９のＵＥの例であり得る。ＭＩＭＯ通信システム４０００は、図１、図２、図７、図８、図９、図１８、図２２、図２７、図３１、および／または図３４のワイヤレス通信システム１００、２００、７００、８００、９００、１８００、２３００、２７００、３１００、および／または３４００の態様を示し得る。
【０２７３】
[0315]  基地局１０５−ｖは、アンテナ４０３４−ａ〜４０３４−ｘを備えてよく、ＵＥ１１５−ｔは、アンテナ４０５２−ａ〜４０５２−ｎを備えてよい。ＭＩＭＯ通信システム４０００では、基地局１０５−ｖは、複数の通信リンクを通じて同時にデータを送信することが可能であり得る。各通信リンクは「空間レイヤ（spatial layer）」と呼ばれることがあり、通信リンクの「ランク（rank）」は、通信のために使用される空間レイヤの数を示し得る。たとえば、基地局１０５−ｖが２つの「空間レイヤ」を送信する２ｘ２ＭＩＭＯ通信システムでは、基地局１０５−ｖとＵＥ１１５−ｔとの間の通信リンクのランクは２である。
【０２７４】
[0316]  基地局１０５−ｖにおいて、送信（Ｔｘ）プロセッサ４０２０は、データソースからデータを受信し得る。送信プロセッサ４０２０は、データを処理し得る。送信プロセッサ４０２０はまた、基準シンボルと、セル固有の基準信号とを生成し得る。送信（Ｔｘ）ＭＩＭＯプロセッサ４０３０は、適用可能な場合、データシンボル、制御シンボル、および／または基準シンボルに対して空間処理（たとえば、プリコーディング）を実行することができ、出力シンボルストリームを送信変調器４０３２−ａから４０３２−ｘに与えることができる。各変調器４０３２は、出力サンプルストリームを取得するために、（たとえば、ＯＦＤＭなどのための）それぞれの出力シンボルストリームを処理し得る。各変調器４０３２はさらに、ダウンリンク（ＤＬ）信号を取得するために、その出力サンプルストリームをさらに処理（たとえば、アナログ変換、増幅、フィルタリング、およびアップコンバート）し得る。一例では、変調器４０３２−ａ〜４０３２−ｘからのＤＬ信号は、それぞれ、アンテナ４０３４−ａ〜４０３４−ｘを介して送信され得る。
【０２７５】
[0317]  ＵＥ１１５−ｔにおいて、アンテナ４０５２−ａ〜４０５２−ｎは、基地局１０５−ｖからＤＬ信号を受信することができ、受信された信号をそれぞれ復調器４０５４−ａ〜４０５４−ｎに与えることができる。各復調器４０５４は、それぞれの受信された信号を調整（たとえば、フィルタリング、増幅、ダウンコンバート、およびデジタル化）して、入力サンプルを取得し得る。各復調器４０５４はさらに、（たとえば、ＯＦＤＭなどのための）入力サンプルを処理して、受信されたシンボルを取得し得る。ＭＩＭＯ検出器４０５６は、受信されたシンボルをすべての復調器４０５４−ａ〜４０５４−ｎから取得し、適用可能な場合、受信されたシンボルに対してＭＩＭＯ検出を実行し、検出されたシンボルを与え得る。受信（Ｒｘ）プロセッサ４０５８が、検出されたシンボルを処理（たとえば、復調、デインターリーブ、および復号）し、ＵＥ１１５−ｔの復号されたデータをデータ出力に与え、復号された制御情報をプロセッサ４０８０、またはメモリ４０８２に与え得る。プロセッサ４０８０は、階層的変調および／または干渉除去に関する様々な機能を実行し得るモジュールまたは機能４０８１を含み得る。たとえば、モジュールまたは機能４０８１は、図１〜図３７に関して上で説明された機能の一部またはすべてを実行することができる。
【０２７６】
[0318]  アップリンク（ＵＬ）上で、ＵＥ１１５−ｔにおいて、送信（Ｔｘ）プロセッサ４０６４が、データソースからデータを受信し、処理し得る。ＴＸプロセッサ４０６４はまた、基準信号のための基準シンボルを生成し得る。Ｔｘプロセッサ４０６４からのシンボルは、適用可能な場合、Ｔｘ  ＭＩＭＯプロセッサ４０６６によってプリコーディングされ、復調器４０５４−ａ〜４０５４−ｎによって（たとえば、ＳＣ−ＦＤＭＡなどのために）さらに処理され、基地局１０５−ｖから受信された送信パラメータに従って基地局１０５−ｖに送信され得る。基地局１０５−ｖにおいて、ＵＥ１１５−ｔからのＵＬ信号がアンテナ４０３４によって受信され、復調器４０３２によって処理され、適用可能な場合、ＭＩＭＯ検出器４０３６によって検出され、受信プロセッサによってさらに処理され得る。受信（Ｒｘ）プロセッサ４０３８は、復号されたデータをデータ出力およびプロセッサ４０４０に与え得る。プロセッサ４０４０は、階層的変調および／または干渉除去に関する様々な態様を実行し得るモジュールまたは機能４０４１を含み得る。たとえば、モジュールまたは機能４０４１は、図１〜図３７に関して上で説明された機能の一部またはすべてを実行することができる。
【０２７７】
[0319]  図４１は、様々な実施形態による、ワイヤレス通信システムにおいて基地局もしくはｅＮＢ、または他のエンティティによって実行され得る方法４１００を示している。方法４１００は、たとえば、図１、図２、図７、図８、図９、図１８、図２２、図２７、図３１、図３４、図３８、および／もしくは図４０の基地局もしくはｅＮＢ１０５によって、または、図４、図１０、図２０Ａ、図２０Ｂ、図３０、図３３、および／もしくは図３５のデバイス４０５、２００５、３００５、３３０５、および／もしくは３５０５によって、または、これらの図について説明されるデバイスの任意の組合せを使用して、実行され得る。最初に、ブロック４１０５において、基地局は送信のために第１のコンテンツを特定することができ、この第１のコンテンツは第１の誤り率の閾値と関連付けられる。ブロック４１１０において、基地局は送信のために第２のコンテンツを特定することができ、第２のコンテンツは第１の誤り率の閾値よりも高い第２の誤り率の閾値と関連付けられる。ブロック４１１５において、基地局は基本変調レイヤ上に第１のコンテンツを変調することができる。ブロック４１２０において示されるように、基地局は増強変調レイヤ上に第２のコンテンツを変調することができる。ブロック４１２５において、基地局は増強変調レイヤを基本変調レイヤに重畳することができる。ブロック４１３０において、基地局は重畳された基本変調レイヤと増強変調レイヤとを送信することができる。
【０２７８】
[0320]  図４２は、様々な実施形態による、ワイヤレス通信システムにおいてＵＥまたは他のエンティティによって実行され得る方法４２００を示している。方法４２００は、たとえば、図１、図２、図６、図７、図８、図９、図１８、図２２、図２７、図３１、図３４、図３９、および／もしくは図４０のＵＥ１１５によって、または、図１３、図１５、図１６、図１９、図２５、および／もしくは図３５のデバイス１３０５、１６０５、２５０５、および／もしくは３５０５によって、または、これらの図について説明されるデバイスの任意の組合せを使用して、実行され得る。最初に、ブロック４２０５において、ＵＥは、基本変調レイヤに重畳される増強変調レイヤを備える信号を受信することができる。ブロック４２１０において、ＵＥは、基本変調レイヤからの干渉を低減するために受信された信号に対して干渉低減を実行することによって、増強変調レイヤからデータが復号されるべきであることを決定し得る。ブロック４２１５において、ＵＥは、増強変調レイヤを復号することができる。
【０２７９】
[0321]  図４３は、様々な実施形態による、ワイヤレス通信システムにおいて基地局もしくはｅＮＢ１０５、または他のエンティティによって実行され得る方法４３００を示している。方法４３００は、たとえば、図１、図２、図７、図８、図９、図１８、図２２、図２７、図３１、図３４、図３８、および／もしくは図４０の基地局もしくはｅＮＢによって、または、図４、図１０、図２０Ａ、図２０Ｂ、図３０、図３３、および／もしくは図３５のデバイス４０５、２００５、３００５、３３０５、および／もしくは３５０５によって、または、これらの図について説明されるデバイスの任意の組合せを使用して、実行され得る。最初に、ブロック４３０５において、基地局は、階層的変調リソースを特定するリソースグラントを受信することができ、階層的変調リソースは基本変調レイヤと増強変調レイヤとを備え、基本変調レイヤは増強変調レイヤよりも低い誤り率の閾値を有する。ブロック４３１０において、基地局は基本変調レイヤ上での送信のために第１のコンテンツを特定することができる。ブロック４３１５において、基地局は増強変調レイヤ上での送信のために第２のコンテンツを特定することができる。ブロック４３２０において、基地局は増強変調レイヤを基本変調レイヤに重畳することができる。ブロック４３２５において、基地局は重畳された基本変調レイヤと増強変調レイヤとを送信することができる。
【０２８０】
[0322]  図４４は、様々な実施形態による、ワイヤレス通信システムにおいてＵＥまたは他のエンティティによって実行され得る方法４４００を示している。方法４４００は、たとえば、図１、図２、図６、図７、図８、図９、図１８、図２２、図２７、図３１、図３４、図３９、および／もしくは図４０のＵＥ１１５によって、または、図１３、図１５、図１６、図１９、図２５、および／もしくは図３５のデバイス１３０５、１６０５、２５０５、および／もしくは３５０５によって、または、これらの図について説明されるデバイスの任意の組合せを使用して、実行され得る。最初に、ブロック４４０５において、ＵＥは、近隣セルＵＥから送信される信号の伝送特性情報を決定することができる。ブロック４４１０において、ＵＥは、決定された伝送特性情報に基づいて、サービングセル基地局から受信された信号に対して干渉除去を実行することができる。
【０２８１】
[0323]  図４５は、様々な実施形態による、ワイヤレス通信システムにおいて基地局もしくはｅＮＢ、または他のエンティティによって実行され得る方法４５００を示している。方法４５００は、たとえば、図１、図２、図７、図８、図９、図１８、図２２、図２７、図３１、図３４、図３８、および／もしくは図４０の基地局もしくはｅＮＢ１０５によって、または、図４、図１０、図２０Ａ、図２０Ｂ、図３０、図３３、および／もしくは図３５のデバイス４０５、２００５、３００５、３３０５、および／もしくは３５０５によって、または、これらの図について説明されるデバイスの任意の組合せを使用して、実行され得る。最初に、ブロック４５０５において、基地局は、近隣セル基地局から送信される信号の伝送特性情報を決定することができる。ブロック４５１０において、基地局は、近隣セルＵＥから送信される信号の伝送特性情報を決定することができる。ブロック４５１５において、基地局は、決定された情報に基づいて、サービングセルＵＥから受信された信号に対して干渉除去を実行することができる。
【０２８２】
[0324]  図４６は、様々な実施形態による、ワイヤレス通信システムにおいて基地局もしくはｅＮＢ、ＵＥ、または他のエンティティによって実行され得る方法４６００を示している。方法４６００は、たとえば、図１、図２、図６、図７、図８、図９、図１８、図２２、図２７、図３１、図３４、図３８、図３９、および／もしくは図４０の基地局もしくはｅＮＢ１０５、もしくはＵＥ１１５によって、または、図４、図１０、図１３、図１５、図１６、図１９、図２０Ａ、図２０Ｂ、図２５、図３０、図３３、および／もしくは図３５のデバイス４０５、１３０５、１６０５、２００５、２５０５、３００５、３３０５、および／もしくは３５０５によって、または、これらの図について説明されるデバイスの任意の組合せを使用して、実行され得る。最初に、ブロック４６０５において、送信ノードからワイヤレス送信を受信するための第１のワイヤレス通信チャネルが確立される。ブロック４６１０において、第１のワイヤレス通信チャネルとは異なる第２のワイヤレス通信チャネルの伝送チャネル情報（transmission channel information）が決定される。ブロック４６１５において、第２のワイヤレス通信チャネルの伝送チャネル情報に基づいて、送信ノードからの第１のワイヤレス通信チャネル上で受信される信号に対して干渉低減が実行される。
【０２８３】
[0325]  添付の図面に関して上に記載された発明を実施するための形態は、例示的な実施形態について説明しており、実装され得るまたは特許請求の範囲内に入る最良の実施形態を表すものではない。この明細書全体にわたって使用されるとき、「例」または「例示的」という用語は、「例、事例、または例示として機能すること」を意味し、「好まれる」または「他の実施形態よりも有利である」を意味しない。詳細な説明は、説明される技法の理解を与えるための具体的な詳細を含む。しかしながら、これらの技法は、これらの特定の具体的な詳細を伴わずに実践され得る。いくつかの事例では、説明された実施形態の概念を不明瞭にすることを回避するために、よく知られている構造およびデバイスがブロック図の形式で示されている。
【０２８４】
[0326]  情報および信号は、多種多様な技術および技法のいずれかを使用して表され得る。たとえば、上の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２８５】
[0327]  本明細書の開示に関して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェアコンポーネント、あるいは本明細書で説明された機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０２８６】
[0328]  本明細書で説明された機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示および添付の特許請求の範囲の範囲および趣旨内に入る。たとえば、ソフトウェアの性質により、上で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的位置において実装されるように分散されることを含めて、様々な場所に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含み得る。また、特許請求の範囲を含めて、本明細書で使用される場合、項目の列挙（たとえば、「の少なくとも１つ」あるいは「の１つまたは複数」などの句で前置きされる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２８７】
[0329]  コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブルＲＯＭ（ＥＥＰＲＯＭ（登録商標））、コンパクトディスクＲＯＭ（ＣＤ−ＲＯＭ）もしくは他の光ディスクストレージ、磁気ディスクストレージもしくは他の磁気ストレージデバイス、または、命令もしくはデータ構造の形態の所望のプログラムコード手段を搬送または記憶するために使用され汎用もしくは専用コンピュータまたは汎用もしくは専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ（disc）、レーザディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【０２８８】
[0330]  本明細書で使用される場合、「装置」および「デバイス」という用語は交換可能である。
【０２８９】
[0331]  本開示の前の説明は、当業者が本開示を作成または使用することが可能になるように提供される。本開示への様々な修正が当業者には容易に明らかであり、本明細書において定義された一般原理は、本開示の趣旨または範囲から逸脱することなく、他の変形形態に適用され得る。本開示全体にわたって、「例」または「例示的」という用語は、ある例またはある事例を示すものであり、言及された例に対する選好を暗示せず、または必要としない。したがって、本開示は、本明細書に記載された例および設計に限定されるべきでなく、本明細書で開示された原理および新規の特徴に合致する最も広い範囲を与えられるべきである。
以下に本願発明の当初の特許請求の範囲に記載された発明を付記する。
［Ｃ１］
階層的コンテンツを送信するための方法であって、
送信のために第１のコンテンツを特定することと、前記第１のコンテンツは第１の誤り率の閾値と関連付けられる、
送信のために第２のコンテンツを特定することと、前記第２のコンテンツは前記第１の誤り率の閾値よりも高い第２の誤り率の閾値と関連付けられる、
基本変調レイヤ上に前記第１のコンテンツを変調することと、
増強変調レイヤ上に前記第２のコンテンツを変調することと、
前記増強変調レイヤを前記基本変調レイヤに重畳することと、
前記重畳された基本変調レイヤと増強変調レイヤとを送信することとを備える、方法。
［Ｃ２］
前記第１の誤り率の閾値および前記第２の誤り率の閾値が、前記第１のコンテンツおよび第２のコンテンツに含まれる情報のタイプに基づく、Ｃ１に記載の方法。
［Ｃ３］
前記第１のコンテンツが高優先度のコンテンツを備え、前記第２のコンテンツが低優先度のコンテンツを備える、Ｃ１に記載の方法。
［Ｃ４］
前記第１のコンテンツおよび前記第２のコンテンツが同じユーザ機器に送信される、Ｃ１に記載の方法。
［Ｃ５］
前記第１のコンテンツおよび前記第２のコンテンツが異なるユーザ機器に送信される、Ｃ１に記載の方法。
［Ｃ６］
前記第１のコンテンツが、前記第１のコンテンツを受信するように構成されるユーザ機器（ＵＥ）のための制御情報を備える、Ｃ１に記載の方法。
［Ｃ７］
前記制御情報が、スケジューリンググラント情報、肯定応答情報、またはシグナリング情報の１つまたは複数を備える、Ｃ６に記載の方法。
［Ｃ８］
前記ＵＥが、前記制御情報の受信の肯定応答を送信するのを控えるように構成される、Ｃ６に記載の方法。
［Ｃ９］
前記第２のコンテンツがユーザデータを備える、Ｃ６に記載の方法。
［Ｃ１０］
前記ＵＥが、前記ユーザデータの受信の肯定応答を送信するように構成される、Ｃ９に記載の方法。
［Ｃ１１］
前記制御情報が、前記基本変調レイヤ上で物理ダウンリンク制御チャネル（ＰＤＣＣＨ）を使用して送信され、前記ユーザデータが、前記増強変調レイヤ上で物理ダウンリンク共有チャネル（ＰＤＳＣＨ）を使用して送信される、Ｃ９に記載の方法。
［Ｃ１２］
前記第１のコンテンツが、第１のユーザ機器（ＵＥ）のためのレイテンシに対する感受性が高いユニキャストデータを備え、前記第２のコンテンツが、前記第１のＵＥまたは異なるＵＥのためのベストエフォートユニキャストデータを備える、Ｃ１に記載の方法。
［Ｃ１３］
前記レイテンシに対する感受性が高いユニキャストデータが、前記基本変調レイヤ上で物理ダウンリンク共有チャネル（ＰＤＳＣＨ）を使用して送信され、前記ベストエフォートユニキャストデータが、前記増強変調レイヤ上でＰＤＳＣＨを使用して送信される、Ｃ１２に記載の方法。
［Ｃ１４］
前記第１のコンテンツが特定のユーザ機器（ＵＥ）のためのユニキャストデータを備え、前記第２のコンテンツがブロードキャストデータを備える、Ｃ１に記載の方法。
［Ｃ１５］
前記第１のコンテンツがブロードキャストデータを備え、前記第２のコンテンツが特定のユーザ機器（ＵＥ）のためのユニキャストデータを備える、Ｃ１に記載の方法。
［Ｃ１６］
前記ブロードキャストデータが、前記基本変調レイヤ上で物理マルチキャストチャネル（ＰＭＣＨ）を使用して送信され、前記ユニキャストデータが、前記増強変調レイヤ上で物理ダウンリンク共有チャネル（ＰＤＳＣＨ）を使用して送信される、Ｃ１５に記載の方法。
［Ｃ１７］
前記ブロードキャストデータを受信するように構成されるＵＥが、前記ブロードキャストデータの受信の肯定応答を送信するのを控えるように構成され、前記特定のＵＥが、前記ユニキャストデータの受信の肯定応答を送信するように構成される、Ｃ１５に記載の方法。
［Ｃ１８］
前記基本変調レイヤおよび前記増強変調レイヤの送信のために使用されるべきチャネルのチャネル状態情報（ＣＳＩ）を決定することと、
前記ＣＳＩに基づいて、前記基本変調レイヤと前記増強変調レイヤとの送信エネルギー比を計算することとをさらに備える、Ｃ１に記載の方法。
［Ｃ１９］
前記ＣＳＩを決定することおよび前記送信エネルギー比を計算することが、複数の伝送時間間隔（ＴＴＩ）の各々に対して実行される、Ｃ１８に記載の方法。
［Ｃ２０］
前記基本変調レイヤおよび前記増強変調レイヤの送信に利用可能な空間レイヤの数を決定することと、
前記決定された数の空間レイヤ上で前記重畳された基本変調レイヤと増強変調レイヤとを送信することとをさらに備える、Ｃ１に記載の方法。
［Ｃ２１］
空間レイヤの前記数を決定することが、少なくとも１つのユーザ機器からのランクインジケータ（ＲＩ）に基づく、Ｃ２０に記載の方法。
［Ｃ２２］
複数のユーザ機器（ＵＥ）のチャネル状態情報（ＣＳＩ）を決定することと、
前記複数のＵＥの前記ＣＳＩに基づいて、前記複数のＵＥのうちのいずれが前記基本変調レイヤまたは前記増強変調レイヤの１つまたは複数を受信すべきかを命令することとをさらに備える、Ｃ１に記載の方法。
［Ｃ２３］
前記重畳された基本変調レイヤと増強変調レイヤとを送信することが、
前記決定されたＣＳＩに基づいてよりチャネル品質が低いと決定された１つまたは複数のＵＥに前記基本変調レイヤを送信することと、
前記決定されたＣＳＩに基づいてよりチャネル品質が高いと決定された前記１つまたは複数のＵＥに前記増強変調レイヤを送信することとを備える、Ｃ２２に記載の方法。
［Ｃ２４］
前記重畳された基本変調レイヤと増強変調レイヤとを受信すべき少なくとも１つのユーザ機器（ＵＥ）にシグナリング情報を送信することをさらに備える、Ｃ１に記載の方法。
［Ｃ２５］
前記シグナリング情報が、前記基本変調レイヤと前記増強変調レイヤとの送信エネルギー比、前記基本変調レイヤおよび前記増強変調レイヤのためのトランスポートブロックサイズ、または、前記基本変調レイヤおよび前記増強変調レイヤのための変調とコーディングの方式の、１つまたは複数を備える、Ｃ２４に記載の方法。
［Ｃ２６］
前記シグナリング情報が、前記基本変調レイヤまたは前記増強変調レイヤの１つまたは複数の上でのＵＥのためのダウンリンクリソースを示す、前記ＵＥのためのダウンリンクグラントを備える、Ｃ２４に記載の方法。
［Ｃ２７］
前記ダウンリンクグラントが、
前記基本変調レイヤまたは前記増強変調レイヤの１つまたは複数の上で前記ＵＥに送信されるデータのリソースブロック位置、
前記基本変調レイヤまたは前記増強変調レイヤの１つまたは複数の上で前記ＵＥに送信されるデータの変調とコーディングの方式（ＭＣＳ）、
前記基本変調レイヤまたは前記増強変調レイヤの１つまたは複数の上で送信するために使用されるプリコーディング行列、
前記基本変調レイヤまたは前記増強変調レイヤの１つまたは複数のためのレイヤマッピング、
前記基本変調レイヤまたは前記増強変調レイヤの１つまたは複数のためのコードブロックサイズ、または、
前記基本変調レイヤまたは前記増強変調レイヤの１つまたは複数のための空間レイヤの数、のうちの１つまたは複数を示す、Ｃ２６に記載の方法。
［Ｃ２８］
前記ダウンリンクグラントが、前記基本変調レイヤまたは前記増強変調レイヤのための情報を備える単一のダウンリンクグラントである、Ｃ２６に記載の方法。
［Ｃ２９］
前記シグナリング情報が、２つ以上のＵＥのための２つ以上のダウンリンクグラントを備え、各ダウンリンクグラントが、前記基本変調レイヤまたは前記増強変調レイヤに対応する、Ｃ２４に記載の方法。
［Ｃ３０］
前記各ダウンリンクグラントが、前記基本変調レイヤまたは前記増強変調レイヤの指示と、前記指示された基本変調レイヤまたは増強変調レイヤのダウンリンクリソースとを備える、Ｃ２９に記載の方法。
［Ｃ３１］
前記基本変調レイヤまたは前記増強変調レイヤの前記指示が、前記ダウンリンクグラントに埋め込まれた１つまたは複数のビットを備える、Ｃ３０に記載の方法。
［Ｃ３２］
前記基本変調レイヤまたは前記増強変調レイヤの前記指示が、前記ダウンリンクリソースが前記基本変調レイヤまたは前記増強変調レイヤのためのものであることを示すために、前記ＵＥのためのセル無線ネットワーク一時識別子（Ｃ−ＲＮＴＩ）によってマスクされた巡回冗長検査（ＣＲＣ）を備える、Ｃ３０に記載の方法。
［Ｃ３３］
前記基本変調レイヤのための前記Ｃ−ＲＮＴＩが、前記ＵＥのための主要セル無線ネットワーク一時識別子（ＰＣ−ＲＮＴＩ）を備え、前記増強変調レイヤのための前記Ｃ−ＲＮＴＩが、前記ＵＥのための二次的セル無線ネットワーク一時識別子（ＳＣ−ＲＮＴＩ）を備える、Ｃ３２に記載の方法。
［Ｃ３４］
前記シグナリング情報が、無線リソース制御（ＲＲＣ）シグナリングを備える、Ｃ２４に記載の方法。
［Ｃ３５］
前記ＲＲＣシグナリングが、前記基本変調レイヤと前記増強変調レイヤとのエネルギー比、前記基本変調レイヤのための変調方式、前記増強変調レイヤのための変調方式、前記基本変調レイヤのためのリソースブロックサイズ、または前記増強変調レイヤのためのリソースブロックサイズの１つまたは複数を含む、Ｃ３４に記載の方法。
［Ｃ３６］
前記シグナリング情報が、物理制御フォーマットインジケータチャネル（ＰＣＦＩＣＨ）を使用して提供される、Ｃ２４に記載の方法。
［Ｃ３７］
前記シグナリング情報が、前記基本変調レイヤおよび前記増強変調レイヤのために独立の制御情報を備える、Ｃ２４に記載の方法。
［Ｃ３８］
前記基本変調レイヤおよび前記増強変調レイヤが同じ変調方式を有する、Ｃ１に記載の方法。
［Ｃ３９］
前記基本変調レイヤおよび前記増強変調レイヤが異なる変調方式を有する、Ｃ１に記載の方法。
［Ｃ４０］
前記基本変調レイヤと前記増強変調レイヤのための変調方式が、四位相偏移変調（ＱＰＳＫ）方式、二位相偏移変調（ＢＰＳＫ）方式、または直角位相振幅変調（ＱＡＭ）方式を備える、Ｃ３９に記載の方法。
［Ｃ４１］
ワイヤレス通信のための方法であって、
基本変調レイヤに重畳される増強変調レイヤを備える信号を受信することと、
前記基本変調レイヤからの干渉を低減するために、前記受信された信号に対して干渉低減を実行することによって、前記増強変調レイヤからデータが復号されるべきであることを決定することと、
前記増強変調レイヤを復号することとを備える、方法。
［Ｃ４２］
データが前記増強変調レイヤから復号されるべきであると決定することが、
前記増強変調レイヤからデータが復号されるべきであることを示す制御シグナリングを、サービング基地局から受信することを備える、Ｃ４１に記載の方法。
［Ｃ４３］
前記制御シグナリングが、前記増強変調レイヤにおいて復号されるべきリソースを示すダウンリンクグラントを備える、Ｃ４２に記載の方法。
［Ｃ４４］
前記制御シグナリングが、前記干渉低減を実行する際に使用するための前記基本変調レイヤの信号特性を備える、Ｃ４２に記載の方法。
［Ｃ４５］
前記制御シグナリングが前記基本変調レイヤにおいて提供される、Ｃ４２に記載の方法。
［Ｃ４６］
前記干渉低減を実行することが、
前記基本変調レイヤからの干渉を低減するために、前記受信された信号に対して線形最小平均二乗誤差（ＭＭＳＥ）抑制を実行することを備える、Ｃ４１に記載の方法。
［Ｃ４７］
前記干渉低減を実行することが、
前記基本変調レイヤからの干渉を低減するために、前記受信された信号に対してＱＲ分解ベースの球面復号（ＱＲ−ＳＤ）を実行することを備える、Ｃ４１に記載の方法。
［Ｃ４８］
前記干渉低減を実行することが、
前記基本変調レイヤからの干渉を低減するために、前記受信された信号に対して連続的干渉除去（ＳＩＣ）を実行することを備える、Ｃ４１に記載の方法。
［Ｃ４９］
階層的コンテンツを送信するための方法であって、
階層的変調リソースを特定するリソースグラントを受信することと、前記階層的変調リソースは基本変調レイヤと増強変調レイヤとを備え、前記基本変調レイヤは前記増強変調レイヤよりも低い誤り率の閾値を有する、
前記基本変調レイヤ上での送信のために第１のコンテンツを特定することと、
前記増強変調レイヤ上での送信のために第２のコンテンツを特定することと、
前記増強変調レイヤを前記基本変調レイヤに重畳することと、
前記重畳された基本変調レイヤと増強変調レイヤとを送信することとを備える、方法。
［Ｃ５０］
前記基本変調レイヤが物理アップリンク制御チャネル（ＰＵＣＣＨ）を備え、前記増強変調レイヤが物理アップリンク共有チャネル（ＰＵＳＣＨ）を備える、Ｃ４９に記載の方法。
［Ｃ５１］
前記基本変調レイヤと前記増強変調レイヤの両方が、物理アップリンク共有チャネル（ＰＵＳＣＨ）を備える、Ｃ４９に記載の方法。
［Ｃ５２］
前記第１のコンテンツが高優先度のコンテンツを備え、前記第２のコンテンツが低優先度のコンテンツを備える、Ｃ４９に記載の方法。
［Ｃ５３］
前記リソースグラントを受信することが、
前記基本変調レイヤと前記増強変調レイヤの両方のための階層的変調リソースを示すアップリンクグラントを基地局から受信することを備える、Ｃ４９に記載の方法。
［Ｃ５４］
前記アップリンクグラントが、前記基本変調レイヤと前記増強変調レイヤとのエネルギー比、レイヤマッピング情報、コードブロックサイズ、または、前記基本変調レイヤと前記増強変調レイヤ内の空間レイヤの数の１つまたは複数を備える、Ｃ５３に記載の方法。
［Ｃ５５］
前記アップリンクグラントがさらに、前記基本変調レイヤおよび前記増強変調レイヤの送信のための空間レイヤの数を示す、Ｃ５３に記載の方法。
［Ｃ５６］
前記基本変調レイヤおよび前記増強変調レイヤが同じ変調方式を有する、Ｃ４９に記載の方法。
［Ｃ５７］
前記基本変調レイヤおよび前記増強変調レイヤが異なる変調方式を有する、Ｃ４９に記載の方法。
［Ｃ５８］
前記基本変調レイヤと前記増強変調レイヤのための変調方式が、四位相偏移変調（ＱＰＳＫ）方式、二位相偏移変調（ＢＰＳＫ）方式、または直角位相振幅変調（ＱＡＭ）方式を備える、Ｃ５７に記載の方法。
［Ｃ５９］
前記リソースグラントを受信することが、
前記基本変調レイヤのための階層的変調リソースを示す第１のアップリンクグラントを基地局から受信することと、
前記増強変調レイヤのための階層的変調リソースを示す第２のアップリンクグラントを前記基地局から受信することとを備える、Ｃ４９に記載の方法。
［Ｃ６０］
前記第１のアップリンクグラントおよび前記第２のアップリンクグラントが、対応する変調レイヤ内の空間レイヤの数を示す空間情報を含む、Ｃ５９に記載の方法。
［Ｃ６１］
前記第１のアップリンクグラントおよび前記第２のアップリンクグラントが、前記基本変調レイヤまたは前記増強変調レイヤの指示と、前記指示された基本変調レイヤまたは増強変調レイヤのアップリンクリソースとを備える、Ｃ５９に記載の方法。
［Ｃ６２］
前記基本変調レイヤまたは前記増強変調レイヤの前記指示が、前記第１のアップリンクグラントおよび前記第２のアップリンクグラントに埋め込まれる１つまたは複数のビットを備える、Ｃ６１に記載の方法。
［Ｃ６３］
前記基本変調レイヤまたは前記増強変調レイヤの前記指示が、前記アップリンクリソースが前記基本変調レイヤまたは前記増強変調レイヤのためのものであることを示すために、ユーザ機器（ＵＥ）のためのセル無線ネットワーク一時識別子（Ｃ−ＲＮＴＩ）によってマスクされる巡回冗長検査（ＣＲＣ）を備える、Ｃ６１に記載の方法。
［Ｃ６４］
前記基本変調レイヤのための前記Ｃ−ＲＮＴＩが、前記ＵＥのための主要セルＲＮＴＩ（ＰＣ−ＲＮＴＩ）を備え、前記増強変調レイヤのための前記Ｃ−ＲＮＴＩが、前記ＵＥのための二次的セルＲＮＴＩ（ＳＣ−ＲＮＴＩ）を備える、Ｃ６３に記載の方法。
［Ｃ６５］
前記基本変調レイヤと前記増強変調レイヤとの送信エネルギー比、前記基本変調レイヤおよび前記増強変調レイヤのためのトランスポートブロックサイズ、または、前記基本変調レイヤおよび前記増強変調レイヤのための変調とコーディングの方式の、１つまたは複数を備えるシグナリング情報を受信することをさらに備える、Ｃ４９に記載の方法。
［Ｃ６６］
前記シグナリング情報が、無線リソース制御（ＲＲＣ）シグナリングにおいて受信される、Ｃ６５に記載の方法。
［Ｃ６７］
前記シグナリング情報が、前記リソースグラントにおいて受信される、Ｃ６５に記載の方法。
［Ｃ６８］
前記シグナリング情報が、物理制御フォーマットインジケータチャネル（ＰＣＦＩＣＨ）上で受信される、Ｃ６５に記載の方法。
［Ｃ６９］
前記シグナリング情報が、前記基本変調レイヤおよび前記増強変調レイヤのために独立の制御情報を備える、Ｃ６５に記載の方法。
［Ｃ７０］
前記第１のコンテンツが、物理アップリンク制御チャネル（ＰＵＣＣＨ）上で送信される制御情報を備える、Ｃ４９に記載の方法。
［Ｃ７１］
前記制御情報が、ダウンリンクデータの肯定応答、チャネル状態情報（ＣＳＩ）、ランクインジケータ（ＲＩ）、またはスケジューリング要求（ＳＲ）の１つまたは複数を備える、Ｃ７０に記載の方法。
［Ｃ７２］
前記制御情報がさらに、前記増強変調レイヤと関連付けられるアップリンク情報を備える、Ｃ７１に記載の方法。
［Ｃ７３］
前記増強変調レイヤと関連付けられる前記アップリンク情報が、前記増強変調レイヤと関連付けられるデータレートを備える、Ｃ７２に記載の方法。
［Ｃ７４］
前記第２のコンテンツが、物理アップリンク共有チャネル（ＰＵＳＣＨ）上で送信されるユーザデータを備える、Ｃ４９に記載の方法。
［Ｃ７５］
ユーザ機器におけるワイヤレス通信のための方法であって、
近隣セルユーザ機器（ＵＥ）から送信される信号の伝送特性情報を決定することと、
前記決定された伝送特性情報に基づいて、サービングセル基地局から受信された信号に対して干渉低減を実行することとを備える、方法。
［Ｃ７６］
前記近隣セルＵＥから送信される前記信号が、前記サービングセル基地局によって使用される時分割複信（ＴＤＤ）アップリンク／ダウンリンク（ＵＬ／ＤＬ）構成とは異なるＴＤＤ ＵＬ／ＤＬ構成に従って前記近隣セルＵＥから近隣セル基地局に送信されるアップリンクサブフレームを備える、Ｃ７５に記載の方法。
［Ｃ７７］
前記近隣セルＵＥによって使用される前記ＴＤＤ ＵＬ／ＤＬ構成が、前記サービングセル基地局から送信されるダウンリンクサブフレームの間に、前記近隣セルＵＥから前記近隣セル基地局に送信される少なくとも１つのアップリンクサブフレームを備える、Ｃ７６に記載の方法。
［Ｃ７８］
前記近隣セルＵＥから送信される前記信号が、別の近隣セルノードへの少なくとも１つのデバイス対デバイス（Ｄ２Ｄ）送信を備える、Ｃ７５に記載の方法。
［Ｃ７９］
前記少なくとも１つのＤ２Ｄ送信が、前記サービングセル基地局から送信されるダウンリンクサブフレームの間に前記近隣セルＵＥから送信される、Ｃ７８に記載の方法。
［Ｃ８０］
前記伝送特性情報を決定することが、
近隣セルＵＥからの送信を監視することと、
近隣セルＵＥからの前記送信を監視する間に受信される送信に基づいて、前記伝送特性情報を決定することとを備える、Ｃ７５に記載の方法。
［Ｃ８１］
前記伝送特性情報が、変調次数、空間レイヤの数、またはプリコーディング情報の１つまたは複数を備える、Ｃ８０に記載の方法。
［Ｃ８２］
前記伝送特性情報を決定することが、
近隣セル基地局からの送信を監視することと、
前記近隣セルＵＥからのアップリンク送信のためのアップリンクグラント情報に基づいて前記伝送特性情報を決定することとを備え、前記アップリンクグラント情報が、近隣セル基地局からの前記送信を監視する間に受信される、Ｃ７５に記載の方法。
［Ｃ８３］
近隣セル基地局からの前記送信を監視することが、
近隣セル基地局の物理ダウンリンク制御チャネル（ＰＤＣＣＨ）を監視することを備える、Ｃ８２に記載の方法。
［Ｃ８４］
前記近隣セル基地局の前記ＰＤＣＣＨを監視することが、
前記近隣セルＵＥのためのアップリンクグラントを復号することと、
前記復号されたアップリンクグラントに基づいて、前記近隣セルＵＥから送信される信号の前記伝送特性情報を決定することとを備える、Ｃ８３に記載の方法。
［Ｃ８５］
前記伝送特性情報を決定することが、
サービングセル基地局から前記伝送特性情報を受信することを備える、Ｃ７５に記載の方法。
［Ｃ８６］
前記サービングセル基地局が、近隣セル基地局とのＸ２通信リンクを通じて、または、前記サービングセル基地局および前記近隣セル基地局と通信している中央スケジューラから、前記伝送特性情報を受信する、Ｃ８５に記載の方法。
［Ｃ８７］
サービングセル基地局におけるワイヤレス通信のための方法であって、
近隣セル基地局から送信される信号の第１の伝送特性情報を決定することと、
近隣セルユーザ機器（ＵＥ）から送信される信号の第２の伝送特性情報を決定することと、
前記決定された第１の伝送特性情報および前記第２の伝送特性情報に基づいて、前記サービングセル基地局と関連付けられるＵＥから受信された信号に対して干渉低減を実行することとを備える、方法。
［Ｃ８８］
前記近隣セル基地局から送信される前記信号が、前記サービングセル基地局によって使用される時分割複信（ＴＤＤ）アップリンク／ダウンリンク（ＵＬ／ＤＬ）構成とは異なるＴＤＤ ＵＬ／ＤＬ構成に従って前記近隣セル基地局から前記近隣セルＵＥに送信されるダウンリンクサブフレームを備える、Ｃ８７に記載の方法。
［Ｃ８９］
前記近隣セル基地局によって使用される前記ＴＤＤ ＵＬ／ＤＬ構成が、サービングセルＵＥから送信されるアップリンクサブフレームの間に、前記近隣セル基地局から前記近隣セルＵＥに送信される少なくとも１つのダウンリンクサブフレームを備える、Ｃ８８に記載の方法。
［Ｃ９０］
前記近隣セルＵＥから送信される前記信号が、前記サービングセル基地局と関連付けられる前記ＵＥからのアップリンクサブフレーム送信の間の、アップリンク制御チャネル送信またはアップリンクデータチャネル送信の１つまたは複数を備える、Ｃ８７に記載の方法。
［Ｃ９１］
前記近隣セル基地局または前記近隣セルＵＥのどちらが、前記サービングセル基地局と関連付けられる前記ＵＥからのアップリンクサブフレーム送信の間に送信しているかを決定することをさらに備え、
前記干渉低減を実行することが、前記近隣セル基地局または近隣セルＵＥのどちらが、前記サービングセル基地局と関連付けられる前記ＵＥからの前記アップリンクサブフレーム送信の間に送信しているかに基づく、Ｃ８７に記載の方法。
［Ｃ９２］
前記近隣セルＵＥから送信される信号の前記第２の伝送特性情報を決定することが、
近隣セルＵＥからの送信を監視することと、
前記近隣セルＵＥからの前記送信を監視する間に受信される送信に基づいて、前記近隣セルＵＥから送信される信号の前記第２の伝送特性情報を決定することとを備える、Ｃ８７に記載の方法。
［Ｃ９３］
前記近隣セルＵＥから送信される信号の前記第２の伝送特性情報が、変調次数、空間レイヤの数、またはプリコーディング情報の１つまたは複数を備える、Ｃ９２に記載の方法。
［Ｃ９４］
前記近隣セルＵＥから送信される信号の前記第２の伝送特性情報を決定することが、
近隣セル基地局からの送信を監視することと、
前記近隣セル基地局からの前記送信を監視する間に受信される送信に基づいて、前記近隣セルＵＥからのアップリンク送信のためのアップリンクグラント情報を決定することとを備える、Ｃ８７に記載の方法。
［Ｃ９５］
近隣セル基地局からの前記送信を監視することが、
前記近隣セル基地局の物理ダウンリンク制御チャネル（ＰＤＣＣＨ）を監視することを備える、Ｃ９４に記載の方法。
［Ｃ９６］
前記近隣セル基地局から送信される信号の前記第１の伝送特性情報を決定することが、
近隣セル基地局からの送信を監視することと、
前記近隣セル基地局からの前記送信を監視する間に受信される送信に基づいて、前記近隣セル基地局からのダウンリンク送信のためのダウンリンク伝送特性情報を決定することとを備える、Ｃ８７に記載の方法。
［Ｃ９７］
前記近隣セル基地局から送信される信号の前記第１の伝送特性情報を決定することと、前記近隣セルＵＥから送信される信号の前記第２の伝送特性情報を決定することとが、
前記近隣セル基地局とのＸ２通信リンクを通じて、または、前記サービングセル基地局および前記近隣セル基地局と通信している中央スケジューラから、前記第１の伝送特性情報と前記第２の伝送特性情報とを受信することを備える、Ｃ８７に記載の方法。
［Ｃ９８］
受信ノードにおけるワイヤレス通信のための方法であって、
送信ノードからワイヤレス送信を受信するための第１のワイヤレス通信チャネルを確立することと、
前記第１のワイヤレス通信チャネルとは異なる第２のワイヤレス通信チャネルの伝送チャネル情報を決定することと、
前記第２のワイヤレス通信チャネルの前記伝送チャネル情報に基づいて、前記送信ノードからの前記第１のワイヤレス通信チャネル上で受信される信号に対して干渉低減を実行することとを備える、方法。
［Ｃ９９］
前記第２のワイヤレス通信チャネルの伝送チャネル情報を前記決定することが、
前記第２のワイヤレス通信チャネル上でのワイヤレス送信の送信プリアンブルを復号することを備える、Ｃ９８に記載の方法。
［Ｃ１００］
前記干渉低減を実行することが、
前記復号された送信プリアンブルに基づいて、前記第２のワイヤレス通信チャネルからの干渉を推定することと、
前記推定された干渉に基づいて、前記第１のワイヤレス通信チャネル上で受信される前記信号に対して干渉除去を実行することとを備える、Ｃ９９に記載の方法。
［Ｃ１０１］
前記推定される干渉が、高周波（ＲＦ）非線形性、前記第２のワイヤレス通信チャネルから前記第１のワイヤレス通信チャネルへともたらされる高調波、前記第２のワイヤレス通信チャネルからの相互変調歪み（ＩＭＤ）、前記第２のワイヤレス通信チャネルからのチャネル漏洩、または、前記第１のワイヤレス通信チャネルと第２のワイヤレス通信チャネルとの間の結合、のうちの１つまたは複数を備える、Ｃ１００に記載の方法。
［Ｃ１０２］
前記第２のワイヤレス通信チャネルの前記伝送チャネル情報が、前記第２のワイヤレス通信チャネルと前記第１のワイヤレス通信チャネルとの間の同一チャネル干渉を備える、Ｃ９８に記載の方法。
［Ｃ１０３］
前記第１のワイヤレス通信チャネルおよび前記第２のワイヤレス通信チャネルが、異なるワイヤレス送信プロトコルに従って免許不要スペクトルにおいて動作するノードと関連付けられる、Ｃ１０２に記載の方法。
［Ｃ１０４］
前記第１のワイヤレス通信チャネルが、ＬＯＮＧ ＴＥＲＭ ＥＶＯＬＵＴＩＯＮ （ＬＴＥ）プロトコルに従って免許不要スペクトルにおいて動作するノードと関連付けられ、前記第２のワイヤレス通信チャネルが、ＩＥＥＥ ８０２．１１プロトコルに従って前記免許不要スペクトルにおいて動作する異なるノードと関連付けられる、Ｃ１０２に記載の方法。
［Ｃ１０５］
前記第１のワイヤレス通信チャネルが、ＩＥＥＥ ８０２．１１プロトコルに従って免許不要スペクトルにおいて動作するノードと関連付けられ、前記第２のワイヤレス通信チャネルが、ＬＯＮＧ ＴＥＲＭ ＥＶＯＬＵＴＩＯＮ（ＬＴＥ）プロトコルに従って前記免許不要スペクトルにおいて動作する異なるノードと関連付けられる、Ｃ１０２に記載の方法。
［Ｃ１０６］
前記第２のワイヤレス通信チャネルが、前記第１のワイヤレス通信チャネルの隣接チャネルであり、前記隣接チャネルからの漏洩が、前記第１のワイヤレス通信チャネルの信号との干渉を引き起こす、Ｃ９８に記載の方法。
［Ｃ１０７］
前記隣接チャネルからの前記漏洩が、前記第１のワイヤレス通信チャネルの信号との干渉を引き起こす、Ｃ１０６に記載の方法。
［Ｃ１０８］
前記干渉低減を実行することが、前記第２のワイヤレス通信チャネルの前記伝送チャネル情報に基づいて、前記第１のワイヤレス通信チャネル上で受信される前記信号に対して干渉除去を実行することを備える、Ｃ１０７に記載の方法。
［Ｃ１０９］
前記送信ノードが、ＬＯＮＧ ＴＥＲＭ ＥＶＯＬＵＴＩＯＮ（ＬＴＥ）プロトコルに従って動作する基地局またはユーザ機器である、Ｃ９８に記載の方法。
［Ｃ１１０］
前記送信ノードが、ＩＥＥＥ ８０２．１１プロトコルに従って動作するアクセスポイントまたは局である、Ｃ９８に記載の方法。
［Ｃ１１１］
階層的コンテンツを送信するための装置であって、
送信のために第１のコンテンツを特定するための手段と、前記第１のコンテンツは第１の誤り率の閾値と関連付けられる、
送信のために第２のコンテンツを特定するための手段と、前記第２のコンテンツは前記第１の誤り率の閾値よりも高い第２の誤り率の閾値と関連付けられる、
基本変調レイヤ上に前記第１のコンテンツを変調するための手段と、
増強変調レイヤ上に前記第２のコンテンツを変調するための手段と、
前記増強変調レイヤを前記基本変調レイヤに重畳するための手段と、
前記重畳された基本変調レイヤと増強変調レイヤとを送信するための手段とを備える、装置。
［Ｃ１１２］
前記第１の誤り率の閾値および前記第２の誤り率の閾値が、前記第１のコンテンツおよび第２のコンテンツに含まれる情報のタイプに基づく、Ｃ１１１に記載の装置。
［Ｃ１１３］
前記第１のコンテンツが高優先度のコンテンツを備え、前記第２のコンテンツが低優先度のコンテンツを備える、Ｃ１１１に記載の装置。
［Ｃ１１４］
前記第１のコンテンツおよび前記第２のコンテンツが同じユーザ機器に送信される、Ｃ１１１に記載の装置。
［Ｃ１１５］
前記第１のコンテンツおよび前記第２のコンテンツが異なるユーザ機器に送信される、Ｃ１１１に記載の装置。
［Ｃ１１６］
前記第１のコンテンツが、前記第１のコンテンツを受信するように構成されるユーザ機器（ＵＥ）のための制御情報を備える、Ｃ１１１に記載の装置。
［Ｃ１１７］
前記制御情報が、スケジューリンググラント情報、肯定応答情報、またはシグナリング情報の１つまたは複数を備える、Ｃ１１６に記載の装置。
［Ｃ１１８］
前記ＵＥが、前記第１のコンテンツの受信の肯定応答を送信するのを控えるように構成される、Ｃ１１６に記載の装置。
［Ｃ１１９］
前記第２のコンテンツがユーザデータを備える、Ｃ１１６に記載の装置。
［Ｃ１２０］
前記ＵＥが、前記ユーザデータの受信の肯定応答を送信するように構成される、Ｃ１１９に記載の装置。
［Ｃ１２１］
前記制御情報が、前記基本変調レイヤ上で物理ダウンリンク制御チャネル（ＰＤＣＣＨ）を使用して送信され、前記ユーザデータが、前記増強変調レイヤ上で物理ダウンリンク共有チャネル（ＰＤＳＣＨ）を使用して送信される、Ｃ１１９に記載の装置。
［Ｃ１２２］
前記第１のコンテンツが、第１のユーザ機器（ＵＥ）のためのレイテンシに対する感受性が高いユニキャストデータを備え、前記第２のコンテンツが、前記第１のＵＥまたは異なるＵＥのためのベストエフォートユニキャストデータを備える、Ｃ１１１に記載の装置。
［Ｃ１２３］
前記レイテンシに対する感受性が高いユニキャストデータが、前記基本変調レイヤ上で物理ダウンリンク共有チャネル（ＰＤＳＣＨ）を使用して送信され、前記ベストエフォートユニキャストデータが、前記増強変調レイヤ上でＰＤＳＣＨを使用して送信される、Ｃ１２２に記載の装置。
［Ｃ１２４］
前記第１のコンテンツが特定のユーザ機器（ＵＥ）のためのユニキャストデータを備え、前記第２のコンテンツがブロードキャストデータを備える、Ｃ１１１に記載の装置。
［Ｃ１２５］
前記第１のコンテンツがブロードキャストデータを備え、前記第２のコンテンツが特定のユーザ機器（ＵＥ）のためのユニキャストデータを備える、Ｃ１１１に記載の装置。
［Ｃ１２６］
前記ブロードキャストデータが、前記基本変調レイヤ上で物理マルチキャストチャネル（ＰＭＣＨ）を使用して送信され、前記ユニキャストデータが、前記増強変調レイヤ上で物理ダウンリンク共有チャネル（ＰＤＳＣＨ）を使用して送信される、Ｃ１２５に記載の装置。
［Ｃ１２７］
前記ブロードキャストデータを受信するように構成されるＵＥが、前記ブロードキャストデータの受信の肯定応答を送信するのを控えるように構成され、前記特定のＵＥが、前記ユニキャストデータの受信の肯定応答を送信するように構成される、Ｃ１２５に記載の装置。
［Ｃ１２８］
前記基本変調レイヤおよび前記増強変調レイヤの送信のために使用されるべきチャネルのチャネル局情報（ＣＳＩ）を決定するための手段と、
前記ＣＳＩに基づいて、前記基本変調レイヤと前記増強変調レイヤとの送信エネルギー比を計算するための手段とをさらに備える、Ｃ１１１に記載の装置。
［Ｃ１２９］
前記ＣＳＩを決定するための前記手段が、複数の伝送時間間隔（ＴＴＩ）の各々のための前記ＣＳＩを決定するための手段を備え、前記送信エネルギー比を計算するための前記手段が、複数の伝送時間間隔ＴＴＩの各々のための前記送信エネルギー比を計算するための手段を備える、Ｃ１２８に記載の装置。
［Ｃ１３０］
前記基本変調レイヤおよび前記増強変調レイヤの送信に利用可能な空間レイヤの数を決定するための手段と、
前記決定された数の空間レイヤ上で前記重畳された基本変調レイヤと増強変調レイヤとを送信するための手段とをさらに備える、Ｃ１１１に記載の装置。
［Ｃ１３１］
空間レイヤの前記数を決定するための前記手段が、少なくとも１つのユーザ機器からのランクインジケータ（ＲＩ）に基づいて決定するための手段を備える、Ｃ１３０に記載の装置。
［Ｃ１３２］
複数のユーザ機器（ＵＥ）のチャネル状態情報（ＣＳＩ）を決定するための手段と、
前記複数のＵＥのための前記ＣＳＩに基づいて、前記複数のＵＥのうちのどちらが前記基本変調レイヤまたは前記増強変調レイヤの１つまたは複数を受信すべきかを命令するための手段とをさらに備える、Ｃ１１１に記載の装置。
［Ｃ１３３］
前記重畳された基本変調レイヤと増強変調レイヤとを送信するための前記手段が、
前記決定されたＣＳＩに基づいてよりチャネル品質が低いと決定された１つまたは複数のＵＥに前記基本変調レイヤを送信するための手段と、
前記決定されたＣＳＩに基づいてよりチャネル品質が高いと決定された前記１つまたは複数のＵＥに前記増強変調レイヤを送信するための手段とを備える、Ｃ１３２に記載の装置。
［Ｃ１３４］
前記重畳された基本変調レイヤと増強変調レイヤとを受信すべき少なくとも１つのユーザ機器（ＵＥ）にシグナリング情報を送信するための手段をさらに備える、Ｃ１１１に記載の装置。
［Ｃ１３５］
前記シグナリング情報が、前記基本変調レイヤまたは前記増強変調レイヤの１つまたは複数の上でのＵＥのためのダウンリンクリソースを示す、前記ＵＥのためのダウンリンクグラントを備える、Ｃ１３４に記載の装置。
［Ｃ１３６］
前記ダウンリンクグラントが、
前記基本変調レイヤまたは前記増強変調レイヤの１つまたは複数の上で前記ＵＥに送信されるデータのリソースブロック位置、
前記基本変調レイヤまたは前記増強変調レイヤの１つまたは複数の上で前記ＵＥに送信されるデータの変調とコーディングの方式（ＭＣＳ）、
前記基本変調レイヤまたは前記増強変調レイヤの１つまたは複数の上で送信するために使用されるプリコーディング行列、
前記基本変調レイヤまたは前記増強変調レイヤの１つまたは複数のためのレイヤマッピング、
前記基本変調レイヤまたは前記増強変調レイヤの１つまたは複数のためのコードブロックサイズ、または、
前記基本変調レイヤまたは前記増強変調レイヤの１つまたは複数のための空間レイヤの数、のうちの１つまたは複数を示す、Ｃ１３５に記載の装置。
［Ｃ１３７］
前記ダウンリンクグラントが、前記基本変調レイヤまたは前記増強変調レイヤのための情報を備える単一のダウンリンクグラントである、Ｃ１３５に記載の装置。
［Ｃ１３８］
前記シグナリング情報が、２つ以上のＵＥのための２つ以上のダウンリンクグラントを備え、各ダウンリンクグラントが、前記基本変調レイヤまたは前記増強変調レイヤに対応する、Ｃ１３４に記載の装置。
［Ｃ１３９］
前記各ダウンリンクグラントが、前記基本変調レイヤまたは前記増強変調レイヤの指示と、前記指示された基本変調レイヤまたは増強変調レイヤのダウンリンクリソースとを備える、Ｃ１３８に記載の装置。
［Ｃ１４０］
前記基本変調レイヤまたは前記増強変調レイヤの前記指示が、前記ダウンリンクグラントに埋め込まれる１つまたは複数のビットを備える、Ｃ１３９に記載の装置。
［Ｃ１４１］
前記基本変調レイヤまたは前記増強変調レイヤの前記指示が、前記ダウンリンクリソースが前記基本変調レイヤまたは前記増強変調レイヤのためのものであることを示すために、前記ＵＥのためのセル無線ネットワーク一時識別子（Ｃ−ＲＮＴＩ）によってマスクされる巡回冗長検査（ＣＲＣ）を備える、Ｃ１３９に記載の装置。
［Ｃ１４２］
前記基本変調レイヤのための前記Ｃ−ＲＮＴＩが、前記ＵＥのための主要セルＲＮＴＩ（ＰＣ−ＲＮＴＩ）を備え、前記増強変調レイヤのための前記Ｃ−ＲＮＴＩが、前記ＵＥのための二次的セルＲＮＴＩ（ＳＣ−ＲＮＴＩ）を備える、Ｃ１４１に記載の装置。
［Ｃ１４３］
前記シグナリング情報が、前記基本変調レイヤと前記増強変調レイヤとの送信エネルギー比、前記基本変調レイヤおよび前記増強変調レイヤのためのトランスポートブロックサイズ、または、前記基本変調レイヤおよび前記増強変調レイヤのための変調とコーディングの方式、のうちの１つまたは複数を備える、Ｃ１３４に記載の装置。
［Ｃ１４４］
前記シグナリング情報が、無線リソース制御（ＲＲＣ）シグナリングを備える、Ｃ１３４に記載の装置。
［Ｃ１４５］
前記ＲＲＣシグナリングが、前記基本変調レイヤと前記増強変調レイヤとのエネルギー比、前記基本変調レイヤのための変調方式、前記増強変調レイヤのための変調方式、前記基本変調レイヤのためのリソースブロックサイズ、または前記増強変調レイヤのためのリソースブロックサイズ、のうちの１つまたは複数を含む、Ｃ１４４に記載の装置。
［Ｃ１４６］
前記シグナリング情報が、物理制御フォーマットインジケータチャネル（ＰＣＦＩＣＨ）を使用して提供される、Ｃ１３４に記載の装置。
［Ｃ１４７］
前記シグナリング情報が、前記基本変調レイヤおよび前記増強変調レイヤのために独立の制御情報を備える、Ｃ１３４に記載の装置。
［Ｃ１４８］
前記基本変調レイヤおよび前記増強変調レイヤが同じ変調方式を有する、Ｃ１１１に記載の装置。
［Ｃ１４９］
前記基本変調レイヤおよび前記増強変調レイヤが異なる変調方式を有する、Ｃ１１１に記載の装置。
［Ｃ１５０］
前記基本変調レイヤと前記増強変調レイヤのための変調方式が、四位相偏移変調（ＱＰＳＫ）方式、二位相偏移変調（ＢＰＳＫ）方式、または直角位相振幅変調（ＱＡＭ）方式を備える、Ｃ１４９に記載の装置。
［Ｃ１５１］
ワイヤレス通信のための装置であって、
基本変調レイヤに重畳される増強変調レイヤを備える信号を受信するための手段と、
前記基本変調レイヤからの干渉を低減し、前記増強変調レイヤからデータが復号されるべきであると決定するために、前記受信された信号に対して干渉低減を実行するための手段と、
前記増強変調レイヤを復号するための手段とを備える、装置。
［Ｃ１５２］
前記干渉低減を実行するための前記手段が、
前記増強変調レイヤからデータが復号されるべきであることを示す制御シグナリングを、サービング基地局から受信するための手段を備える、Ｃ１５１に記載の装置。
［Ｃ１５３］
前記制御シグナリングが、前記増強変調レイヤにおいて復号されるべきリソースを示すダウンリンクグラントを備える、Ｃ１５２に記載の装置。
［Ｃ１５４］
前記制御シグナリングが、前記干渉低減を実行する際に使用するための前記基本変調レイヤの信号特性を備える、Ｃ１５２に記載の装置。
［Ｃ１５５］
前記制御シグナリングが前記基本変調レイヤにおいて提供される、Ｃ１５２に記載の装置。
［Ｃ１５６］
前記干渉低減を実行するための前記手段が、
前記基本変調レイヤからの干渉を低減するために、前記受信された信号に対して線形最小平均二乗誤差（ＭＭＳＥ）抑制を実行するための手段を備える、Ｃ１５１に記載の装置。
［Ｃ１５７］
前記干渉低減を実行するための前記手段が、
前記基本変調レイヤからの干渉を低減するために前記受信された信号に対してＱＲ分解ベースの球面復号（ＱＲ−ＳＤ）を実行するための手段を備える、Ｃ１５１に記載の装置。
［Ｃ１５８］
前記干渉低減を実行するための前記手段が、
前記基本変調レイヤからの干渉を低減するために、前記受信された信号に対して連続的干渉除去（ＳＩＣ）を実行するための手段を備える、Ｃ１５１に記載の装置。
［Ｃ１５９］
階層的コンテンツを送信するための装置であって、
階層的変調リソースを特定するリソースグラントを受信するための手段と、前記階層的変調リソースは基本変調レイヤと増強変調レイヤとを備え、前記基本変調レイヤは前記増強変調レイヤよりも低い誤り率の閾値を有する、
前記基本変調レイヤ上での送信のために第１のコンテンツを特定するための手段と、
前記増強変調レイヤ上での送信のために第２のコンテンツを特定するための手段と、
前記増強変調レイヤを前記基本変調レイヤに重畳するための手段と、
前記重畳された基本変調レイヤと増強変調レイヤとを送信するための手段とを備える、装置。
［Ｃ１６０］
前記基本変調レイヤが物理アップリンク制御チャネル（ＰＵＣＣＨ）を備え、前記増強変調レイヤが物理アップリンク共有チャネル（ＰＵＳＣＨ）を備える、Ｃ１５９に記載の装置。
［Ｃ１６１］
前記基本変調レイヤと前記増強変調レイヤの両方が、物理アップリンク共有チャネル（ＰＵＳＣＨ）を備える、Ｃ１５９に記載の装置。
［Ｃ１６２］
前記第１のコンテンツが高優先度のコンテンツを備え、前記第２のコンテンツが低優先度のコンテンツを備える、Ｃ１５９に記載の装置。
［Ｃ１６３］
前記リソースグラントを受信するための前記手段が、
前記基本変調レイヤと前記増強変調レイヤの両方のための階層的変調リソースを示すアップリンクグラントを基地局から受信するための手段を備える、Ｃ１５９に記載の装置。
［Ｃ１６４］
前記アップリンクグラントが、前記基本変調レイヤと前記増強変調レイヤとのエネルギー比、レイヤマッピング情報、コードブロックサイズ、または、前記基本変調レイヤと前記増強変調レイヤ内の空間レイヤの数、のうちの１つまたは複数を備える、Ｃ１６３に記載の装置。
［Ｃ１６５］
前記アップリンクグラントがさらに、前記基本変調レイヤおよび前記増強変調レイヤの送信のための空間レイヤの数を示す、Ｃ１６３に記載の装置。
［Ｃ１６６］
前記基本変調レイヤおよび前記増強変調レイヤが同じ変調方式を有する、Ｃ１５９に記載の装置。
［Ｃ１６７］
前記基本変調レイヤおよび前記増強変調レイヤが異なる変調方式を有する、Ｃ１５９に記載の装置。
［Ｃ１６８］
前記基本変調レイヤと前記増強変調レイヤのための変調方式が、四位相偏移変調（ＱＰＳＫ）方式、二位相偏移変調（ＢＰＳＫ）方式、または直角位相振幅変調（ＱＡＭ）方式を備える、Ｃ１６７に記載の装置。
［Ｃ１６９］
前記リソースグラントを受信するための前記手段が、
前記基本変調レイヤのための階層的変調リソースを示す第１のアップリンクグラントを基地局から受信するための手段と、
前記増強変調レイヤのための階層的変調リソースを示す第２のアップリンクグラントを前記基地局から受信するための手段とを備える、Ｃ１５９に記載の装置。
［Ｃ１７０］
前記第１のアップリンクグラントおよび前記第２のアップリンクグラントが、対応する変調レイヤ内の空間レイヤの数を示す空間情報を含む、Ｃ１６９に記載の装置。
［Ｃ１７１］
前記第１のアップリンクグラントおよび前記第２のアップリンクグラントが、前記基本変調レイヤまたは前記増強変調レイヤの指示と、前記指示された基本変調レイヤまたは増強変調レイヤのアップリンクリソースとを備える、Ｃ１６９に記載の装置。
［Ｃ１７２］
前記基本変調レイヤまたは前記増強変調レイヤの前記指示が、前記第１のアップリンクグラントおよび前記第２のアップリンクグラントに埋め込まれる１つまたは複数のビットを備える、Ｃ１７１に記載の装置。
［Ｃ１７３］
前記基本変調レイヤまたは前記増強変調レイヤの前記指示が、前記アップリンクリソースが前記基本変調レイヤまたは前記増強変調レイヤのためのものであることを示すために、ユーザ機器（ＵＥ）のためのセル無線ネットワーク一時識別子（Ｃ−ＲＮＴＩ）によってマスクされる巡回冗長検査（ＣＲＣ）を備える、Ｃ１７１に記載の装置。
［Ｃ１７４］
前記基本変調レイヤのための前記Ｃ−ＲＮＴＩが、前記ＵＥのための主要セルＲＮＴＩ（ＰＣ−ＲＮＴＩ）を備え、前記増強変調レイヤのための前記Ｃ−ＲＮＴＩが、前記ＵＥのための二次的セルＲＮＴＩ（ＳＣ−ＲＮＴＩ）を備える、Ｃ１７３に記載の装置。
［Ｃ１７５］
前記基本変調レイヤと前記増強変調レイヤとの送信エネルギー比、前記基本変調レイヤおよび前記増強変調レイヤのためのトランスポートブロックサイズ、または、前記基本変調レイヤおよび前記増強変調レイヤのための変調とコーディングの方式、のうちの１つまたは複数を備えるシグナリング情報を受信するための手段をさらに備える、Ｃ１５９に記載の装置。
［Ｃ１７６］
前記シグナリング情報が、無線リソース制御（ＲＲＣ）シグナリングにおいて受信される、Ｃ１７５に記載の装置。
［Ｃ１７７］
前記シグナリング情報が、前記リソースグラントにおいて受信される、Ｃ１７５に記載の装置。
［Ｃ１７８］
前記シグナリング情報が、物理制御フォーマットインジケータチャネル（ＰＣＦＩＣＨ）上で受信される、Ｃ１７５に記載の装置。
［Ｃ１７９］
前記シグナリング情報が、前記基本変調レイヤおよび前記増強変調レイヤのために独立の制御情報を備える、Ｃ１７５に記載の装置。
［Ｃ１８０］
前記第１のコンテンツが、物理アップリンク制御チャネル（ＰＵＣＣＨ）上で送信される制御情報を備える、Ｃ１５９に記載の装置。
［Ｃ１８１］
前記制御情報が、ダウンリンクデータの肯定応答、チャネル状態情報（ＣＳＩ）、ランクインジケータ（ＲＩ）、またはスケジューリング要求（ＳＲ）の１つまたは複数を備える、Ｃ１８０に記載の装置。
［Ｃ１８２］
前記制御情報がさらに、前記増強変調レイヤと関連付けられるアップリンク情報を備える、Ｃ１８１に記載の装置。
［Ｃ１８３］
前記増強変調レイヤと関連付けられる前記アップリンク情報が、前記増強変調レイヤと関連付けられるデータレートを備える、Ｃ１８２に記載の装置。
［Ｃ１８４］
前記第２のコンテンツが、物理アップリンク共有チャネル（ＰＵＳＣＨ）上で送信されるユーザデータを備える、Ｃ１５９に記載の装置。
［Ｃ１８５］
ユーザ機器におけるワイヤレス通信のための装置であって、
近隣セルユーザ機器（ＵＥ）から送信される信号の伝送特性情報を決定するための手段と、
前記決定された伝送特性情報に基づいて、サービングセル基地局から受信された信号に対して干渉除去を実行するための手段とを備える、装置。
［Ｃ１８６］
前記近隣セルＵＥから送信される前記信号が、前記サービングセル基地局によって使用される時分割複信（ＴＤＤ）アップリンク／ダウンリンク（ＵＬ／ＤＬ）構成とは異なるＴＤＤ ＵＬ／ＤＬ構成に従って前記近隣セルＵＥから近隣セル基地局に送信されるアップリンクサブフレームを備える、Ｃ１８５に記載の装置。
［Ｃ１８７］
前記近隣セルＵＥによって使用される前記ＴＤＤ ＵＬ／ＤＬ構成が、前記サービングセル基地局からのダウンリンクサブフレーム送信の間に、前記近隣セルＵＥから前記近隣セル基地局に送信される少なくとも１つのアップリンクサブフレームを備える、Ｃ１８６に記載の装置。
［Ｃ１８８］
前記近隣セルＵＥから送信される前記信号が、別の近隣セルノードへの少なくとも１つのデバイス対デバイス（Ｄ２Ｄ）の送信を備える、Ｃ１８５に記載の装置。
［Ｃ１８９］
前記少なくとも１つのＤ２Ｄ送信が、前記サービングセル基地局からのダウンリンクサブフレーム送信の間に送信される、Ｃ１８８に記載の装置。
［Ｃ１９０］
前記伝送特性情報を決定するための前記手段が、
近隣セルＵＥからの送信を監視するための手段と、
送信を監視する間に受信される送信に基づいて、前記伝送特性情報を決定するための手段とを備える、Ｃ１８５に記載の装置。
［Ｃ１９１］
前記伝送特性情報が、変調次数、空間レイヤの数、またはプリコーディング情報の１つまたは複数を備える、Ｃ１９０に記載の装置。
［Ｃ１９２］
前記伝送特性情報を決定するための前記手段が、
近隣セル基地局からの送信を監視するための手段と、
近隣セル基地局の送信を監視する間に受信される前記送信に基づいて、前記近隣セルＵＥからのアップリンク送信のためのアップリンクグラント情報を決定するための手段とを備える、Ｃ１８５に記載の装置。
［Ｃ１９３］
前記近隣セル基地局からの前記送信を監視するための前記手段が、
前記近隣セル基地局の物理ダウンリンク制御チャネル（ＰＤＣＣＨ）を監視するための手段を備える、Ｃ１９２に記載の装置。
［Ｃ１９４］
前記近隣セル基地局の前記ＰＤＣＣＨを監視するための前記手段が、
前記近隣セルＵＥへのアップリンクグラントを復号するための手段と、
前記復号されたアップリンクグラントに基づいて、前記近隣セルＵＥから送信される信号の前記伝送特性情報を決定するための手段とを備える、Ｃ１９３に記載の装置。
［Ｃ１９５］
前記伝送特性情報を決定するための前記手段が、
サービングセル基地局から前記伝送特性情報を受信するための手段を備える、Ｃ１８５に記載の装置。
［Ｃ１９６］
前記サービングセル基地局が、近隣セル基地局とのＸ２通信リンクを通じて、または、前記サービングセル基地局および前記近隣セル基地局と通信している中央スケジューラから、前記伝送特性情報を受信する、Ｃ１９５に記載の装置。
［Ｃ１９７］
サービングセル基地局におけるワイヤレス通信のための装置であって、
近隣セル基地局から送信される信号の第１の伝送特性情報を決定するための手段と、
近隣セルユーザ機器（ＵＥ）から送信される信号の第２の伝送特性情報を決定するための手段と、
前記決定された第１の伝送特性情報および前記第２の伝送特性情報に基づいて、サービングセルＵＥから受信された信号に対して干渉除去を実行するための手段とを備える、装置。
［Ｃ１９８］
前記近隣セル基地局から送信される前記信号が、前記サービングセル基地局によって使用される時分割複信（ＴＤＤ）アップリンク／ダウンリンク（ＵＬ／ＤＬ）構成とは異なるＴＤＤ ＵＬ／ＤＬ構成に従って前記近隣セル基地局から前記近隣セルＵＥに送信されるダウンリンクサブフレームを備える、Ｃ１９７に記載の装置。
［Ｃ１９９］
前記近隣セル基地局によって使用される前記ＴＤＤ ＵＬ／ＤＬ構成が、前記サービングセルＵＥからのアップリンクサブフレーム送信の間に、前記近隣セル基地局から前記近隣セルＵＥに送信される少なくとも１つのダウンリンクサブフレームを備える、Ｃ１９８に記載の装置。
［Ｃ２００］
前記近隣セルＵＥから送信される前記信号が、前記サービングセルＵＥからのアップリンクサブフレーム送信の間の、アップリンク制御チャネル送信またはアップリンクデータチャネル送信の１つまたは複数を備える、Ｃ１９７に記載の装置。
［Ｃ２０１］
前記近隣セル基地局または前記近隣セルＵＥが、前記サービングセルＵＥからのアップリンクサブフレーム送信の間に送信していると決定するための手段をさらに備え、
干渉除去を実行するための前記手段が、前記近隣セル基地局または近隣セルＵＥのどちらが前記サービングセルＵＥからの前記アップリンクサブフレーム送信の間に送信しているかに基づいて、前記干渉除去を実行するための手段を備える、Ｃ１９７に記載の装置。
［Ｃ２０２］
前記近隣セルＵＥから送信される信号の前記第２の伝送特性情報を決定するための前記手段が、
近隣セルＵＥからの送信を監視するための手段と、
送信を監視する間に受信される送信に基づいて、前記近隣セルＵＥから送信される信号の前記第２の伝送特性情報を決定するための手段とを備える、Ｃ１９７に記載の装置。
［Ｃ２０３］
前記近隣セルＵＥから送信される信号の前記第２の伝送特性情報が、変調次数、空間レイヤの数、またはプリコーディング情報、のうちの１つまたは複数を備える、Ｃ２０２に記載の装置。
［Ｃ２０４］
前記近隣セルＵＥから送信される信号の前記第２の伝送特性情報を決定するための前記手段が、
前記近隣セル基地局からの送信を監視するための手段と、
近隣セル基地局の送信を監視する間に受信される前記送信に基づいて、前記近隣セルＵＥからのアップリンク送信のためのアップリンクグラント情報を決定するための手段とを備える、Ｃ１９７に記載の装置。
［Ｃ２０５］
前記近隣セル基地局からの前記送信を監視するための前記手段が、
前記近隣セル基地局の物理ダウンリンク制御チャネル（ＰＤＣＣＨ）を監視するための手段を備える、Ｃ２０４に記載の装置。
［Ｃ２０６］
前記近隣セル基地局から送信される信号の前記第１の伝送特性情報を決定するための前記手段が、
前記近隣セル基地局からの送信を監視するための手段と、
近隣セル基地局の送信を監視する間に受信される前記送信に基づいて、前記近隣セル基地局からのダウンリンク送信のためのダウンリンク送信情報を決定するための手段とを備える、Ｃ１９７に記載の装置。
［Ｃ２０７］
前記近隣セル基地局から送信される信号の前記第１の伝送特性情報を決定するための前記手段と、前記近隣セルＵＥから送信される信号の前記第２の伝送特性情報を決定するための前記手段とが、
前記近隣セル基地局とのＸ２通信リンクを通じて、または、前記サービングセル基地局および前記近隣セル基地局と通信している中央スケジューラから、前記第１の伝送特性情報と前記第２の伝送特性情報とを受信するための手段を備える、Ｃ１９７に記載の装置。
［Ｃ２０８］
受信ノードにおけるワイヤレス通信のための装置であって、
送信ノードからワイヤレス送信を受信するための第１のワイヤレス通信チャネルを確立するための手段と、
前記第１のワイヤレス通信チャネルとは異なる第２のワイヤレス通信チャネルの伝送チャネル情報を決定するための手段と、
前記第２のワイヤレス通信チャネルの前記伝送チャネル情報に基づいて、前記送信ノードからの前記第１のワイヤレス通信チャネル上で受信される信号に対して干渉低減を実行するための手段とを備える、装置。
［Ｃ２０９］
前記第２のワイヤレス通信チャネルの前記伝送チャネル情報を決定するための前記手段が、
前記第２のワイヤレス通信チャネル上でのワイヤレス送信の送信プリアンブルを復号するための手段を備える、Ｃ２０８に記載の装置。
［Ｃ２１０］
前記干渉低減を実行するための前記手段が、
前記復号された送信プリアンブルに基づいて、前記第２のワイヤレス通信チャネルからの干渉を推定するための手段と、
前記推定された干渉に基づいて、前記第１のワイヤレス通信チャネル上で受信される前記信号に対して干渉除去を実行するための手段とを備える、Ｃ２０９に記載の装置。
［Ｃ２１１］
前記推定される干渉が、高周波（ＲＦ）非線形性、前記第２のワイヤレス通信チャネルから前記第１のワイヤレス通信チャネルへともたらされる高調波、前記第２のワイヤレス通信チャネルからの相互変調歪み（ＩＭＤ）、前記第２のワイヤレス通信チャネルからのチャネル漏洩、または、前記第１のワイヤレス通信チャネルと第２のワイヤレス通信チャネルとの間の結合、のうちの１つまたは複数を備える、Ｃ２１０に記載の装置。
［Ｃ２１２］
前記第２のワイヤレス通信チャネルの前記伝送チャネル情報が、前記第２のワイヤレス通信チャネルと前記第１のワイヤレス通信チャネルとの間の同一チャネル干渉を備える、Ｃ２０８に記載の装置。
［Ｃ２１３］
前記第１のワイヤレス通信チャネルおよび前記第２のワイヤレス通信チャネルが、異なるワイヤレス送信プロトコルに従って免許不要スペクトルにおいて動作するノードと関連付けられる、Ｃ２１２に記載の装置。
［Ｃ２１４］
前記第１のワイヤレス通信チャネルが、ＬＯＮＧ ＴＥＲＭ ＥＶＯＬＵＴＩＯＮ （ＬＴＥ）プロトコルに従って免許不要スペクトルにおいて動作するノードと関連付けられ、前記第２のワイヤレス通信チャネルが、ＩＥＥＥ ８０２．１１プロトコルに従って前記免許不要スペクトルにおいて動作する異なるノードと関連付けられる、Ｃ２１２に記載の装置。
［Ｃ２１５］
前記第１のワイヤレス通信チャネルが、ＩＥＥＥ ８０２．１１プロトコルに従って免許不要スペクトルにおいて動作するノードと関連付けられ、前記第２のワイヤレス通信チャネルが、ＬＯＮＧ ＴＥＲＭ ＥＶＯＬＵＴＩＯＮ（ＬＴＥ）プロトコルに従って前記免許不要スペクトルにおいて動作する異なるノードと関連付けられる、Ｃ２１２に記載の装置。
［Ｃ２１６］
前記第２のワイヤレス通信チャネルが、前記第１のワイヤレス通信チャネルの隣接チャネルであり、前記隣接チャネルからの漏洩が、前記第１のワイヤレス通信チャネルの信号との干渉を引き起こす、Ｃ２０８に記載の装置。
［Ｃ２１７］
前記隣接チャネルからの前記漏洩が、前記第１のワイヤレス通信チャネルの信号との干渉を引き起こす、Ｃ２１６に記載の装置。
［Ｃ２１８］
前記干渉低減を実行するための前記手段が、
前記第２のワイヤレス通信チャネルの前記伝送チャネル情報に基づいて、前記第１のワイヤレス通信チャネル上で受信される前記信号に対して干渉除去を実行するための手段を備える、Ｃ２１７に記載の装置。
［Ｃ２１９］
前記送信ノードが、ＬＯＮＧ ＴＥＲＭ ＥＶＯＬＵＴＩＯＮ（ＬＴＥ）プロトコルに従って動作する基地局またはユーザ機器である、Ｃ２０８に記載の装置。
［Ｃ２２０］
前記送信ノードが、ＩＥＥＥ ８０２．１１プロトコルに従って動作するアクセスポイントまたは局である、Ｃ２０８に記載の装置
【図１】
0006490712.tif 000005
【図２】
0006490712.tif 000006
【図３】
0006490712.tif 000007
【図４】
0006490712.tif 000008
【図５】
0006490712.tif 000009
【図６】
0006490712.tif 000010
【図７】
0006490712.tif 000011
【図８】
0006490712.tif 000012
【図９】
0006490712.tif 000013
【図１０】
0006490712.tif 000014
【図１１】
0006490712.tif 000015
【図１２】
0006490712.tif 000016
【図１３】
0006490712.tif 000017
【図１４】
0006490712.tif 000018
【図１５】
0006490712.tif 000019
【図１６】
0006490712.tif 000020
【図１７】
0006490712.tif 000021
【図１８】
0006490712.tif 000022
【図１９】
0006490712.tif 000023
【図２０Ａ】
0006490712.tif 000024
【図２０Ｂ】
0006490712.tif 000025
【図２１】
0006490712.tif 000026
【図２２】
0006490712.tif 000027
【図２３】
0006490712.tif 000028
【図２４】
0006490712.tif 000029
【図２５】
0006490712.tif 000030
【図２６】
0006490712.tif 000031
【図２７】
0006490712.tif 000032
【図２８】
0006490712.tif 000033
【図２９】
0006490712.tif 000034
【図３０】
0006490712.tif 000035
【図３１】
0006490712.tif 000036
【図３２】
0006490712.tif 000037
【図３３】
0006490712.tif 000038
【図３４】
0006490712.tif 000039
【図３５】
0006490712.tif 000040
【図３６】
0006490712.tif 000041
【図３７】
0006490712.tif 000042
【図３８】
0006490712.tif 000043
【図３９】
0006490712.tif 000044
【図４０】
0006490712.tif 000045
【図４１】
0006490712.tif 000046
【図４２】
0006490712.tif 000047
【図４３】
0006490712.tif 000048
【図４４】
0006490712.tif 000049
【図４５】
0006490712.tif 000050
【図４６】
0006490712.tif 000051